(57)【要約】【課題】遊技興趣の低下を抑える遊技機を提供すること。【解決手段】時短遊技状態は所定の終了条件が成立するまで継続可能であり、確変遊技状態は、前記終了条件が成立してもさらに継続可能である。確変遊技状態で遊技が制御されているときに、第１の演出モードで演出を実行するときと、第１の演出モードとは異なる第２の演出モードで記演出を実行するときと、がある。一方、時短遊技状態で遊技が制御されているとき、第２の演出モードで演出を実行するときがある。確変遊技状態で遊技が制御され且つ第２の演出モードで演出を実行しているときに終了条件が成立した場合、その後も第２の演出モードを継続して演出を実行することがある。【選択図】図２４
2018047248.tif 000002
【特許請求の範囲】
【請求項１】
遊技者に有利な特別遊技を行う特別遊技実行手段と、
前記特別遊技の後に、遊技者に有利な第１遊技状態で遊技を制御するときと、前記第１遊技状態よりも不利な第２遊技状態で遊技を制御するときと、がある遊技状態制御手段と、
所定の演出を実行する演出実行手段と、を備え、
前記遊技状態制御手段は、
前記第２遊技状態で遊技を制御した場合、所定の終了条件が成立するまで継続して前記第２遊技状態で遊技を制御することがあり、
前記第１遊技状態で遊技を制御した場合、前記終了条件が成立してもさらに継続して前記第１遊技状態で遊技を制御することがあり、
前記演出実行手段は、
前記第１遊技状態で遊技が制御されているときに、第１の演出モードで前記演出を実行するときと、前記第１の演出モードとは異なる第２の演出モードで前記演出を実行するときと、があり、
前記第２遊技状態で遊技が制御されているときに、前記第２の演出モードで前記演出を実行するときがあり、
前記第１遊技状態で遊技が制御され且つ前記第２の演出モードで前記演出を実行しているときに前記終了条件が成立した場合、その後も前記第２の演出モードを継続して前記演出を実行することがあることを特徴とする遊技機。
【請求項２】
請求項１に記載の遊技機であって、
前記第１遊技状態または前記第２遊技状態で遊技が制御されているときに、前記特別遊技を行うか否かの判定を行う判定手段を更に備え、
前記演出実行手段は、前記判定にて前記特別遊技を行うと判定された場合、前記特別遊技が行われることを示唆する示唆演出を実行することがあり、
前記示唆演出は、前記第１遊技状態で遊技が制御され且つ前記第２の演出モードで前記演出が実行されているときであって前記終了条件が成立した後と、前記第１遊技状態で遊技が制御され且つ前記第１の演出モードで前記演出が実行されているときとで、少なくとも一部の演出態様が共通していることを特徴とする遊技機。
【請求項３】
請求項２に記載の遊技機であって、
前記示唆演出は、前記第１遊技状態または第２遊技状態で遊技が制御され且つ前記第２の演出モードで前記演出が実行されているときであって前記終了条件が成立する前と、前記第１遊技状態で遊技が制御され且つ前記第２の演出モードで前記演出が実行されているときであって前記終了条件が成立した後とで、少なくとも一部の演出態様が異なることを特徴とする遊技機。
【請求項４】
請求項２に記載の遊技機であって、
所定の動作態様で動作可能な可動体を更に備え、
前記演出実行手段は、前記第１遊技状態または第２遊技状態で遊技が制御され且つ前記第２の演出モードで前記演出が実行されているときであって前記終了条件が成立する前に前記示唆演出を実行する場合、および、前記第１遊技状態で遊技が制御され且つ前記第２の演出モードで前記演出が実行されているときであって前記終了条件が成立した後に前記示唆演出を実行する場合、の何れか一方において、前記示唆演出として、前記可動体を前記所定の動作態様で動作させることがあることを特徴とする遊技機。
【発明の詳細な説明】
【技術分野】
【０００１】
本発明は、パチンコ遊技機等の遊技機に関する。
【背景技術】
【０００２】
従来、パチンコ遊技機では、遊技球が始動口に入球することを条件に、大当たりであるか否かの判定を行うことが可能であり、当該判定で大当たりと判定されると、遊技球を獲得可能な大当たり遊技が行われる。そして、大当たり遊技の後には、通常確率状態で制御される場合と高確率状態で制御される場合がある（例えば、特許文献１を参照）。特許文献１に記載の遊技機では、大当たり遊技の後に、様々な演出モードによる演出を行うことで遊技興趣を向上させている。
【先行技術文献】
【特許文献】
【０００３】
【特許文献１】特開２０１６−６７６８２号公報
【発明の概要】
【発明が解決しようとする課題】
【０００４】
しかしながら、大当たり遊技の後に、様々な演出モードによる演出を行う遊技機について、遊技興趣の向上を図るために未だ改善の余地がある。
【０００５】
本発明は上記事情に鑑みてなされたものである。すなわち、その課題とするところは、遊技興趣を向上させることが可能な遊技機を提供することである。
【課題を解決するための手段】
【０００６】
本発明に係る遊技機は、
遊技者に有利な特別遊技を行う特別遊技実行手段と、
前記特別遊技の後に、遊技者に有利な第１遊技状態で遊技を制御するときと、前記第１遊技状態よりも不利な第２遊技状態で遊技を制御するときと、がある遊技状態制御手段と、
所定の演出を実行する演出実行手段と、を備え、
前記遊技状態制御手段は、
前記第２遊技状態で遊技を制御した場合、所定の終了条件が成立するまで継続して前記第２遊技状態で遊技を制御することがあり、
前記第１遊技状態で遊技を制御した場合、前記終了条件が成立してもさらに継続して前記第１遊技状態で遊技を制御することがあり、
前記演出実行手段は、
前記第１遊技状態で遊技が制御されているときに、第１の演出モードで前記演出を実行するときと、前記第１の演出モードとは異なる第２の演出モードで前記演出を実行するときと、があり、
前記第２遊技状態で遊技が制御されているときに、前記第２の演出モードで前記演出を実行するときがあり、
前記第１遊技状態で遊技が制御され且つ前記第２の演出モードで前記演出を実行しているときに前記終了条件が成立した場合、その後も前記第２の演出モードを継続して前記演出を実行することがあることを特徴とする。
【発明の効果】
【０００７】
本発明によれば、遊技興趣の低下を抑えることが可能である。
【図面の簡単な説明】
【０００８】
【図１】本発明の第１実施形態に係るパチンコ遊技機の斜視図である。
【図２】遊技盤ユニットの正面図である。
【図３】（Ａ）は盤可動体の待機状態を説明する正面図、（Ｂ）は盤可動体の移動状態を説明する正面図、（Ｃ）は盤可動体の回転状態を説明する正面図である。
【図４】表示器類の正面図である。
【図５】遊技制御基板側の電気的な構成を示すブロック図である。
【図６】演出制御基板側の電気的な構成を示すブロック図である。
【図７】（Ａ）は普図関連判定情報を示す表であり、（Ｂ）は特図関連判定情報を示す表である。
【図８】（Ａ）は当たり判定テーブルであり、（Ｂ）は普図変動パターン判定テーブルであり、（Ｃ）は補助遊技制御テーブルである。
【図９】（Ａ）は大当たり判定テーブルであり、（Ｂ）は大当たり図柄種別判定テーブルであり、（Ｃ）はリーチ判定テーブルである。
【図１０】特図１変動パターン判定テーブルである。
【図１１】特図２変動パターン判定テーブルである。
【図１２】（Ａ）は大当たり遊技制御テーブル、（Ｂ）は遊技状態設定テーブルである。
【図１３】始動入賞コマンド特定テーブルである。
【図１４】遊技制御メイン処理のフローチャートである。
【図１５】遊技制御側タイマ割り込み処理のフローチャートである。
【図１６】センサ検出処理のフローチャートである。
【図１７】センサ検出処理のフローチャートであり、図１６の続きを表す図である。
【図１８】普通動作処理のフローチャートである。
【図１９】特別動作処理のフローチャートである。
【図２０】特別図柄待機処理のフローチャートである。
【図２１】特図１変動パターン判定処理のフローチャートである。
【図２２】特別図柄変動処理のフローチャートである。
【図２３】特別図柄確定処理のフローチャートである。
【図２４】演出モードのフローを説明するブロック図である。
【図２５】各演出モードにおける背景画像の例示を表す図である。
【図２６】演出モードＡにおけるリーチ無しハズレの特図変動演出の例示を表す図である。
【図２７】演出モードＡにおいて特図変動演出が開始してからリーチになるまでの様子を表す図である。
【図２８】演出モードＡにおけるＮリーチの例示を表す図である。
【図２９】演出モードＡにおけるＬリーチ又はＳＰリーチの例示を表す図である。
【図３０】大当たり演出図柄と演出モードおよび大当たり図柄種別との関係を表す表である。
【図３１】演出モードＢにおける特図変動演出および右打ち示唆演出の例示を表す図である。
【図３２】演出モードＢにおける第１突然示唆演出が実行され、大当たり図柄に応じた演出図柄の停止表示が行われ、大当たり遊技演出が行われている例示を表す図である。
【図３３】演出モードＣにおける特図変動演出、右打ち示唆演出および第１更新演出画像による更新演出の例示を表す図である。
【図３４】演出モードＣにおける第２突然示唆演出が実行され、大当たり図柄に応じた演出図柄の停止表示が行われ、大当たり遊技演出が行われている例示を表す図である。
【図３５】演出モードＣから演出モードＡに切り替わる場面の例示を表す図である。
【図３６】演出モードＣが継続し、第２更新演出画像による更新演出が開始された場面の例示を表す図である。
【図３７】演出モードＣ確定期間において第１突然示唆演出が行われている例示を表す図である。
【図３８】演出モードＢ、および演出モードＣにおける特徴的な演出内容を説明するブロック図である。
【図３９】演出制御メイン処理のフローチャートである。
【図４０】１ｍｓタイマ割り込み処理のフローチャートである。
【図４１】１０ｍｓタイマ割り込み処理のフローチャートである。
【図４２】受信コマンド解析処理のフローチャートである。
【図４３】受信コマンド解析処理のフローチャートであり、図４２の続きを表す図である。
【発明を実施するための形態】
【０００９】
＜第１実施形態＞
１．遊技機の構造
本発明の遊技機の第１実施形態であるパチンコ遊技機ＰＹ１について図面を用いて説明する。なお、以下の説明において、パチンコ遊技機ＰＹ１の各部の左右上下方向は、そのパチンコ遊技機ＰＹ１に対面する遊技者から見た（正面視の）左右上下方向のことである。また、パチンコ遊技機ＰＹ１の各部の前方向をパチンコ遊技機ＰＹ１から当該パチンコ遊技機ＰＹ１に対面する遊技者に近づく方向とし、パチンコ遊技機ＰＹ１の各部の後方向をパチンコ遊技機ＰＹ１に対面する遊技者から当該パチンコ遊技機ＰＹ１に近づく方向として、説明する。
【００１０】
図１に示すように、パチンコ遊技機ＰＹ１は、遊技盤１を含む遊技盤ユニットＹＵと、遊技盤ユニットＹＵを内部に収納した遊技機枠２とを備えている。遊技機枠２は、遊技店に固定される枠状の外枠２１と、外枠２１に取り付けられ、遊技盤ユニットＹＵが取り付けられる内枠２２と、内枠２２に回転自在に支持される前扉２３と、を備える。
【００１１】
外枠２１、内枠、および前扉２３の正面視外周形状は大体同一である。そして、外枠２１の前面に内枠２２が取り付けられている。
【００１２】
前扉２３は内枠２２に対して開閉が可能である。前扉２３は、大体中央に略縦長矩形状の大きな開口部が形成された枠状の前枠２３ｍと、その開口部に嵌め込まれた透明板２３ｔと、を備える。前扉２３が閉じられているとき、遊技盤ユニットＹＵに含まれる遊技盤１と透明板２３ｔとが対面する。透明板２３ｔは、透明な合成樹脂板で略縦長矩形状に成形されている。よって、パチンコ遊技機ＰＹ１が遊技店に設置されると、当該パチンコ遊技機ＰＹ１の前方にいる遊技者は、透明板２３ｔを通して、遊技盤１に形成された遊技領域６を視認することができる。なお、透明板２３ｔとして、透明な合成樹脂板の代わりに透明なガラス板を用いてもよい。パチンコ遊技機ＰＹ１の前方から透明板２３ｔを通して遊技領域６を視認可能であればよい。
【００１３】
前枠２３ｍの前面の右下部には、遊技球を発射させるための回転操作が可能なハンドル７２ｋが設けられている。ハンドル７２ｋが操作された量（回転角度）が、遊技球を発射させるために遊技球に与えられる力の大きさ（発射強度）に対応付けられている。よって、遊技球は、ハンドル７２ｋの回転操作に応じた発射強度で発射される。
【００１４】
また、前枠２３ｍの前面の下部には、前方に大きく突出した上皿３４と、上皿３４の直下に配された下皿３５が設けられている。上皿３４の前方側中央には、下方に押下操作可能な第１演出ボタン４０ｋが設けられている。第１演出ボタン４０ｋの操作部分は半球形に成形されている。さらに、上皿３４の上面の後方側には、ハンドル７２ｋに供給される遊技球を貯留するための供給球貯留穴３４Ａが第１演出ボタン装置４０を避けるように形成されている。また、下皿３５の上面には、供給球貯留穴３４Ａに収容しきれない余剰の遊技球を貯留するための余剰球貯留穴３５Ａが設けられている。
【００１５】
さらに、前枠２３ｍの前面の透明板２３ｔの上側、右側、および左側には、前方に突出した上側装飾体、右側装飾体、および左側装飾体が設けられている。上部装飾体の底面には、音を出力可能な一対の２つのスピーカ５２が下方を向いて左右方向に所定距離をおいて並設されている。右側装飾体の下部には、下方に押下操作可能な第２演出ボタン４１ｋが設けられている。第２演出ボタン４１ｋの操作部分は棒状に成形されている。また、右側装飾体から上皿３４の正面右部分にかけて、および左側装飾体から上皿３４の正面左部分にかけて、発光可能な枠ランプ５３が設けられている。
【００１６】
次に、遊技盤ユニットＹＵについて、図１に加えて図２を用いて説明する。遊技盤ユニットＹＵは、遊技盤１と、遊技盤１の背面に取り付けられた盤用演出ユニットＥＵと、を有する。最初に、遊技盤１について説明する。遊技盤１は、透明な合成樹脂板で構成されている。遊技盤１の略中央には正面視略円形の開口部１Ａが形成されている。
【００１７】
遊技盤１の前面には、開口部１Ａに沿って、略リング状のセンター装飾体６１が前方に突出して形成されている。また、センター装飾体６１の外側には、センター装飾体６１を大きく取り囲むように略リング状に形成された外レール６２と、外レール６２の左側部分とセンター装飾体６１との間で、外レール６２およびセンター装飾体６１に沿った湾曲状の内レール６３と、が形成されている。
【００１８】
そして、遊技盤１の前面において、センター装飾体６１、外レール６２および内レール６３などで囲まれた領域が遊技領域６を形成している。すなわち、遊技盤１の前面が、センター装飾体６１、外レール６２および内レール６３によって、遊技領域６とそれ以外の領域とに区切られている。また、外レール６２と内レール６３とで囲まれた領域は、発射された遊技球が遊技領域６へ向かうために通過可能な発射領域７を形成している。
【００１９】
遊技領域６は、ハンドル７２ｋの操作によって発射された遊技球が流下可能な領域であり、パチンコ遊技機ＰＹ１で遊技を行うために設けられている。なお、遊技領域６には、多数の遊技用くぎ（図示なし）が突設されている。遊技用くぎは、遊技領域６に進入して遊技領域６を流下する遊技球を、一般入賞口１０、第１始動口１１、第２始動口１２、ゲート１３、および大入賞口１４などに適度に誘導する経路を構成している。
【００２０】
遊技領域６の所定位置に一般入賞装置１０Ｄが設けられている。一般入賞装置１０Ｄには、一般入賞口１０が遊技球の入球が可能に形成されている。遊技球が一般入賞口１０へ入球すると、所定個数（第１実施形態では、７個）の遊技球が賞球として払い出される。なお、一般入賞口１０に入球した遊技球はそのまま遊技領域６の外部へ排出される。
【００２１】
また、遊技領域６におけるセンター装飾体６１の中央直下には第１始動入賞装置１１Ｄが設けられている。第１始動入賞装置１１Ｄには、第１始動口１１が遊技球の入球が可能に形成されている。第１始動入賞装置１１Ｄは作動しない非作動構造からなる。そのため、第１始動口１１は、遊技球の入球のし易さが変化せずに一定（不変）である。遊技球が第１始動口１１へ入球すると、所定個数（第１実施形態では、４個）の遊技球が賞球として払い出される。なお、第１始動口１１に入球した遊技球はそのまま遊技領域６の外部へ排出される。
【００２２】
なお、センター装飾体６１の左側部から下端部にかけて、遊技球を内部に通すワープ部６１ｗが形成されている。ワープ部６１ｗへの入口はセンター装飾体６１の左側部に形成されている。ワープ部６１ｗに入った遊技球はワープ部６１ｗの内部を通って出口から出る。ワープ部６１ｗの出口付近であってセンター装飾体６１の下端部上面には、遊技球が転動可能なステージ６１ｓが設けられている。ステージ６１ｓの先端には、遊技球を下方に導く下方誘導部６１ｙが設けられている。この下方誘導部６１ｙの直下には第１始動口１１が設けられている。
【００２３】
遊技領域６における第１始動口１１の直下には、第２始動入賞装置（所謂「電チュー」）１２Ｄが設けられている。電チュー１２Ｄには、遊技球が入球不可能な閉態様と入球可能な開態様とに変化可能な第２始動口１２が形成されている。第２始動口１２は、電チュー１２Ｄが具備する電チュー開閉部材１２ｋによって閉態様と開態様とをとる。すなわち、電チュー開閉部材１２ｋの作動によって第２始動口１２が開閉する。
【００２４】
電チュー開閉部材１２ｋは正面視略Ｌ字状部材からなり、通常は第２始動口１２を閉鎖している。電チュー開閉部材１２ｋは、前方先端面が遊技領域６と面一状態になる退避状態から前方に突出することができる。電チュー開閉部材１２ｋが前方に突出すると、電チュー開閉部材１２ｋが遊技領域６に垂直に突出した状態になり、第２始動口１２が入球可能に開放する。具体的には、電チュー開閉部材１２ｋの水平部の左端に立設された垂直部分が遊技球を受けとめられ、水平部から第２始動口１２へと導かれる。このように、電チュー開閉部材１２ｋが開状態であるときだけ遊技球の第２始動口１２への入球が可能となる。遊技球が第２始動口１２へ入球すると、所定個数（第１実施形態では、４個）の遊技球が賞球として払い出される。なお、第２始動口１２に入球した遊技球はそのまま遊技領域６の外部へ排出される。
【００２５】
また、センター装飾体６１の右側にゲート１３が設けられている。ゲート１３は、遊技球が通過可能に構成されている。遊技球がゲート１３を通過しても賞球が払い出されない。なお、ゲート１３を通過した遊技球はそのまま遊技領域６を流下する。
【００２６】
遊技領域６における第１始動入賞装置１１Ｄの右側でゲート１３の下流側には、大入賞装置１４Ｄが設けられている。大入賞装置１４Ｄには、遊技球が入球不可能な閉態様と入球可能な開態様とに変化可能な大入賞口１４が形成されている。大入賞口１４は、大入賞装置１４Ｄが具備するＡＴ開閉部材１４ｋによって閉態様と開態様とをとる。すなわち、ＡＴ開閉部材１４ｋの作動によって大入賞口１４が開閉する。
【００２７】
ＡＴ開閉部材１４ｋは正面視略横長矩形状の平板からなる可動部材であり、通常は大入賞口１４を閉鎖している。ＡＴ開閉部材１４ｋの下端部には、水平な回転軸が設けられている。ＡＴ開閉部材１４ｋはその回転軸を中心に、上端が前方へ倒れるように略９０度回転することができる。ＡＴ開閉部材１４ｋが回転すると、ＡＴ開閉部材１４ｋが遊技領域６に垂直に突出した状態になり、大入賞口１４が入球可能に開放する。このように、ＡＴ開閉部材１４ｋが開状態であるときだけ遊技球の大入賞口１４への入球が可能となる。遊技球が大入賞口１４へ入球すると、所定個数（第１実施形態では、１４個）の遊技球が賞球として払い出される。なお、大入賞口１４に入球した遊技球はそのまま遊技領域６の外部へ排出される。
【００２８】
また、遊技領域６における大入賞装置１４Ｄの下方には、その上面が左斜め下方に形成され、遊技球を第２始動口１２へ誘導する誘導経路６４が遊技領域６（遊技盤１の前面）から前方に突出して設けられている。なお、誘導経路６４の上面を転動する遊技球は、第２始動口１２の方へ向かって流下可能であるが、基本的には第１始動口１１へ入球することはできない。
【００２９】
なお、第１始動口１１、第２始動口１２、大入賞口１４、および一般入賞口１０への遊技球の入球や、遊技球のゲート１３の通過をまとめて、第１始動口１１、第２始動口１２、大入賞口１４、一般入賞口１０、およびゲート１３への「入賞」と総称する。
【００３０】
ところで、遊技球が流下可能な遊技領域６は、左右方向の中央より左側の左遊技領域６Ａと、右側の右遊技領域６Ｂと、に分けることができる。遊技球が左遊技領域６Ａを流下するように遊技球を発射させるハンドル７２ｋの操作態様を「左打ち」という。一方、遊技球が右遊技領域６Ｂを流下するように遊技球を発射させるハンドル７２ｋの操作態様を「右打ち」という。遊技領域６において、左打ちにて遊技球を発射したときに遊技球が流下可能な流路を、第１流路Ｒ１といい、右打ちにて遊技球を発射したときに遊技球が流下可能な流路を、第２流路Ｒ２という。第１流路Ｒ１および第２流路Ｒ２には、不図示の多数の遊技用くぎなども構成されている。
【００３１】
第１流路Ｒ１上には、第１始動口１１と、２つの一般入賞口１０と、が設けられている。よって、遊技者は、左打ちにより第１流路Ｒ１を流下するように遊技球を発射させることで、第１始動口１１、または、一般入賞口１０への入賞を狙うことができる。一方、第２流路Ｒ２上には、第２始動口１２と、ゲート１３と、大入賞口１４と、が設けられている。よって、遊技者は、右打ちにより第２流路Ｒ２を流下するように遊技球を発射させることで、ゲート１３、第２始動口１２、または大入賞口１４への入賞を狙うことができる。
【００３２】
なお、遊技領域６の略最下部には、遊技領域６へ打ち込まれたもののいずれの入賞口にも入賞しなかった遊技球を遊技領域６の外部へ排出する２つのアウト口１９が設けられている。
【００３３】
次に、遊技盤１の背面に取り付けられた盤用演出ユニットＥＵについて説明する。盤用演出ユニットＥＵは、主に演出を行う複数の装置をユニット化したものである。盤用演出ユニットＥＵには、画像表示装置５０、および盤可動装置５５が取り付けられている。
【００３４】
画像表示装置５０は、２０インチの３Ｄ液晶ディスプレイで構成されており、３Ｄ画像を表示可能な表示部５０ａを具備する。
【００３５】
盤可動装置５５は、動作可能な盤可動体５５ｋを備える。盤可動体５５ｋは、水平状態を保持された横長で板状の昇降部材５５ｋ２と、昇降部材５５ｋ２の左右方向中央に設けられた略楕円形状の回転部材５５ｋ１と、を有する。盤可動体５５ｋは、初期位置に配されている待機状態では、遊技盤１と画像表示装置５０との間で隠れている。待機状態において、盤可動体５５ｋの下端部分、具体的に回転部材５５ｋ１の下端部分が、遊技盤１の開口部１Ａの上端から少しだけ下方に位置している。よって、回転部材５５ｋ１の下端部の一部のみが遊技者から視認できるよう配されている（図３（Ａ）参照）。そして、盤可動体５５ｋは、全体的に初期位置から所定の作動位置まで下降し、その作動位置から上昇して初期位置に戻ることができる（図３（Ｂ）参照）。所定の作動位置としては、正面視で盤可動体５５ｋが開口部１Ａの略中央につく位置である。ここで、所定の作業位置は適宜に設定可能であり、正面視で盤可動体５５ｋが開口部１Ａの略中央より上方側におかれる位置であっても下方側におかれる位置であってもよい。
【００３６】
また、回転部材５５ｋ１は、中心に設けられた回転軸を中心に回転運動することが可能である（図３（Ｃ）参照）。なお、回転部材５５ｋ１の回転運動は、盤可動体５５ｋが待機位置から作動位置に移動するとき、作動位置に保持されているとき、および作動位置から待機位置に移動するときに実行可能である。
【００３７】
次に、遊技盤１の前面に形成された遊技領域６の上下方向略中央の右隣（遊技領域６以外の部分）に配置されている表示器類８について説明する。図４に示すように、表示器類には、第１特別図柄（以下、「特図１」という）を可変表示する特図１表示器８１ａ、第２特別図柄（以下、「特図２」という）を可変表示する特図２表示器８１ｂ、及び、普通図柄（以下、「普図」という）を可変表示する普図表示器８２が含まれている。また、表示器類には、後述する特図１保留数を表示する特図１保留表示器８３ａ、および後述する特図２保留数を表示する特図２保留表示器８３ｂが含まれている。
【００３８】
特図１の可変表示は、遊技球の第１始動口１１への入賞を契機とした特図１抽選が行われると実行される。また、特図２の可変表示は、遊技球の第２始動口１２への入賞を契機とした特図２抽選が行われると実行される。特図１抽選、および特図２抽選については後述する。なお、以下の説明では、特図１、および特図２を総称して「特図」といい、特図１抽選、および特図２抽選を総称して「特図抽選」という。また、特図１表示器８１ａ、および特図２表示器８１ｂを総称して「特図表示器８１」という。さらに、特図１保留表示器８３ａ、および特図２保留表示器８３ｂを総称して「特図保留表示器８３」という。
【００３９】
特図の可変表示は、特図抽選の結果を報知する。特図の可変表示では、特図が変動表示した後に停止表示する。停止表示された特図（停止特図）は、可変表示の表示結果として導出された特図抽選の結果を表す識別情報である。停止表示された特図が予め定めた特定の特図である場合には、大入賞口１４の開放を伴う大当たり遊技が行われる。
【００４０】
特図１表示器８１ａ、および特図２表示器８１ｂはそれぞれ、横並びに配された８個のＬＥＤから構成されている。特図１表示器８１ａ、および特図２表示器８１ｂの点灯態様は、特図抽選の結果に応じた特図、すなわち特図抽選の結果を表す。例えば特図抽選の結果が大当たりである場合には、最終的に「□□■■□□■■」（□：点灯、■：消灯）というように左から１，２，５，６番目にあるＬＥＤが点灯する。この点灯態様が大当たり図柄であり、大当たりを表す。また、特図抽選の結果がハズレである場合には、最終的に「■■■■■■■□」というように一番右にあるＬＥＤのみが点灯する。この点灯態様がハズレ図柄であり、ハズレを表す。なお、特図抽選の結果に対応するＬＥＤの点灯態様は限定されず、適宜に設定することができる。よって、例えば、ハズレ図柄として全てのＬＥＤを消灯させてもよい。
【００４１】
また、特図の可変表示において、特図が停止表示される前には所定の変動時間にわたって特図の変動表示がなされる。特図の変動表示の態様は、例えば左から右へ光が繰り返し流れるように各ＬＥＤが点灯する態様である。なお、変動表示の態様は、特に限定されず、各ＬＥＤが停止表示（特定の態様での点灯表示）されていなければ、全ＬＥＤが一斉に点滅するなど適宜に設定してよい。
【００４２】
ところで、パチンコ遊技機ＰＹ１では、遊技球が第１始動口１１または第２始動口１２へ入賞してもすぐに特図抽選および特図の可変表示が行われない場合がある。具体的には、特図の可変表示の実行中や大当たり遊技の実行中に遊技球の第１始動口１１または第２始動口１２への入賞があった場合である。この場合、所定個数を上限として、その入賞に基づいて特図抽選および特図の可変表示を実行する権利が留保される。この留保された権利のことを「特図保留」という。
【００４３】
特図保留には、第１始動口１１への入賞に基づいて留保された特図１抽選、および特図１の可変表示を実行する権利を表す「特図１保留」と、第２始動口１２への入賞に基づいて留保された特図２抽選、および特図２の可変表示を実行する権利を表す「特図２保留」と、がある。そして、特図１保留の数、すなわち留保されている特図１抽選および特図１の可変表示を実行する権利の数を特図１保留表示器８３ａが表示する。一方、特図２保留の数、すなわち留保されている特図２抽選、および特図２の可変表示を実行する権利の数を特図２保留表示器８３ｂが表示する。
【００４４】
特図１保留表示器８３ａおよび特図２保留表示器８３ｂのそれぞれは、４個のＬＥＤで構成されており、特図１保留および特図２保留の数の分だけＬＥＤを点灯させることにより特図１保留および特図２保留の数を表示する。なお、以下において、特図１保留の数を「特図１保留数（Ｕ１）」といい、特図２保留数の数を「特図２保留数（Ｕ２）」という。また、「特図１保留数」や「特図２保留数」を総称して「特図保留数」という。さらに、「特図１保留表示器８３ａ」と「特図２保留表示器８３ｂ」とを総称して「特図保留表示器８３」という。
【００４５】
また、普図の可変表示は、遊技球のゲート１３の通過を契機とした普図抽選が行われると実行される。そして、普図の可変表示は、普図抽選の結果を報知する。普図の可変表示では、普図が変動表示した後に停止表示する。停止表示された普図（停止普図）は、可変表示の表示結果として導出された普図抽選の結果を表す識別情報である。停止表示された普図が予め定めた特定の普図である場合には、第２始動口１２の開放を伴う補助遊技が行われる。
【００４６】
普図表示器８２は、例えば２個のＬＥＤから構成されている。普図表示器８２の点灯態様は、普図抽選の結果に応じた普図、すなわち普図抽選の結果を表す。普図抽選の結果が当たりである場合には、最終的には、「□□」（□：点灯、■：消灯）というように両ＬＥＤが点灯する。この点灯態様が当たり図柄であり、当たりを表す。また普図抽選の結果がハズレである場合には、最終的には、「■□」というように右のＬＥＤのみが点灯する。この点灯態様がハズレ図柄であり、ハズレを表す。なお、普図抽選の結果に対応するＬＥＤの点灯態様は限定されず、適宜に設定することができる。例えば、ハズレ図柄として全てのＬＥＤを消灯させる態様を採用してもよい。
【００４７】
また、普図が停止表示される前には所定の変動時間にわたって普図の変動表示が行われる。普図の変動表示の態様は、第１実施形態では、両ＬＥＤが交互に点灯するという態様である。なお、普図の変動表示の態様は、特に限定されず、各ＬＥＤが停止表示（特定の態様での点灯表示）されていなければ、全ＬＥＤが一斉に点滅するなど適宜に設定してもよい。
【００４８】
２．遊技機の電気的構成
次に、図５〜図６に基づいて、パチンコ遊技機ＰＹ１の電気的な構成を説明する。パチンコ遊技機ＰＹ１は、遊技利益を得ることが可能な遊技に関する制御（遊技の進行）を行う遊技制御基板１００、遊技制御基板１００による遊技の進行に応じた演出に関する制御を行う演出制御基板１２０、および、遊技球の払い出しに関する制御などを行う払出制御基板１７０等を備えている。遊技制御基板１００、演出制御基板１２０、および払出制御基板１７０等は、ユニット化されて盤用演出ユニットＥＵの背面側に設置されている。
【００４９】
なお、遊技制御基板１００の制御対象となる遊技利益を獲得可能な遊技には、特図抽選、特図の可変表示、大当たり遊技、後述する遊技状態の設定、普図抽選、普図の可変表示、補助遊技などが含まれる。また、演出制御基板１２０の制御対象となる演出には、遊技演出（特図変動演出、保留演出、大当たり遊技演出など）、客待ち演出、第１演出ボタン４０ｋや第２演出ボタン４１ｋの操作が有効な期間（操作有効期間）において操作を促す操作促進演出などが含まれている。
【００５０】
また、遊技制御基板１００は、遊技の制御を行う遊技制御部と位置づけることができる。一方、演出制御基板１２０は、後述する画像制御基板１４０、音声制御回路１６１、およびサブドライブ基板１６２と共に、演出の制御を行う演出制御部と位置づけることができる。なお、演出制御部は、少なくとも演出制御基板１２０を備え、演出装置（画像表示装置５０、スピーカ５２、枠ランプ５３、および盤可動体５５ｋ等）を用いた遊技演出、客待ち演出、および操作促進演出などを制御可能であればよい。
【００５１】
また、パチンコ遊技機ＰＹ１は、電源基板１９０を備えている。電源基板１９０は、遊技制御基板１００、演出制御基板１２０、及び払出制御基板１７０に対して電力を供給するとともに、これらの基板を介してその他の機器に対して必要な電力を供給する。電源基板１９０には、電源スイッチ１９１が接続されている。電源スイッチ１９１のＯＮ／ＯＦＦ操作により、電源の投入／遮断が切り換えられる。
【００５２】
図５に示すように、遊技制御基板１００には、プログラムに従ってパチンコ遊技機ＰＹ１の遊技の進行を制御する遊技制御用ワンチップマイコン（以下「遊技制御用マイコン」）１０１が実装されている。遊技制御用マイコン１０１には、遊技の進行を制御するためのプログラムやテーブル等を記憶した遊技用ＲＯＭ（Ｒｅａｄ  Ｏｎｌｙ  Ｍｅｍｏｒｙ）１０１、ワークメモリとして使用される遊技用ＲＡＭ（Ｒａｎｄｏｍ  Ａｃｃｅｓｓ  Ｍｅｍｏｒｙ）１０３、遊技用ＲＯＭ１０３に記憶されたプログラムを実行する遊技用ＣＰＵ（Ｃｅｎｔｒａｌ  Ｐｒｏｃｅｓｓｉｎｇ  Ｕｎｉｔ）１０２が含まれている。
【００５３】
遊技用ＲＯＭ１０３には、後述する主制御メイン処理やメイン側タイマ割り込み処理などを行うためのプログラムが格納されている。また、遊技用ＲＯＭ１０３には、後述する大当たり判定テーブル、大当たり図柄種別判定テーブル、リーチ判定テーブル、特図変動パターン判定テーブル、始動入賞コマンド特定テーブル、大当たり遊技制御テーブル、遊技状態設定テーブル、当たり判定テーブル、補助遊技制御テーブルなどが格納されている。なお、遊技用ＲＯＭ１０３は外付けであってもよい。
【００５４】
また、遊技用ＲＡＭ１０４には、特図保留記憶部１０５が設けられている。ここで、特図保留記憶部１０５について説明する。前述の通り、遊技球の第１始動口１１または第２始動口１２への入賞があると、特図保留が発生可能であるが、特図保留が可能な場合、すなわち、特図保留数が上限値に達していないときには、この入賞に基づいて、特図抽選などを行うための各種乱数からなる判定情報が取得される。そして、この判定情報は、特図保留として特図保留記憶部１０５に一旦記憶される。なお、以下において、遊技球の第１始動口１１への入賞により取得される判定情報のことを「特図１関連判定情報」といい、遊技球の第２始動口１２への入賞により取得される判定情報のことを「特図２関連判定情報」という。また、特図１関連情報と特図２関連情報とを総称して「特図関連判定情報」という。
【００５５】
そして、特図１関連判定情報は、特図１保留として、特図保留記憶部１０５の中の特図１保留記憶部１０５ａに記憶される。一方、特図２関連判定情報は、特図２保留として、特図保留記憶部１０５の中の特図２保留記憶部１０５ｂに記憶される。特図１保留記憶部１０５ａに記憶可能な特図１関連判定情報の数、すなわち、特図１保留数の上限数は「４」に設定されている。また、特図２保留記憶部１０５ｂに記憶可能な特図１関連判定情報の数、すなわち、特図２保留数の上限数は「４」に設定されている。なお、特図１保留数の上限数および特図２保留数の上限数は適宜に設定しても良い。また特図１保留数の上限数および特図２保留数の上限数を設けなくても良い。
【００５６】
また、遊技制御基板１００には、所定の中継基板（図示なし）を介して各種センサ類やソレノイド類が接続されている。そのため、遊技制御基板１００には、各種センサ類が出力した信号が入力する。また、遊技制御基板１００は、各種ソレノイド類に信号を出力する。
【００５７】
遊技制御基板１００に接続されている各種センサ類には、一般入賞口センサ１０ａ、第１始動口センサ１１ａ、第２始動口センサ１２ａ、ゲートセンサ１３ａ、および大入賞口センサ１４ａが含まれている。
【００５８】
一般入賞口センサ１０ａは、一般入賞口１０に入賞した遊技球を検知する。第１始動口センサ１１ａは、第１始動口１１に入賞した遊技球を検知する。第２始動口センサ１２ａは、第２始動口１２に入賞した遊技球を検知する。ゲートセンサ１３ａは、ゲート１３を通過した遊技球を検知する。大入賞口センサ１４ａは、大入賞口１４に入賞した遊技球を検知する。
【００５９】
また、遊技制御基板１００に接続されている各種ソレノイド類には、電チューソレノイド１２ｓ、およびＡＴソレノイド１４ｓが含まれている。電チューソレノイド１２ｓは、電チュー１２Ｄの電チュー開閉部材１２ｋを駆動する。ＡＴソレノイド１４ｓは、大入賞装置１４ＤのＡＴ開閉部材１４ｋを駆動する。
【００６０】
さらに遊技制御基板１００には、表示器類８（特図表示器８１、普図表示器８２、および、特図保留表示器８３）が接続されている。これらの表示器類８の表示制御は、遊技制御用マイコン１０１によりなされる。
【００６１】
また遊技制御基板１００は、払出制御基板１７０に各種コマンドを送信するとともに、払い出し監視のために払出制御基板１７０から信号を受信する。払出制御基板１７０には、カードユニットＣＵ、および払出装置７３が接続されているとともに、発射装置７２が接続されている。また、カードユニットＣＵは、パチンコ遊技機ＰＹ１に隣接して設置され、挿入されているプリペイドカード等の情報に基づいて球貸しを可能にする装置である。
【００６２】
払出制御基板１７０は、遊技制御用マイコン１０１からの信号や、接続されたカードユニットＣＵからの信号に基づいて、払出装置７３の払出モータ７３ｍを駆動して賞球や貸球の払い出しを行う。払い出される賞球や貸球は、その計数のための払出センサ７３ａにより検知される。
【００６３】
また、発射装置７２は遊技球を発射する装置である。ハンドル７２ｋが、発射装置７２に遊技球を発射させるための操作を受け付ける操作部または入力部を構成しており、発射装置７２に含まれる。ハンドル７２ｋには、遊技者などの人のハンドル７２ｋへの接触を検知可能なタッチスイッチ７２ａが設けられている。遊技者によるハンドル７２ｋの操作があった場合には、タッチスイッチ７２ａが遊技者のハンドル７２ｋへの接触を検知し、発射制御回路１７５を介して検知信号を払出制御基板１７０に出力する。
【００６４】
さらに、ハンドル７２ｋには、ハンドル７２ｋの回転角度（操作量）を検出可能な発射ボリュームのつまみ７２ｂが接続されている。発射装置７２は、発射ボリュームのつまみ７２ｂが検出したハンドル７２ｋの回転角度に応じた強さで遊技球が発射されるよう発射モータ７２ｍを駆動させる。なお、パチンコ遊技機ＰＹ１においては、ハンドル７２ｋへの回転操作が維持されている状態では、約０．６秒毎に１球の遊技球が発射されるようになっている。
【００６５】
また遊技制御基板１００は、遊技の進行に応じて、演出制御基板１２０に対し、遊技に関する情報を含んだ各種コマンドを送信する。演出制御基板１２０は、遊技制御基板１００から送られてきた各種コマンドに基づいて、遊技制御基板１００による遊技の進行状況（遊技の制御内容）を把握することができる。なお、遊技制御基板１００と演出制御基板１２０との接続は、遊技制御基板１００から演出制御基板１２０への信号の送信のみが可能な単方向通信接続となっている。すなわち、遊技制御基板１００と演出制御基板１２０との間には、通信方向規制手段としての図示しない単方向性回路（例えばダイオードを用いた回路）が介在している。
【００６６】
図６に示すように、演出制御基板１２０には、プログラムに従ってパチンコ遊技機ＰＹ１の演出を制御する演出制御用ワンチップマイコン（以下「演出制御用マイコン」）１２１が実装されている。演出制御用マイコン１２１には、遊技制御基板１００による遊技の進行に伴って演出を制御するためのプログラム等を記憶した演出用ＲＯＭ１２３、ワークメモリとして使用される演出用ＲＡＭ１２４、演出用ＲＯＭ１２３に記憶されたプログラムを実行する演出用ＣＰＵ１２２が含まれている。
【００６７】
また、演出用ＲＯＭ１２３には、後述するサブ制御メイン処理、受信割り込み処理、１ｍｓタイマ割り込み処理、および、１０ｍｓタイマ割り込み処理などを行うためのプログラムが格納されている。なお、演出用ＲＯＭ１２３は外付けであってもよい。また、演出用ＲＡＭ１２４には、始動入賞コマンドを記憶する始動入賞コマンド保留記憶部１２５が設けられている。
【００６８】
演出制御基板１２０には、画像制御基板１４０が接続されている。演出制御基板１２０の演出制御用マイコン１２１は、遊技制御基板１００から受信したコマンドに基づいて、すなわち、遊技制御基板１００による遊技の進行に応じて、画像制御基板１４０の画像用ＣＰＵ１４１に画像表示装置５０の表示制御を行わせる。なお、演出制御基板１２０と画像制御基板１４０との接続は、演出制御基板１２０から画像制御基板１４０への信号の送信と、画像制御基板１４０から演出制御基板１２０への信号の送信の双方が可能な双方向通信接続となっている。
【００６９】
画像制御基板１４０は、画像制御のためのプログラム等を記憶した画像用ＲＯＭ１４２、ワークメモリとして使用される画像用ＲＡＭ１４３、及び、画像用ＲＯＭ１４２に記憶されたプログラムを実行する画像用ＣＰＵ１４１を備えている。また、画像制御基板１４０は、画像表示装置５０に表示される画像のデータを記憶したＣＧＲＯＭ（Ｃｈａｒａｃｔｅｒ  Ｇｅｎｅｒａｔｏｒ  Ｒｅａｄ  Ｏｎｌｙ  Ｍｅｍｏｒｙ）１４５、ＣＧＲＯＭ１４５に記憶されている画像データの展開等に使用されるＶＲＡＭ（Ｖｉｄｅｏ  Ｒａｎｄｏｍ  Ａｃｃｅｓｓ  Ｍｅｍｏｒｙ）１４６、及び、ＶＤＰ（Ｖｉｄｅｏ  Ｄｉｓｐｌａｙ  Ｐｒｏｃｅｓｓｏｒ）１４４を備えている。勿論、これらの電子部品の全部又は一部がワンチップで構成されていてもよい。ＣＧＲＯＭ１４５には、例えば、画像表示装置５０に表示される画像を表示するための画像データ（静止画データや動画データ、具体的にはキャラクタ、アイテム、図柄、図形、文字、数字および記号等（演出図柄を含む）や背景画像等の画像データ）が格納されている。
【００７０】
ＶＤＰ１４４は、演出制御用マイコン１２１からの指令に基づき画像用ＣＰＵ１４１によって作成されるディスプレイリストに従って、ＣＧＲＯＭ１４５から画像データを読み出してＶＲＡＭ１４６内の展開領域に展開する。そして、展開した画像データを適宜合成してＶＲＡＭ１４６内のフレームバッファに画像を描画する。そしてフレームバッファに描画した画像をＲＧＢ信号として画像表示装置５０に出力する。これにより、種々の演出画像が表示部５０ａに表示される。
【００７１】
なお、ディスプレイリストは、フレーム単位で描画の実行を指示するためのコマンド群で構成されている。ディスプレイリストには、描画する画像の種類、画像を描画する位置、表示の優先順位、表示倍率、画像の透過率等の種々のパラメータの情報が含まれている。
【００７２】
演出制御用マイコン１２１は、遊技制御基板１００から受信したコマンドに基づいて、すなわち、遊技制御基板１００による遊技の進行に応じて、音声制御回路１６１を介してスピーカ５２から音声、楽曲、効果音等を出力する。
【００７３】
スピーカ５２から出力する音声等の音声データは、演出制御基板１２０の演出用ＲＯＭ１２３に格納されている。なお、音声制御回路１６１を、基板にしてＣＰＵを実装してもよい。この場合、そのＣＰＵに音声制御を実行させてもよい。さらにこの場合、基板にＲＯＭを実装し、そのＲＯＭに音声データを格納してもよい。また、スピーカ５２を画像制御基板１４０に接続し、画像制御基板１４０の画像用ＣＰＵ１４１に音声制御を実行させてもよい。さらにこの場合、画像制御基板１４０の画像用ＲＯＭ１４２に音声データを格納してもよい。
【００７４】
また、演出制御基板１２０には、所定の中継基板（図示なし）を介して、入力部となる各種スイッチ類や駆動源となる各種ソレノイド類やモータ類が接続されている。演出制御基板１２０には、各種スイッチ類が出力した信号が入力する。また、演出制御基板１２０は、各種ソレノイド類やモータ類に信号を出力する。
【００７５】
演出制御基板１２０に接続されている各種スイッチ類には、第１演出ボタン検知センサ４０ａ、および第２演出ボタン検知センサ４１ａが含まれている。第１演出ボタン検知センサ４０ａは、第１演出ボタン４０ｋが押下操作されたことを検出する。第２演出ボタン検知センサ４１ａは、第２演出ボタン４１ｋが押下操作されたことを検出する。第１演出ボタン検知センサ４０ａ、および第２演出ボタン検知センサ４１ａは、それぞれが操作されたことを検知すると、その検出内容に応じた信号を演出制御基板１２０に出力する。
【００７６】
演出制御基板１２０に接続された各種モータ類には、回転部材用モータ５５ｍ１、および昇降部材用モータ５５ｍ２が含まれている。回転部材用モータ５５ｍ１は、回転部材５５ｋ１を駆動して、回転部材５５ｋ１を回転させることが可能である。昇降部材用モータ５５ｍ２は、昇降部材５５ｋ２を上昇または下降させることが可能である。詳細には、演出制御用マイコン１２１は、回転部材５５ｋ１や昇降部材５５ｋ２の動作態様を決める動作パターンデータを作成し、サブドライブ基板１６２を介して、回転部材５５ｋ１や昇降部材５５ｋ２の動作を制御する。なお、以下において、「回転部材５５ｋ１や昇降部材５５ｋ２」の動作を「盤可動体５５ｋの動作」を総称することもある。また、回転部材５５ｋ１を回転させることや昇降部材５５ｋ２を下降または上昇させることについて「盤可動体５５ｋを回転させる、または下降もしくは上昇させる」ともいう。
【００７７】
また、演出制御用マイコン１２１は、遊技制御基板１００から受信したコマンドなどに基づいて、サブドライブ基板１６２を介して枠ランプ５３などの点灯制御を行う。詳細には演出制御用マイコン１２１は、枠ランプ５３の発光態様を決める発光パターンデータ（点灯/消灯や発光色等を決めるデータ、ランプデータともいう）を作成し、発光パターンデータに従って枠ランプ５３の発光を制御する。なお、発光パターンデータの作成には演出制御基板１２０の演出用ＲＯＭ１２３に格納されているデータを用いる。
【００７８】
なお、サブドライブ基板１６２を基板にしてＣＰＵを実装してもよい。この場合、そのＣＰＵに、枠ランプ５３等の点灯制御、および、盤可動体５５ｋの動作制御を実行させてもよい。さらにこの場合、基板にＲＯＭを実装して、そのＲＯＭに発光パターンや動作パターンに関するデータを格納してもよい。
【００７９】
３．遊技制御基板１００による遊技の説明
次に、遊技制御基板１００により行われる遊技について説明する。最初に普図に関わる遊技について説明する。遊技制御基板１００は、発射された遊技球がゲート１３に入賞すると、普図の可変表示または補助遊技が行われていないことを条件に、普図抽選を行う。遊技制御基板１００は、普図抽選を行うと、普図表示器８２において、普図の可変表示（変動表示を行った後に停止表示）を行う。ここで、停止表示される普図には、当たり図柄とハズレ図柄とがある。なお、普図のハズレ図柄については、後述する特図のハズレ図柄と区別をするために「ハズレ普図」ともいう。当たり図柄が停止表示されると補助遊技が実行されて、当該ゲート１３への入賞に係る遊技が終了する。一方、ハズレ普図が停止表示されると、補助遊技は行われず、当該ゲート１３への入賞に係る遊技が終了する。また、以下において、普図の可変表示または補助遊技が行われていないときに遊技球がゲート１３に入賞することを「普図変動始動条件の成立」という。
【００８０】
遊技制御基板１００は、このような一連の遊技（普図抽選、普図の可変表示、補助遊技）を行うにあたり、普図変動始動条件の成立により、普図関連判定情報を取得する。取得する普図関連判定情報には、図７（Ａ）に示すように、普通図柄乱数がある。普通図柄乱数は当たり判定を行うための乱数（判定情報）である。普通図柄乱数には、適宜に範囲が設けられている。具体的に、普通図柄乱数の範囲は、０〜６５５３５である。
【００８１】
次に、普図関連判定情報を用いて行われる各判定について説明する。最初に、当たり判定について説明する。当たり判定は、図８（Ａ）に示す当たり判定テーブルを用いて、当たりか否か（補助遊技を実行するか否か）を決定するための判定である。当たり判定テーブルは、後述する遊技状態に関連付けられている。すなわち、当たり判定テーブルには、非時短状態で用いる当たり判定テーブル（非時短用当たり判定テーブル）と、時短状態で用いる当たり判定テーブル（時短用当たり判定テーブル）と、がある。各当たり判定テーブルでは、当たり判定の結果である当たりとハズレに、普通図柄乱数の判定値（普通図柄乱数判定値）が振り分けられている。よって、遊技制御基板１００は、取得した普通図柄乱数を当たり判定テーブルに照合して、当たりかハズレかの当たり判定を行う。当たり判定の結果が当たりであると、基本的には、普図の可変表示で当たり図柄が停止表示される。一方、当たり判定の結果がハズレであると、基本的には、普図の可変表示でハズレ普図が停止表示される。
【００８２】
次に、普図の変動パターン判定（普図変動パターン判定）について説明する。普図変動パターン判定は、図８（Ｂ）に示す普図変動パターン判定テーブルを用いて、普図変動パターンを決定するための判定である。普図変動パターンは、普図変動時間などの普図の変動表示に関する所定事項に関する識別情報である。
【００８３】
普図変動パターン判定テーブルは、遊技状態（非時短状態／時短状態）に関連付けられている。すなわち、普図変動パターン判定テーブルには、非時短状態のときに用いられる普図変動パターン判定テーブル（非時短普図変動パターン判定テーブル）と時短状態のときに用いられる普図変動パターン判定テーブル（時短普図変動パターン判定テーブル）とがある。
【００８４】
各普図変動パターン判定テーブルには、普図変動パターン判定の結果である普図変動パターンが、停止される普通図柄毎に１つ格納されている。すなわち、遊技制御基板１００は、非時短状態においては、ハズレの普通図柄（ハズレ普図）を停止表示する場合の普図変動表示については普図変動時間が３０秒となる普図変動パターンに決定し、当たり図柄を停止表示する場合の普図変動表示については普図変動時間が３０秒となる普図変動パターンに決定する。また、遊技制御基板１００は、時短状態においては、ハズレ普図を停止表示する場合の普図変動表示については普図変動時間が５秒となる普図変動パターンに決定し、当たり図柄を停止表示する場合の普図変動表示については普図変動時間が５秒となる普図変動パターンに決定する。この判定で決定された普図変動パターンに対応付けられた普図変動時間の普図変動表示が、普図表示器８２で行われる。
【００８５】
このように、当たり判定、および、普図変動パターン判定が行われることによって、普図表示器８２において普図の可変表示が行われる。そして、普図の可変表示で、表示結果（普図抽選の結果）として、当たり図柄が停止表示（導出）されると、補助遊技が実行される。
【００８６】
補助遊技を構成する要素（補助遊技構成要素）には、電チュー１２Ｄが開放する回数、および各開放についての開放時間などの様々な要素が含まれている。そして、これらの各要素は、遊技状態（非時短状態／時短状態）に対応付けられている。すなわち、補助遊技構成要素は、各遊技状態（非時短状態／時短状態）に対応付けられた補助遊技制御テーブルに格納されている。遊技制御基板１００は、遊技状態（非時短状態／時短状態）に基づいて、図８（Ｃ）に示す補助遊技制御テーブルを用いて補助遊技を制御する。よって、遊技制御基板１００は、当たり図柄が停止表示されると、遊技状態に応じた補助遊技を実行する。ここで、遊技状態に応じた補助遊技について説明する。
【００８７】
非時短状態における補助遊技では、電チュー１２Ｄが１回開放する。このときの開放時間は０．２秒である。よって、この補助遊技が実行されたときに遊技球を第２始動口１２に入賞させるのは困難である。なお、以下において、非時短状態における補助遊技のことを「ショート開放補助遊技」ともいう
【００８８】
時短状態における補助遊技では、電チュー１２Ｄが２回開放する。１回目の開放時間は２．５秒である。そして、１回目の開放が終了し、一旦電チュー１２Ｄが閉鎖してから１．０秒のインターバル時間を挟んで２回目の開放が行われる。２回目の開放時間は２．５秒である。よって、この補助遊技が実行されたときに遊技球を第２始動口１２に入賞させるのは容易である。なお、以下において、時短状態における補助遊技のことを「ロング開放補助遊技」ともいう。
【００８９】
次に、特図に関わる遊技について説明する。発射された遊技球が第１始動口１１に入賞すると、特図１保留数（Ｕ１）が４未満であることを条件に、特図１抽選を行う。特図１抽選が行われると、特図１表示器８１ａにおいて、特図１の可変表示（変動表示を行った後に停止表示）を行って、特図１抽選の結果を報知する。ここで、停止表示される特図１には、大当たり図柄およびハズレ図柄がある。すなわち、特図１抽選の結果には大当たり、およびハズレがある。大当たり図柄が停止表示されると大当たり遊技が実行され、新たな遊技状態が設定されて、当該入賞に基づく遊技が終了する。一方、ハズレ図柄が停止表示されると、大当たり遊技が行われず、当該入賞に基づく遊技が終了する。
【００９０】
同様に、発射された遊技球が第２始動口１２に入賞すると、特図２保留数（Ｕ２）が４未満であることを条件に、特図２抽選を行う。特図２抽選が行われると、特図２表示器８１ｂにおいて、特図２の可変表示（変動表示を行った後に停止表示）を行って、特図２抽選の結果を報知する。ここで、停止表示される特図２には、大当たり図柄、およびハズレ図柄がある。すなわち、特図２抽選の結果には、大当たり、およびハズレがある。大当たり図柄が停止表示されると大当たり遊技が実行され、新たな遊技状態が設定されて、当該入賞に基づく遊技が終了する。一方、ハズレ図柄が停止表示されると大当たり遊技が行われず、当該入賞に基づく遊技が終了する。
【００９１】
なお、以下において、特図１保留数（Ｕ１）が４未満であるときに遊技球が第１始動口１１に入賞することを「第１始動条件の成立」といい、特図２保留数（Ｕ２）が４未満であるときに遊技球が第２始動口１２に入賞することを「第２始動条件の成立」という。また、「第１始動条件の成立」と「第２始動条件の成立」をまとめて「始動条件の成立」と総称する。また、特別図柄のハズレ図柄については、前述の普通図柄のハズレ図柄と区別するために「ハズレ特図」ともいう。
【００９２】
遊技制御基板１００は、このような一連の遊技（特図抽選、特図の可変表示、大当たり遊技、遊技状態の設定）を行うにあたり、始動条件の成立により、特図関連判定情報を取得し、当該特図関連判定情報について種々の判定を行う。取得する特図関連判定情報には、図７（Ｂ）に示すように、特別図柄乱数、大当たり図柄種別乱数、リーチ乱数および特図変動パターン乱数がある。
【００９３】
特別図柄乱数は大当たり判定を行うための乱数（判定情報）である。大当たり図柄種別乱数は大当たり図柄種別判定を行うための乱数（判定情報）である。リーチ乱数はリーチ判定を行うための乱数（判定情報）である。特図変動パターン乱数は特別図柄の変動パターン判定を行うための乱数（判定情報）である。各乱数には、適宜に範囲が設けられている。具体的に、特別図柄乱数の範囲は、０〜６５５３５である。大当たり図柄種別乱数の範囲は、０〜９である。リーチ乱数の範囲は、０〜９９である。特図変動パターン乱数の範囲は、０〜９９である。なお、各種乱数の範囲は、これらに限られず適宜に設定することができる。
【００９４】
次に、特図関連判定情報を用いて行われる各判定について説明する。最初に、大当たり判定について説明する。大当たり判定は、図９（Ａ）に示す大当たり判定テーブルを用いて、大当たりか否か（大当たり遊技を実行するか否か）を決定するための判定である。大当たり判定テーブルは、遊技状態、詳細には、後述する通常確率状態であるか高確率状態であるかに関連付けられている。すなわち、大当たり判定テーブルには、通常確率状態において用いられる大当たり判定テーブル（通常確率用大当たり判定テーブル）と高確率状態において用いられる大当たり判定テーブル（高確率用大当たり判定テーブル）とがある。
【００９５】
各大当たり判定テーブルでは、大当たり判定の結果である大当たり、およびハズレに、特別図柄乱数の判定値（特別図柄乱数判定値）が振り分けられている。遊技制御基板１００は、取得した特別図柄乱数を大当たり判定テーブルに照合して、大当たり、またはハズレの何れであるかを判定する。図９（Ａ）に示すように、高確率用大当たり判定テーブルの方が、通常確率用大当たり判定テーブルよりも、大当たりと判定される特別図柄乱数判定値が多く設定されている。
【００９６】
次に、大当たり図柄種別判定について説明する。大当たり図柄種別判定は、大当たり判定の結果が大当たりである場合に、図９（Ｂ）に示す大当たり図柄種別判定テーブルを用いて大当たり図柄の種別（大当たり図柄種別）を決定するための判定である。大当たり図柄の種別には、大当たりの内容、換言すれば、遊技者に付与される遊技特典（通常よりも遊技者に有利になる有利遊技状態の内容）などで構成される大当たりの構成要素が対応付けられている。
【００９７】
大当たり図柄種別判定テーブルは、可変表示される特別図柄の種別（特図１／特図２）、言い換えれば、当該大当たり図柄種別判定が起因する（当該大当たり図柄種別判定を発生させた）入賞が行われた始動口の種別（第１始動口１１／第２始動口１２）に関連付けられている。すなわち、大当たり図柄種別判定テーブルには、特図１の可変表示を行うときに用いられる大当たり図柄種別判定テーブル（第１大当たり図柄種別判定テーブル）と特図２の可変表示を行うときに用いられる大当たり図柄種別判定テーブル（第２大当たり図柄種別判定テーブル）とがある。
【００９８】
各大当たり図柄種別判定テーブルでは、大当たり図柄種別判定の結果である大当たり図柄種別に、大当たり図柄種別乱数の判定値（大当たり図柄種別乱数判定値）が振り分けられている。よって、遊技制御基板１００は、取得した大当たり図柄種別乱数を大当たり図柄種別判定テーブルに照合して、大当たり図柄の種別を判定する。
【００９９】
第１始動口１１に入賞した場合の（特図１に係る）大当たり図柄として、大当たり図柄Ａ、大当たり図柄Ｂ、および大当たり図柄Ｃの３種類の大当たり図柄が設けられている。一方、第２始動口１２に入賞した場合の（特図２に係る）大当たり図柄として、大当たり図柄Ｄ、大当たり図柄Ｅ、および大当たり図柄Ｆの３種類の大当たり図柄が設けられている。そして、第１大当たり図柄種別判定テーブルおよび第２大当たり図柄種別判定テーブルでは、大当たり図柄種別乱数判定値が各種大当たり図柄に適宜に振り分けられている。
【０１００】
なお、大当たりの当選確率および大当たり図柄種別の振分率（％）は図９（Ａ）および図９（Ｂ）に限られず、適宜に設定することができる。また、大当たり図柄の種別は、図９（Ｂ）に示す６種類の大当たり図柄に限らず、適宜に設定することができる。例えば、第１大当たり図柄種別判定テーブルにおいて、３種類より多い又は少ない種類の大当たり図柄が大当たり図柄種別乱数判定値に対応付けられていても良い。また、第２大当たり図柄種別判定テーブルにおいて、３種類より多い又は少ない大当たり図柄が大当たり図柄種別乱数判定値に対応付けられていても良い。
【０１０１】
次に、リーチ判定について説明する。リーチ判定は、大当たり判定の結果がハズレである場合に、図９（Ｃ）に示すリーチ判定テーブルを用いてリーチを発生させるか否かを決定するための判定である。ここで、リーチについて説明するために、リーチの前提となる特図変動演出について説明する。
【０１０２】
特図の可変表示が行われると、当該特図の可変表示に応じて、特図変動演出が行われる。特図変動演出は、画像表示装置５０、スピーカ５２、枠ランプ５３、および盤可動装置５５などの様々な演出装置を用いて行われる。特図変動演出では、画像表示装置５０の表示部５０ａにおいて、当該特図の可変表示に同期または略同期した演出図柄の可変表示が行われる。すなわち、特図の変動表示に伴って演出図柄の変動表示が行われ、特図の変動停止（停止表示）に伴って、演出図柄の変動停止（停止表示）が行われる。なお、演出図柄の可変表示が行われているときには、表示部５０ａで行われる特図変動演出として、背景画像やキャラクタ画像などの演出図柄とは異なる演出画像（静止画や動画）の表示が行われる。
【０１０３】
演出図柄は、例えば、表示部５０ａにおいて、相対的に左側に表示される左演出図柄ＥＺ１と、相対的に真ん中に表示される中演出図柄ＥＺ２と、相対的に右側に表示される右演出図柄ＥＺ３とで構成される（図２７など参照）。なお、以下において、左演出図柄ＥＺ１、中演出図柄ＥＺ２および右演出図柄ＥＺ３を総称する場合に「演出図柄ＥＺ１〜ＥＺ３」という場合もある。
【０１０４】
演出図柄ＥＺ１〜ＥＺ３はそれぞれ、遊技者が識別可能な複数の識別情報で構成される。第１実施形態では、演出図柄ＥＺ１〜ＥＺ３は主に「１」〜「９」までの数字を含む図柄で構成される。そして、演出図柄ＥＺ１〜ＥＺ３の変動表示においては、演出図柄ＥＺ１〜ＥＺ３を構成する数字を含む図柄群が、正面視で上下方向に並んで表示部５０ａの上から下にスクロールする。このとき、表示部５０ａに表示され、視認される数字が次々に入れ替わる。
【０１０５】
なお、演出図柄ＥＺ１〜ＥＺ３の変動表示の態様としては、上下方向にスクロールする態様に限られず、左右方向（例えば、右から左）にスクロールする態様など他の態様であってもよい。また、スクロール表示ではなく所定の定位置で演出図柄ＥＺ１〜ＥＺ３を構成する数字を含む図柄群が次々に入れ替わる（例えば、その定位置で自転する）態様であってもよい。
【０１０６】
そして、特図が停止表示されるときに、演出図柄ＥＺ１〜ＥＺ３が所定の配列（組み合わせ）で停止表示される。すなわち、変動表示において表示部５０ａ内で次々に入れ替わっていた様々な数字を含む演出図柄ＥＺ１〜ＥＺ３が１つに特定される。このとき、停止表示した演出図柄ＥＺ１〜ＥＺ３の組み合わせによって、特図表示器８１にて停止表示される特図、すなわち特図抽選の結果が、わかりやすく表示される。つまり遊技者は、一般的には特図抽選の結果を特図１表示器８１ａや特図２表示器８１ｂにより把握するのではなく、画像表示装置５０の表示部５０ａにて把握する。
【０１０７】
そして、リーチとは、特図変動演出において、演出図柄ＥＺ１〜ＥＺ３を用いて遊技者に大当たりを期待させるための演出である。具体的に、リーチは、演出図柄ＥＺ１〜ＥＺ３のうちでスクロール表示されている演出図柄が残り一つとなっている状態であって、スクロール表示されている演出図柄がどの図柄で停止表示されるか次第で大当たり当選を示す演出図柄の組み合わせとなる状態（例えば「５↓５」の状態）のことである（図２７（Ｄ）や図２８（Ａ）参照）。
【０１０８】
なお、リーチにおいてスクロール表示されていない演出図柄は、表示部５０ａ内の所定位置で仮停止している。仮停止とは、所定の演出図柄が略所定位置で留まり（所定の演出図柄が表示部５０ａ内に表示され続け）、すなわち、異なる演出図柄に入れ替わることはないものの、微小な変動（例えば、多少の上下方向の往復運動の繰り返し、また、多少の揺動の繰り返し、また、拡大と縮小の繰り返しなど）のことである。なお、仮停止の態様はこれらに限られず、適宜に設定しても良い。
【０１０９】
ここで、リーチ判定テーブルの説明に戻す。リーチ判定テーブルは、遊技状態（非時短状態／時短状態）に関連付けられている。すなわち、リーチ判定テーブルには、非時短状態のときに用いられるリーチ判定テーブル（非時短用リーチ判定テーブル）と時短状態のときに用いられるリーチ判定テーブル（時短用リーチ判定テーブル）とがある。
【０１１０】
非時短状態と時短状態についての詳細は後述するが、非時短状態と時短状態は、特別図柄の変動表示に要する時間（特図変動表示の開始時から表示結果の導出時までの時間：特図変動時間）に影響を及ぼす遊技状態であり、時短状態では、非時短状態よりも特図変動時間が短くなり易い。
【０１１１】
各リーチ判定テーブルでは、リーチ判定の結果である「リーチ有り（リーチを発生させる）」と「リーチ無し（リーチを発生させない）」に、リーチ乱数の判定値（リーチ乱数判定値）が振り分けられている。よって、遊技制御基板１００は、取得したリーチ乱数をリーチ判定テーブルに照合して、リーチ有りかリーチ無しか（リーチを発生させる否か）を判定する。図９（Ｃ）に示すように、非時短用リーチ判定テーブルの方が、時短用リーチ判定テーブルよりも、「リーチ有り（リーチを発生させる）」と判定されるリーチ乱数判定値が多く振り分けられている。
【０１１２】
リーチ判定の結果が「リーチ有り（リーチを発生させる）」であると、大抵の場合は特図変動演出でリーチが発生する。一方、リーチ判定の結果が「リーチ無し（リーチを発生させない）」であると、特図変動演出でリーチが発生しない。なお、以下において、大当たり判定の結果が「ハズレ」であることを前提に行われるリーチ判定の結果「リーチ有り（リーチを発生させる）」のことを「リーチ有りハズレ」といい、「リーチ無し（リーチを発生させない）」のことを「リーチ無しハズレ」ということもある。また、後述するように、時短状態においてリーチ有りと判定されても、特図変動演出でリーチが発生しない場合もある。
【０１１３】
次に、特別図柄変動パターン判定について説明する。特別図柄変動パターン判定（特図変動パターン判定）は、大当たり判定の結果が大当たり、およびハズレの何れの場合にも、図１０〜図１１に示す特別図柄の変動パターン判定テーブル（特図変動パターン判定テーブル）を用いて、特別図柄の変動表示の変動パターン（特図変動パターン）を決定するための判定である。
【０１１４】
特図変動パターンとは、特図変動時間や特図変動演出の演出フロー（演出内容）などに関する所定事項を識別するための識別情報である。なお、特図変動パターンには、特図変動時間や特図変動演出の演出フロー（演出内容）の他、大当たり判定の結果とリーチ判定の結果に関する情報も含まれている。
【０１１５】
特図変動パターン判定テーブルは、判定対象となる変動表示を行う特別図柄の種別（特図１／特図２）、言い換えれば、当該特図変動パターン判定が起因する入賞が行われた始動口の種別（第１始動口１１／第２始動口１２）に関連付けられている。すなわち、特図変動パターン判定テーブルは、特図１の変動表示を行うときに用いられる特図変動パターン判定テーブル（特図１変動パターン判定テーブル：図１０）と、特図２の変動表示を行うときに用いられる特図変動パターン判定テーブル（特図２変動パターン判定テーブル：図１１）とに大別される。
【０１１６】
そして、特別図柄の種別に関連付けられた各特図変動パターン判定テーブルは、遊技状態（非時短状態／時短状態）にも関連付けられている。すなわち、特図１変動パターン判定テーブルには、非時短状態のときに用いられる特図１変動パターン判定テーブル（非時短用特図１変動パターン判定テーブル）と時短状態のときに用いられる特図１変動パターン判定テーブル（時短用特図１変動パターン判定テーブル）とがある。一方、特図２変動パターン判定テーブルについても同様に、非時短状態のときに用いられる特図２変動パターン判定テーブル（非時短用特図２変動パターン判定テーブル）と、時短状態のときに用いられる特図２変動パターン判定テーブル（時短用特図２変動パターン判定テーブル）と、がある。
【０１１７】
また、時短遊技状態に関連付けられた各特図変動パターン判定テーブルは、その時短遊技状態を発生させた大当たり図柄にも関連付けられている。すなわち、時短用特図１変動パターン判定テーブルには、大当たり図柄Ａ、Ｄの停止表示により発生した時短状態のときに用いられる第１特図変動パターン判定テーブル（第１特図１変動パターン判定テーブル）と、大当たり図柄Ｂ、Ｃ、Ｅ、Ｆの停止表示により発生した時短状態のときに用いられる第１特図変動パターン判定テーブル（第２特図１変動パターン判定テーブル）と、がある。一方、時短用特図２変動パターン判定テーブルには、大当たり図柄Ａ、Ｄの停止表示により発生した時短状態のときに用いられる第２特図変動パターン判定テーブル（第１特図２変動パターン判定テーブル）と、大当たり図柄Ｂ、Ｃ、Ｅ、Ｆの停止表示により発生した時短状態のときに用いられる第２特図変動パターン判定テーブル（第２特図２変動パターン判定テーブル）と、がある。
【０１１８】
また、遊技状態（非時短状態／時短状態）に関連付けられた各特図変動パターン判定テーブルは、さらに、大当たり判定結果およびリーチ判定結果にも関連付けられている。すなわち、非時短用特図１変動パターン判定テーブルおよび非時短用特図２変動パターン判定テーブルにはそれぞれ、大当たり用、リーチ有りハズレ用、およびリーチ無しハズレ用がある。同様に、第１特図１変動パターン判定テーブル、第２特図１変動パターン判定テーブル、第１特図２変動パターン判定テーブル、および第２特図２変動パターン判定テーブルにもそれぞれ、大当たり用、リーチ有りハズレ用、およびリーチ無しハズレ用がある。
【０１１９】
さらに、各リーチ無しハズレ用の非時短用特図１変動パターン判定テーブルは、特図保留数にも関連付けられている。具体的には、特図１保留数（Ｕ１）が０〜２のときに用いられるリーチ無しハズレ用の非時短用特図１変動パターン判定テーブルと、特図１保留数（Ｕ１）が３〜４のときに用いられる非時短用リーチ無しハズレ用の特図１変動パターン判定テーブルと、がある。また、リーチ無しハズレ用の非時短用特図２変動パターン判定テーブルは、特図保留数にも関連付けられている。具体的には、特図２保留数（Ｕ２）が０〜２のときに用いられるリーチ無しハズレ用の非時短用特図２変動パターン判定テーブルと、特図２保留数（Ｕ２）が３〜４のときに用いられるリーチ無しハズレ用の非時短用特図２変動パターン判定テーブルと、がある。
【０１２０】
以上のように特別図柄の種別や遊技状態などに関連付けられた各特図変動パターン判定テーブルでは、特図変動パターン判定の結果である特図変動パターンに、特図変動パターン乱数の判定値（特図変動パターン乱数判定値）が振り分けられている。よって、遊技制御基板１００は、取得した特図変動パターン乱数を特図変動パターン判定テーブルに照合して、特図変動パターンを判定する。そして、この判定で決定された特図変動パターンに応じた特図変動時間の特別図柄の変動表示が、特図表示器８１で行われる。
【０１２１】
そして、特別図柄の変動表示が行われているときに、特図変動パターンに基づいた特図変動演出が行われる。特図変動演出には、通常の通常特図変動演出と、通常特図変動演出よりも演出時間が長く、通常特図変動演出よりも大当たり期待度が高い特別特図変動演出とがある。
【０１２２】
また、特図変動パターンには、特図変動時間に基づいた特図変動演出の演出内容を構成する演出フローに関する情報が含まれている。この特図変動演出の演出フローは、図１０〜図１１に示す特図変動パターン判定テーブルの右から３番目の項目に示している。ここで、特図変動パターンに関連づけられた特図変動演出の演出フローを構成する各演出について説明する。
【０１２３】
特図変動演出の演出フローを構成する演出として、通常変動、リーチ、ノーマルリーチ（Ｎリーチ）、ロングリーチ（Ｌリーチ）、スペシャルリーチ（ＳＰリーチ）、突然示唆演出、がある。
【０１２４】
通常変動は、基本的には、演出図柄が特別態様になることなく、１つ１つの演出図柄を認識困難な程度に高速で変動表示する演出のことである。そして、通常特図変動演出の全部分（演出図柄の変動開始から変動停止までの部分）、および、特別特図変動演出におけるリーチが成立（確定）するまでの部分が通常変動で構成されている。
【０１２５】
Ｎリーチは、通常変動を経てリーチが成立（確定）した直後に、当該リーチを構成する演出図柄が仮停止したその位置で所定時間（例えば、１０秒）維持された状態で、残り１つの演出図柄が減速していき、通常変動より低速で変動する演出である。Ｎリーチが示唆する大当たりの期待度は、通常変動より高く、後述するＬリーチおよびＳＰリーチよりも低い。Ｎリーチで特図変動演出が終了する場合、その低速で変動する残りの１つの演出図柄が停止する。ハズレの場合、残りの１つの演出図柄は、リーチを構成する演出図柄とは異なる演出図柄で停止する。Ｎリーチで特図変動演出が終了しない場合、残りの１つの演出図柄が再び高速で変動し、リーチが維持されたままＮリーチからＬリーチまたはＳＰリーチに発展する（切り替わる）。
【０１２６】
Ｌリーチでも、成立したリーチが維持されるが、当該リーチを構成する演出図柄が縮小されると共に所定位置（例えば、左演出図柄ＥＺ１は表示部５０ａの左上で、右演出図柄ＥＺ３は表示部５０ａの右上）に移動した状態で、Ｌリーチ専用の背景画像に切り替わり（Ｌリーチ専用の映像が流され）。ＬリーチはＮリーチよりも長い時間行われる。なお、Ｌリーチでは、主に表示部５０ａにおいて２ＤＣＧによるアニメーション画像が表示される。Ｌリーチの演出内容としては、主人公キャラクタが必殺技を習得するために特訓を行うシーンが表示される（特訓する映像が表示部５０ａで流れる）。
【０１２７】
ＳＰリーチでも、成立したリーチが維持されるが、当該リーチを構成する演出図柄が縮小されると共に所定位置（例えば、左演出図柄ＥＺ１は表示部５０ａの左上で、右演出図柄ＥＺ３は表示部５０ａの右上）に移動した状態で、Ｌリーチ用の背景画像よりも長い時間の専用の背景画像に切り替わる（ＳＰリーチ専用の映像が流れる）。ＳＰリーチはＬリーチよりも長い時間行われる。なお、ＳＰリーチでは、主に表示部５０ａにおいて３ＤＣＧ画像が表示される。そして、ＳＰリーチの演出内容としては、主人公キャラクタが所属するＡチームと、主人公キャラクタのライバルが所属するＢチームとが試合を行うシーンが表示される（試合する映像が表示部５０ａで流れる）。
【０１２８】
なお、Ｎリーチ、Ｌリーチ、およびＳＰリーチにおける「リーチが維持された状態」には、当該Ｎリーチ、Ｌリーチ、およびＳＰリーチにおいてずっとリーチを構成する演出図柄が表示部５０ａで視認可能である状態だけではなく、例えば、専用の背景画像との関係で所定期間、当該リーチを構成する演出図柄が表示部５０ａから視認困難または視認不可能な状態も含むものとする。
【０１２９】
また、第１突然示唆演出、および第２突然示唆演出は、通常変動から突然、発展的に切り替わって実行される演出であり、大当たりを示唆する。なお、第１突然示唆演出、および第２突然示唆演出においてリーチは成立しない。第１突然示唆演出、および第２突然示唆演出の詳細は後述する。
【０１３０】
また、図１０〜図１１の表の右から２番目の欄に示すように、特図（大当たり判定結果）および特図変動演出の演出内容に関する情報を含む特図変動パターンについて、特図（大当たり判定結果）および特図変動演出の演出内容などに関連付けて名称を付すこととする。
【０１３１】
例えば、ハズレに係る特図変動パターン全般のことを「ハズレ変動」ともいい、大当たりに係る特図変動パターン全般のことを「大当たり変動」ともいう。また、リーチ有りハズレに係るハズレ変動のことを「リーチ有りハズレ変動」ともいい、リーチ無しハズレに係るハズレ変動のことを「リーチ無しハズレ変動」ともいう。また、大当たりおよびハズレに関係なくＳＰリーチが行われる特図変動パターンのことを「ＳＰリーチ変動」ともいう。さらに、大当たりおよびハズレに関係なくＬリーチが行われる特図変動パターンのことを「Ｌリーチ変動」ともいう。
【０１３２】
また、非時短状態で選択可能な通常Ａハズレ変動〜通常Ｃハズレ変動に係る特図変動演出の演出フローはともに通常変動のみで構成されているが、その特図変動パターンの特図変動時間が１３秒、８秒と４秒とで異なっている。同様に、時短状態で選択可能な短縮Ａハズレ変動と短縮Ｂハズレ変動に係る特図変動演出の演出フローもともに通常変動のみで構成されているが、その特図変動パターンの特図変動時間が６秒と３秒とで異なっている。
【０１３３】
以上のように、大当たり判定、大当たり図柄種別判定、リーチ判定、および特図変動パターン判定が行われることによって、特図表示器８１において特図の可変表示が行われる。
【０１３４】
そして、特図の可変表示で、表示結果（特別図柄抽選の結果）として、大当たり図柄が停止表示されると、次の特図の可変表示が行われず、引き続いて、大当たり遊技が実行される。次に、大当たり遊技について説明する。
【０１３５】
大当たり遊技は、大入賞口１４の開閉を伴う複数回のラウンド遊技と、大当たり遊技が開始してから初回のラウンド遊技が開始されるまでのオープニング（ＯＰとも表記する）と、最終回のラウンド遊技が終了してから大当たり遊技が終了するまでのエンディング（ＥＤとも表記する）とを含んでいる。
【０１３６】
各ラウンド遊技は、オープニングの終了又は前のラウンド遊技の終了によって開始し、次のラウンド遊技の開始又はエンディングの開始によって終了する。なお、以下において、所定回数目（所定の順番）のラウンド遊技を、単に「ラウンド」という。例えば、初回（１回目）のラウンド遊技のことを「１ラウンド（１Ｒ）」ともいい、１０回目のラウンド遊技のことを「１０ラウンド（１０Ｒ）」ともいう。
【０１３７】
このような大当たり遊技を構成する要素（大当たり遊技構成要素）には、ラウンド遊技の回数、各回のラウンド遊技における大入賞口１４の開放回数、各開放が行われる大入賞口の種別および開放時間（開放パターン）、次回の開放まで閉鎖させる時間（閉鎖時間）、オープニングの時間（オープニング時間）、およびエンディングの時間（エンディング時間）などが含まれている。
【０１３８】
そして、これらの各要素は、大当たり遊技制御テーブルに格納されている。図１２（Ａ）に示すように、大当たり遊技制御テーブルは、大当たり図柄の種別に対応付けられている。遊技制御基板１００は、停止表示された大当たり図柄の種別に対応付けられた大当たり遊技制御テーブルを用いて大当たり遊技を制御する。すなわち、遊技制御基板１００は、大当たり図柄が停止表示されると、停止表示された大当たり図柄の種別に応じた大当たり遊技を実行する。ここで、大当たり図柄の種別に応じた大当たり遊技について説明する。
【０１３９】
大当たり図柄Ａに応じた大当たり遊技では、ラウンド遊技が８回行われる。そして、１Ｒから８Ｒまでの各ラウンド遊技では、１回のラウンド遊技当たり最大で２９．５秒にわたって大入賞口１４が開放する。なお、以下において、大当たり図柄Ａに応じた大当たり遊技を「第１大当たり遊技」という。
【０１４０】
大当たり図柄Ｂ、および大当たり図柄Ｃに応じた大当たり遊技では、ラウンド遊技が４回行われる。そして、１Ｒから４Ｒまでの各ラウンド遊技では、１回のラウンド遊技当たり最大で２９．５秒にわたって大入賞口１４が開放する。なお、以下において、大当たり図柄Ｂ、Ｃに応じた大当たり遊技を「第２大当たり遊技」という。
【０１４１】
大当たり図柄Ｄ〜大当たり図柄Ｆに応じた大当たり遊技では、ラウンド遊技が１６回行われる。そして、１Ｒから１６Ｒまでの各ラウンド遊技では、１回のラウンド遊技当たり最大で２９．５秒にわたって大入賞口１４が開放する。なお、以下において、大当たり図柄Ｄ〜Ｆに応じた大当たり遊技を「第３大当たり遊技」という。
【０１４２】
そして、遊技制御基板１００は、大当たり遊技の終了に伴って、当該大当たり遊技後の遊技状態を新たに設定する。新たに設定される遊技状態は、終了する大当たり遊技に係る大当たり図柄に対応付けられている。
【０１４３】
ここで、パチンコ遊技機ＰＹ１の遊技状態について説明する。パチンコ遊技機ＰＹ１の遊技状態として、大当たり判定において「大当たり」と判定される確率に係る遊技状態と、特図変動時間および第２始動口１２の開放の容易性に係る遊技状態とがある。前者には、通常確率状態と高確率状態とがある。一方、後者には、非時短状態と時短状態とがある。
【０１４４】
通常確率状態は、大当たり判定で大当たりと判定される確率が通常の確率である遊技状態である。一方、高確率状態は大当たり判定で大当たりと判定される確率が通常確率より高い高確率である遊技状態である。なお、パチンコ遊技機ＰＹ１で初めて電源投入されたときには通常確率状態が設定される。
【０１４５】
次に、非時短状態と時短状態について説明する。時短状態は、非時短状態に比べて、特図変動時間が短くなり易い遊技状態である。前述のように、時短状態では、非時短状態に比べて特図変動時間の短い特図変動パターンが選択され易いように設定された特図変動パターン判定テーブルを用いて、特図変動パターン判定が行われる。その結果、時短状態では、非時短状態に比べて特図保留の消化のペースが速くなり、始動口１１、１２への有効な入賞（特図保留として記憶され得る入賞）が発生しやすくなる。そのため、スムーズな遊技の進行のもとで大当たりを狙うことができる。
【０１４６】
また、時短状態は、非時短状態に比べて、普図変動時間が短くなり易い遊技状態でもある。第１実施形態では、普図変動時間は、遊技状態に関連付けられた普図変動パターン判定テーブルに基づいて決定される。具体的に、普図変動時間は、非時短状態においては３０．０秒に決定され、時短状態においては５．０秒に決定される。よって、時短状態の方が、単位時間当たりにおける普図抽選の実行回数が多くなる。
【０１４７】
さらに、時短状態は、非時短状態に比べて、１回の補助遊技における電チュー１２Ｄの開放時間が長くなり易い遊技状態でもある。これは、非時短状態では、１回の補助遊技で電チュー１２Ｄが０．２秒開放するのに対し、時短状態では、１回の補助遊技で電チュー１２Ｄが合計で５．０秒開放するからである。
【０１４８】
加えて、時短状態は、非時短状態に比べて、当たり判定で当たりと判定され易い遊技状態でもある。これは、非時短状態では、当たり判定において６６００／６６５３６の確率で当たりと判定されるのに対し、時短状態では、当たり判定において５９９３６／６６５３６の確率で当たりと判定されるからである。
【０１４９】
以上のことから、時短状態では、非時短状態に比べて、単位時間当たりの電チュー１２Ｄの開放時間が長くなるので、第２始動口１２への入賞がし易くなる。よって、発射球数に対する賞球数の割合であるベースが高くなる。そのため、ベースの高い時短状態では、所持する遊技球を大きく減らすことなく大当たり当選を狙うことができる。なお、パチンコ遊技機ＰＹ１で初めて電源投入されたときには非時短状態が設定される。
【０１５０】
なお、時短状態では、非時短状態に比べて、当たりに当選し易いこと、普図変動時間が短くなり易いこと、および１回の補助遊技における電チュー１２Ｄの開放時間が長くなり易いことからなる普図に係る遊技についての３つの点で、遊技者に有利に設定されるが、この遊技者に有利に設定される点はこれらの中の任意の一部であってもよい。最終的に、時短状態では、非時短状態に比べて、単位時間当たりの電チュー１２Ｄの開放時間が長くなり、第２始動口１２への入賞がし易くなればよい。
【０１５１】
また、パチンコ遊技機ＰＹ１で初めて電源投入された後の遊技状態は、通常確率状態且つ非時短状態であるが、この遊技状態を「通常遊技状態」ともいう。大当たり遊技中は、遊技状態が通常遊技状態に設定される。すなわち、大当たり遊技の開始に伴って、遊技状態がリセットされて、通常遊技状態が設定される。
【０１５２】
ここで、大当たり遊技後の遊技状態についての説明に戻す。前述の通り、新たに設定される遊技状態は、終了する大当たり遊技に係る大当たり図柄に対応付けられている。具体的には、大当たり図柄Ａ、大当たり図柄Ｂ、大当たり図柄Ｄ、または大当たり図柄Ｅに対応付けられた新たな遊技状態は、高確率状態且つ時短状態である。すなわち、大当たり図柄Ａ、大当たり図柄Ｂ、大当たり図柄Ｄ、または大当たり図柄Ｅが停止表示すると、大当たり遊技の後は、高確率状態且つ時短状態で遊技が進行する。一方、大当たり図柄Ｃ、および大当たり図柄Ｆに対応付けられた新たな遊技状態は、通常確率状態且つ時短状態である。すなわち、大当たり図柄Ｃ、または大当たり図柄Ｆが停止表示すると、大当たり遊技の後は、通常確率状態且つ時短状態で遊技が進行する。
【０１５３】
なお、以下において、高確率状態且つ時短状態のことを「確変遊技状態」ともいう。一方、通常確率状態且つ時短状態のことを「時短遊技状態」ともいう。
【０１５４】
このように、大当たり当選に伴って、大当たり遊技後は新たな遊技状態にて遊技が進行するが、通常遊技状態に比べて遊技者に有利になる新たな遊技状態の期間は規定されている。具体的には、遊技者に有利な新たな遊技状態が設定されて、大当たりに当選することなく特図の可変表示が所定の規定回数、実行されると、遊技者に有利な遊技状態が終了する。この規定回数は、大当たり図柄の種別と、遊技状態の種別とに関連付けられている。
【０１５５】
大当たり図柄Ａ、大当たり図柄Ｂ、および大当たり図柄Ｄで高確率状態が設定される場合の規定回数は１６０回に設定されている。また、大当たり図柄Ａ、大当たり図柄Ｂ、大当たり図柄Ｄ、および大当たり図柄Ｅで時短状態が設定される場合の規定回数は１６０回に設定されている。さらに、大当たり図柄Ｃ、および大当たり図柄Ｆで時短状態が設定される場合の規定回数は１００回に設定されている。
【０１５６】
そして、高確率状態が設定されて大当たり当選されることなく規定回数の特図の可変表示が実行されると、高確率状態が終了して通常確率状態に移行する。また、時短状態が設定されて大当たり当選されることなく規定回数の特図の可変表示が実行されると、時短状態が終了して非時短状態に移行する。よって、遊技者に有利な高確率状態や時短状態が設定されて、大当たりに当選することなく高確率規定回数や時短規定回数の特図可変表示が実行されることは、遊技者に有利な高確率状態や時短状態が終了するための終了条件ということができる。
【０１５７】
なお、以下において、高確率状態に対する規定回数を「高確率規定回数」という。また、時短状態に対する規定回数を「時短規定回数」という。また、大当たり図柄Ｃ、および大当たり図柄Ｅに係る大当たり遊技後に通常確率状態で遊技が進行するが、この遊技状態についての規定回数は設定されていない。
【０１５８】
このように、大当たり図柄に応じて新たな遊技状態および規定回数が対応付けられている。遊技制御基板１００は、図１２（Ｂ）に示す遊技状態設定テーブルに基づいて、大当たり遊技後の新たな遊技状態、並びに高確率規定回数、および時短規定回数を設定する。
【０１５９】
以上のように、大当たりに当選すると、大当たり図柄の種別に応じた大当たり遊技が実行され、大当たり図柄の種別に応じた遊技状態および規定回数が設定される。大当たり遊技の種別、遊技状態の種別および規定回数は、遊技者の遊技利益となるので、大当たり図柄の種別は、遊技者に付与する遊技利益を表しているということができる。ここで、特図１抽選に係る大当たり図柄Ａ、大当たり図柄Ｂ、および大当たり図柄Ｃに係る遊技利益と、特図２抽選に係る大当たり図柄Ｄ、大当たり図柄Ｅ、および大当たり図柄Ｆに係る遊技利益とを比べると、大当たり遊技に係る出玉性能の点から特図２抽選の方が遊技者に有利といえる。
【０１６０】
また、大当たりの遊技利益に着目し、大当たり遊技後に高確率状態で遊技が進行させる大当たりのことを「高確率大当たり」ともいう。さらに、大当たり遊技後に高確率状態且つ時短状態で遊技が進行させる大当たりのことを「確変大当たり」ともいう。加えて、大当たり遊技後に通常確率状態且つ時短状態で遊技が進行させる大当たりのことを「時短大当たり」ともいう。
【０１６１】
ところで、遊技制御基板１００は、遊技球が始動口１１、１２に入賞して、特図関連判定情報を取得すると、一旦、遊技用ＲＡＭ１０４の特図保留記憶部１０５とは異なる領域（例えば、バッファ）に記憶し、当該特図関連判定情報に基づいて始動入賞コマンドを特定して演出制御基板１２０に送信する。
【０１６２】
始動入賞コマンドには、取得された特図関連判定情報に基づいて行われる特図変動パターン判定で決定される特図変動パターンの情報（特図変動パターン情報）が含まれている。前述の通り、特図変動パターンには、始動口の種別、言い換えれば、特図の種別に関する情報が含まれているので、始動入賞コマンドには、その始動入賞コマンドを発生させた始動口の種別に関する情報（入賞始動口情報）、言い換えれば、その始動入賞コマンドを発生させた入賞により行われる可変表示の特図の種別（特図種別情報）も含まれている。また、特図変動パターンには、大当たり、またはハズレの何れであるかの情報（当否情報）と、リーチの有無の情報（リーチ情報）も含まれているので、始動入賞コマンドには、当否情報とリーチ情報も含まれていることになる。
【０１６３】
遊技制御基板１００は、取得した特図関連判定情報に基づいて、図１３に示す始動入賞コマンド特定テーブルを用いて始動入賞コマンドを特定する。始動入賞コマンド特定テーブルは、その始動入賞に係る始動口の種別（第１始動口１１／第２始動口１２）に関連付けられている。すなわち、始動入賞コマンド特定テーブルには、第１始動口１１に入賞した場合の始動入賞コマンド特定テーブル（第１始動入賞コマンド特定テーブル）と、第２始動口１２に入賞した場合の始動入賞コマンド特定テーブル（第２始動入賞コマンド特定テーブル）とがある。
【０１６４】
また、始動入賞コマンド特定テーブルは、遊技状態（非時短状態／時短状態）にも関連付けられている。すなわち、始動入賞コマンド特定テーブルには、非時短状態のときに用いられる始動入賞コマンド特定テーブル（非時短用始動入賞コマンド特定テーブル）と時短状態のときに用いられる始動入賞コマンド特定テーブル（時短用始動入賞コマンド特定テーブル）とがある。
【０１６５】
つまり、始動入賞コマンド特定テーブルには、非時短状態のときに用いられる第１始動入賞コマンド特定テーブルと、時短状態のときに用いられる第１始動入賞コマンド特定テーブルと、非時短状態のときに用いられる第２始動入賞コマンド特定テーブルと、時短状態のときに用いられる第２始動入賞コマンド特定テーブルと、がある。
【０１６６】
なお、始動入賞コマンドは、少なくとも当否情報を含むものであればよく、始動入賞コマンドにどのような情報を含ませるかは適宜に変更可能である。前述のとおり、特図関連判定情報に基づいて特別図柄の可変表示が行われるが、その特図関連判定情報に基づいて実行される特別図柄の可変表示よりも前に、当否情報などを演出制御基板１２０に送信することで、所謂「保留変化予告」などの大当たり期待度を示唆する先読み演出を実行可能にし、遊技興趣を向上させる。
【０１６７】
４．遊技制御用マイコン１０１による遊技の制御
［遊技制御メイン処理］
次に図１４〜図２３に基づいて遊技制御用マイコン１０１による遊技の制御について説明する。なお、以下において説明する遊技制御用マイコン１０１による遊技の制御において登場するカウンタ、タイマ、フラグ、ステータス、バッファ等は、遊技用ＲＡＭ１０４に設けられている。また、カウンタの初期値は「０」であり、フラグの初期値は「０」つまり「ＯＦＦ」であり、ステータスの初期値は「１」である。
【０１６８】
遊技制御基板１００に備えられた遊技制御用マイコン１０１は、パチンコ遊技機ＰＹ１が電源投入されると、遊技用ＲＯＭ１０３から図１４に示した遊技制御メイン処理のプログラムを読み出して実行する。同図に示すように、遊技制御メイン処理では、まず、電源投入時処理(S001)を行う。電源投入時処理では、遊技用ＲＡＭ１０４へのアクセスの許可設定、遊技用ＣＰＵ１０２の設定、ＳＩＯ（Ｓｙｓｔｅｍ  Ｉｎｐｕｔ／Ｏｕｔｐｕｔ）、ＰＩＯ（Ｐａｒａｌｌｅｌ  Ｉｎｐｕｔ／Ｏｕｔｐｕｔ）、ＣＴＣ（Ｃｏｕｎｔｅｒ／Ｔｉｍｅｒ  Ｃｉｒｃｕｉｔ：割り込み時間の管理のための回路）の設定等が行われる。
【０１６９】
電源投入時処理に次いで、割り込みを禁止し(S002)、普通図柄・特別図柄主要乱数更新処理(S003)を実行する。この普通図柄・特別図柄主要乱数更新処理(S003)では、普図関連判定情報および特図関連判定情報に係る種々の乱数のカウンタ値を１加算して更新する。各乱数のカウンタ値は上限値に達すると「０」に戻って再び加算される。なお各乱数のカウンタの初期値は「０」以外の値であってもよく、ランダムに変更されるものであってもよい。また各乱数のうちの少なくとも一部は、カウンタＩＣ等からなる公知の乱数生成回路を利用して生成される所謂ハードウェア乱数であってもよい。
【０１７０】
普通図柄・特別図柄主要乱数更新処理(S003)が終了すると、割り込みを許可する(S004)。割り込み許可中は、遊技制御側タイマ割り込み処理(S005)の実行が可能となる。遊技制御側タイマ割り込み処理(S005)は、例えば４ｍｓｅｃ周期で遊技用ＣＰＵ１０２に繰り返し入力される割り込みパルスに基づいて実行される。すなわち、遊技制御側タイマ割り込み処理(S005)は４ｍｓｅｃ周期で実行される。そして、遊技制御側タイマ割り込み処理(S005)が終了してから、次に遊技制御側タイマ割り込み処理(S005)が開始されるまでの間に、普通図柄・特別図柄主要乱数更新処理(S003)による種々の乱数のカウンタ値の更新処理が繰り返し実行される。なお、割り込み禁止状態のときに遊技用ＣＰＵ１０２に割り込みパルスが入力された場合は、遊技制御側タイマ割り込み処理(S005)はすぐには開始されず、割り込み許可(S004)がされてから開始される。
【０１７１】
［遊技制御側タイマ割り込み処理］
次に、遊技制御側タイマ割り込み処理(S005)について説明する。図１５に示すように、遊技制御側タイマ割り込み処理(S005)では、まず出力処理(S101)を実行する。出力処理(S101)では、以下に説明する各処理において遊技制御基板１００の遊技用ＲＡＭ１０４に設けられた出力バッファにセットされたコマンド等を、演出制御基板１２０や払出制御基板１７０等に出力する。
【０１７２】
出力処理(S101)に次いで行われる入力処理(S102)では、遊技制御用マイコン１０１は、余剰球貯留穴３５Ａの満杯を検出する下皿満杯スイッチからの検出信号を取り込み、下皿満杯データとして遊技用ＲＡＭ１０４の出力バッファに記憶する。
【０１７３】
次に行われる普通図柄・特別図柄主要乱数更新処理(S103)は、図１４の主制御メイン処理で行う普通図柄・特別図柄主要乱数更新処理(S003)と同じである。即ち、普図関連判定情報および特図関連判定情報に係る各種乱数のカウンタ値の更新処理は、遊技制御側タイマ割り込み処理(S005)の実行期間と、それ以外の期間（メイン側タイマ割り込み処理(S005)の終了後、次の遊技制御側タイマ割り込み処理(S005)が開始されるまでの期間）との両方で行われている。
【０１７４】
普通図柄・特別図柄主要乱数更新処理(S103)に次いで、遊技制御用マイコン１０１は、センサ検出処理(S104)を行い、続いて普通動作処理(S105)を行い、さらに特別動作処理（S106）を行う。センサ検出処理、普通動作処理および特別動作処理については後述する。
【０１７５】
次に、遊技制御用マイコン１０１は、その他の処理(S107)を実行して、遊技制御側タイマ割り込み処理(S005)を終了する。その他の処理(S107)としては、電源が断たれる際の電源断監視処理、遊技用ＲＡＭ１０４に設けられているタイマの更新などが行われる。また、その他の処理(S107)として、遊技者に賞球を払い出す払出制御処理が行われる。払出制御処理では、第１始動口１１用の賞球カウンタ、第２始動口１２用の賞球カウンタ、大入賞口１４用の賞球カウンタ、及び、一般入賞口１０用の賞球カウンタが「０」を超えているか否かのチェックを行い、「０」を超えていると、賞球要求信号を払出制御基板１７０に送信する。そして、賞球信号を送信するとき、その信号に係る賞球カウンタを「１」減算する更新処理を行う。
【０１７６】
そして、遊技制御用マイコン１０１は、次に遊技用ＣＰＵ１０２に割り込みパルスが入力されるまでは遊技制御メイン処理のステップS002〜S004の処理を繰り返し実行し、割り込みパルスが入力されると（約４ｍｓｅｃ後）、再び遊技制御側タイマ割り込み処理(S005)を実行する。遊技制御用マイコン１０１は、再び実行された遊技制御側タイマ割り込み処理(S005)の出力処理(S101)において、前回の遊技制御側タイマ割り込み処理(S005)にて遊技用ＲＡＭ１０４の出力バッファにセットされたコマンド等を出力する。
【０１７７】
［センサ検出処理］
次に、図１６〜図１７を用いてセンサ検出処理について説明する。センサ検出処理(S104)ではまず、一般入賞口１０に遊技球が入賞したか否か、即ち、一般入賞口センサ１０ａによって遊技球が検出されたか否か判定する(S201)。一般入賞口１０に遊技球が入賞していない場合(S201でNO)にはステップS203に進み、一般入賞口１０に遊技球が入賞した場合には(S201でYES)、遊技球に所定個数の賞球を払い出すための一般入賞口賞球処理を行う（S202）。一般入賞口賞球処理では、一般入賞口１０用の賞球カウンタに、一般入賞口１０への入賞に応じた賞球個数（第１実施形態において「３」）を加算する。
【０１７８】
ステップS203では、遊技球がゲート１３を通過したか否か、即ち、ゲートセンサ１３ａによって遊技球が検出されたか否か判定する。遊技球がゲート１３を通過していなければ(S203でNO)、ステップS207に進む。一方、遊技球がゲート１３を通過していれば(S203でYES)、後述する普通動作ステータス＝１であるか否か、言い換えれば、普図可変表示または補助遊技の何れも行われていないか否かを判定する(S204)。普通動作ステータス＝１でない場合には(S204でNO)、ステップS207に進み、普通動作ステータス＝１である場合(S204でYES)には、普通図柄乱数カウンタ（ラベル−ＴＲＮＤ−Ｆ）のカウンタ値が示す普通図柄乱数を普図関連判定情報として取得し(S205)、取得した普図関連判定情報を、遊技用ＲＡＭ１０４に設けられた普図保留記憶部８６に記憶して(S206)、ステップS207に進む。
【０１７９】
ステップS207では、第２始動口１２に遊技球が入賞したか否か、即ち、第２始動口センサ１２ａによって遊技球が検出されたか否か判定する。第２始動口１２に遊技球が入賞していない場合(S207でNO)にはステップS214に進み、第２始動口１２に遊技球が入賞した場合には(S207でYES)、遊技球に所定個数の賞球を払い出すための第２始動口賞球処理を行う(S208)。第２始動口賞球処理では、第２始動口１２用の賞球カウンタに、第２始動口１２への入賞に応じた賞球個数（第１実施形態において「４」）を加算する。
【０１８０】
次に、特図２保留数（具体的には遊技用ＲＡＭ１０４に設けた特図２保留数をカウントするカウンタ（特図２保留数カウンタ）の数値）が「４」（上限記憶数）以上であるか否か判定する(S209)。特図２保留数が「４」以上である場合(S209でYES)には、ステップS214に進むが、特図２保留数が「４」以上でない（「４」未満である）場合には(S209でNO)、特図２保留数加算処理を行う(S210)。特図２保留数加算処理では、特図２保留数カウンタを「１」加算し、特図２保留表示器８３ｂが示す特図２保留数を「１」増加させる。
【０１８１】
続いて、特別図柄乱数カウンタ（ラベル−ＴＲＮＤ−Ｔ）、大当たり図柄種別乱数カウンタ（ラベル−ＴＲＮＤ−ＯＳ）、リーチ乱数カウンタ（ラベル−ＴＲＮＤ−ＲＣ）及び特図変動パターン乱数カウンタ（ラベル−ＴＲＮＤ−ＨＰ）からなる特図２関連判定情報を取得し、遊技用ＲＡＭ１０４に設けられた特図関連判定情報用バッファに記憶する(S211)。
【０１８２】
次に、第２始動入賞コマンド特定処理を行う(S212)。第２始動入賞コマンド特定処理では、図１３に示す第２始動口用始動入賞コマンド特定テーブルに、現在の遊技状態とステップS211で取得した特図２関連判定情報とを照合して第２始動入賞コマンドを特定し、特定した第２始動入賞コマンドを遊技用ＲＡＭ１０４の出力バッファにセットする。
【０１８３】
続いて、遊技制御用マイコン１０１は、ステップS211で取得した特図２関連判定情報を特図２保留記憶部１０５ｂに記憶する(S213)。
【０１８４】
続いて、ステップS214では、第１始動口１１に遊技球が入賞したか否か、即ち、第１始動口センサ１１ａによって遊技球が検出されたか否か判定する。第１始動口１１に遊技球が入賞していない場合(S214でNO)にはステップS221に進み、第１始動口１１に遊技球が入賞した場合には(S214でYES)、遊技球に所定個数の賞球を払い出すための第１始動口賞球処理を行う(S215)。第１始動口賞球処理では、第１始動口１１用の賞球カウンタに、第１始動口１１への入賞に応じた賞球個数（第１実施形態において「４」）を加算する。
【０１８５】
次に、特図１保留数（具体的には遊技用ＲＡＭ１０４に設けた特図１保留の数をカウントするカウンタ（特図１保留数カウンタ）の数値）が「４」（上限記憶数）以上であるか否か判定する(S216)。特図１保留数が「４」以上である場合(S216でYES)には、ステップS221に進むが、特図１保留数が「４」以上でない（未満である）場合には(S216でNO)、特図１保留数加算処理を行う(S217)。特図１保留数加算処理では、特図１保留数カウンタを「１」加算し、特図１保留表示器８３ａが示す特図１保留数を「１」増加させる。
【０１８６】
続いて、特別図柄乱数カウンタ（ラベル−ＴＲＮＤ−Ｔ）、大当たり図柄種別乱数カウンタ（ラベル−ＴＲＮＤ−ＯＳ）、リーチ乱数カウンタ（ラベル−ＴＲＮＤ−ＲＣ）及び特図変動パターン乱数カウンタ（ラベル−ＴＲＮＤ−ＨＰ）からなる特図１関連判定情報を取得し、遊技用ＲＡＭ１０４に設けられた特図関連判定情報用バッファに記憶する(S218)。
【０１８７】
次に、第１始動入賞コマンド特定処理を行う(S219)。第１始動入賞コマンド特定処理では、図１３に示す第１始動口用始動入賞コマンド特定テーブルに、現在の遊技状態とステップS218で取得した特図１関連判定情報とを照合して第１始動入賞コマンドを特定し、特定した第２始動入賞コマンドを遊技用ＲＡＭ１０４の出力バッファにセットする。
【０１８８】
続いて、遊技制御用マイコン１０１は、ステップS218で取得した特図１関連判定情報を特図１保留記憶部１０５ａのうち現在の特図１保留数に応じた記憶領域に記憶する(S220)。
【０１８９】
ステップS221では、大入賞口１４に遊技球が入賞したか否か、即ち、大入賞口センサ１４ａによって遊技球が検出されたか否か判定する。大入賞口１４に遊技球が入賞していない場合(S221でNO)にはセンサ検出処理を終了し、大入賞口１４に遊技球が入賞した場合には(S221でYES)、遊技用ＲＡＭ１０４に設けられた大入賞口入賞カウンタのカウンタ値が「９」以上であるか否かを判定する(S222)。大入賞口入賞カウンタは、大当たり遊技の１回のラウンド遊技において大入賞口１４に入賞した個数を計数するためのカウンタである。なお、大入賞口入賞カウンタは各ラウンド遊技が終了するたびにクリアされる。第１実施形態では、入賞規定個数は「８」に設定されている。よって、ステップS222の処理が行われる。
【０１９０】
大入賞口入賞カウンタのカウンタ値が「９」以上であると(S222でYES)、センサ検出処理を終了し、大入賞口入賞カウンタのカウンタ値が「９」以上でない、すなわち、「９」未満であると(S222でNO)、大入賞口入賞カウンタのカウンタ値を「１」加算し(S223)、遊技者に所定個数の賞球を払い出すための大入賞口賞球処理を行い(S224)、センサ検出処理を終了する。なお、大入賞口賞球処理では、大入賞口１４用の賞球カウンタに、大入賞口１４への入賞に応じた賞球個数（第１実施形態において「１４」）を加算する。
【０１９１】
［普通動作処理］
次に、普図表示器８２および電チュー１２Ｄの制御に関する普通動作処理について説明する。図１８に示すように、普図表示器８２および電チュー１２Ｄに関する処理が４つのステータス（段階）に分けられている。そして、それらの各ステータスに「普通動作ステータス＝１，２，３，４」が割り当てられている。遊技制御用マイコン１０１は、普通動作処理(S105)において、最初に、「普通動作ステータス」を確認する（S1101）。「普通動作ステータス」が「１」である場合には、普通図柄待機処理(S1102)を行い、「普通動作ステータス」が「２」である場合には、普通図柄変動処理(S1103)を行い、「普通動作ステータス」が「３」である場合には、普通図柄確定処理(S1104)を行い、「普通動作ステータス」が「４」である場合には、補助遊技制御処理(S1105)を行う。なお「普通動作ステータス」は初期設定で「１」に設定される。
【０１９２】
普通図柄待機処理(S1102)は、普図の可変表示および補助遊技が行われていない待機中に行われる処理である。普通図柄待機処理(S1102)では、普図保留記憶部８６に記憶された普通図柄乱数に基づいて当たり判定を行う。さらに、現在の遊技状態に基づいて普図変動パターン判定を行って普図変動パターンを決定し、決定した普図変動パターンに応じた普図変動時間の普図の変動表示を普図表示器８２に開始させて、普通動作ステータスを「２」に変更する。
【０１９３】
普通図柄変動処理(S1103)は、普図が変動表示しているときに行われる処理である。普通図柄変動処理(S1103)では、実行中の普図の変動表示が開始してから普図変動時間が経過したか否か（普図の変動表示を終了させるか否か）を判定し、普図変動時間が経過したと判定されれば、当たり判定結果に基づいて普図の停止表示を行って、普通動作ステータスを「３」に変更する。
【０１９４】
普通図柄確定処理(S1104)は、普図が停止表示しているときに行われる処理である。普通図柄確定処理(S1104)では、実行中の普図の停止表示が開始してから所定の停止時間（例えば、０．８秒）が経過したか否か（普図の停止表示を終了させるか否か）を判定し、所定の停止時間が経過したと判定されれば、停止表示している普図が当たり図柄であるか否かを判定する。当たり図柄でなければ（停止表示している普図がハズレ図柄であれば）、普通動作ステータスを「１」に変更する。一方、当たり図柄が停止表示していれば、普通動作ステータスを「４」に変更して、現在の遊技状態および補助遊技制御テーブルに基づいて補助遊技を開始させる。
【０１９５】
補助遊技制御処理(S1105)は、補助遊技が行われているときに行われる処理である。補助遊技制御処理(S1105)では、現在の遊技状態および補助遊技制御テーブルに基づいて補助遊技を制御する。そして、補助遊技が終了すれば、普通動作ステータスを「１」に変更する。
【０１９６】
［特別動作処理］
次に、特図表示器８１、特図保留表示器８３および大入賞装置１４Ｄの制御に関する特別動作処理について説明する。図１９に示すように、特図表示器８１、特図保留表示器８３および大入賞装置１４Ｄに関する処理は、５つのステータス（段階）に分けられている。そして、それらの各ステータスに「特別動作ステータス＝１，２，３，４，５」が割り当てられている。遊技制御用マイコン１０１は、最初に「特別動作ステータス」を確認する（S1501）。遊技制御用マイコン１０１は、「特別動作ステータス」が「１」である場合には、特別図柄待機処理(S1502)を行い、「特別動作ステータス」が「２」である場合には、特別図柄変動処理(S1503)を行い、「特別動作ステータス」が「３」である場合には、特別図柄確定処理(S1504)を行い、「特別動作ステータス」が「４」である場合には、大当たり遊技制御処理(S1505)を行い、「特別動作ステータス」が「５」である場合には、遊技状態設定処理(S1506)を行う。なお「特別動作ステータス」は初期設定で「１」に設定される。
【０１９７】
特別図柄待機処理(S1502)は、特別図柄の可変表示、大当たり遊技が行われていない待機中に行われる処理である。特別図柄待機処理については後に詳述する。
【０１９８】
特別図柄変動処理(S1503)は、特別図柄が変動表示しているときに行われる処理である。特別図柄変動処理については後に詳述する。
【０１９９】
特別図柄確定処理(S1504)は、特別図柄が停止表示しているときに行われる処理である。特別図柄確定処理については後に詳述する。
【０２００】
大当たり遊技制御処理(S1505)は、大当たり遊技において行われる処理である。遊技制御用マイコン１０１が、大当たり遊技制御処理を行うことによって、大当たり遊技制御テーブルに応じた大当たり遊技を行う。大当たり遊技が終了する際に特別動作ステータスを「５」に変更する。なお、各ラウンド遊技が開始される際には、そのラウンド数を示すラウンド数指定コマンドを遊技用ＲＡＭ１０４の出力バッファにセットする。また、全てのラウンド遊技が終了してエンディングが開始される際には、当該大当たり遊技に係る大当たり図柄に応じたエンディングを示すエンディングコマンドを遊技用ＲＡＭ１０４の出力バッファにセットする。
【０２０１】
遊技状態設定処理(S1506)は、大当たり遊技が終了する際に、遊技状態設定テーブルに基づいて、遊技状態を設定する処理である。終了する大当たり遊技に係る大当たり図柄を遊技状態設定テーブルに照合して、当該大当たり遊技後の遊技状態を設定する。高確率状態を設定する場合は、高確率フラグを遊技用ＲＡＭ１０４の高確率フラグ領域にＯＮする。さらにこのときに、大当たりに当選することなく高確率状態を設定（継続）できる規定回数（高確率規定回数）を、遊技用ＲＡＭ１０４に設けられた高確率残り回数カウンタにセットする。また、時短状態を設定する場合は、時短フラグを遊技用ＲＡＭ１０４の時短フラグ領域にＯＮする。さらにこのときに、大当たりに当選することなく時短状態を設定（継続）できる規定回数（時短規定回数）を、遊技用ＲＡＭ１０４に設けられた時短残り回数カウンタにセットする。
【０２０２】
［特別図柄待機処理］
次に図２０を用いて特別図柄待機処理について説明する。特別図柄待機処理(S1502)ではまず、特図２保留数が「０」であるか否かを判定する(S1601)。特図２保留数が「０」である場合(S1601でYES)、即ち、第２始動口１２への入賞に起因して取得した特図２関連判定情報の記憶がない場合には、特図１保留数が「０」であるか否かを判定する(S1608)。そして、特図１保留数も「０」である場合(S1608でYES)、即ち、第１始動口１１への入賞に起因して取得した特図１関連判定情報の記憶もない場合には、客待ちフラグがＯＮか否かを判定する(S1618)。ここで、客待ちフラグがＯＮであれば(S1618でYES)、特別図柄待機処理を終え、客待ちフラグがＯＮでなければ(S1618でNO)、客待ちコマンドを出力バッファにセットし(S1619)、客待ちフラグをＯＮにし(S1620)、特別図柄待機処理を終える。
【０２０３】
また、特図２保留数が「０」であるが特図１保留数が「０」でない場合(S1601でYES且つS1608でNO)、即ち、特図２関連判定情報はないが、第１始動口１１への入賞に起因して取得した特図１関連判定情報の記憶が１つ以上ある場合には、特図１判定処理(S1609)及び特図１変動パターン判定処理(S1610)を行う。
【０２０４】
特図１判定処理(S1609)では、特図１保留記憶部１０５ａに記憶されている特別図柄乱数の中で最も先に記憶されたものを読み出して、現在の遊技状態に応じた大当たり判定テーブルに基づいて、大当たり、またはハズレの何れであるかの判定（大当たり判定）を行う。現在、通常確率状態であれば通常確率状態用第１大当たり判定テーブルを用いて大当たり判定を行い、高確率状態であれば高確率状態用第１大当たり判定テーブルを用いて大当たり判定を行う。
【０２０５】
ここで、大当たり判定の結果が大当たりであれば、大当たり図柄種別乱数を読み出して第１大当たり図柄種別判定テーブルに基づいて大当たり図柄種別の判定（大当たり図柄種別判定）を行う。そして、大当たり図柄種別を表す大当たり図柄データを遊技用ＲＡＭ１０４に設けられた特図バッファにセットすると共に、大当たり図柄種別を表す図柄指定コマンドを遊技用ＲＡＭ１０４に設けられた出力バッファにセットする。また、大当たり判定の結果が「ハズレ」であれば、ハズレを表すハズレ図柄データを特図バッファにセットすると共に、ハズレを表す図柄指定コマンドを出力バッファにセットする。
【０２０６】
次に、特図１変動パターン判定処理(S1610)について図２１を用いて説明する。特図１変動パターン判定処理では、まず、現在非時短状態であるか否かを判定する（S1651）。非時短状態であれば(S1651でYES)、非時短状態用の特図１変動パターン判定テーブルを選択(S1652)してからステップS1654に進み、非時短状態でなければ(S1651でNO)、時短状態用の特図１変動パターン判定テーブルを選択(S1653)してからステップS1654に進む。
【０２０７】
ステップS1654において、遊技制御用マイコン１０１は、大当たり判定結果が「大当たり」であったか否かを判定する。大当たりであれば(S1654でYES)、ステップS1652またはステップS1653の何れかで選択した特図１変動パターン判定テーブルの中から大当たり用の特図１変動パターン判定テーブルを選択（S1659）してからステップS1660に進み、大当たりでなければ(S1654でNO)、リーチ判定を行う（S1655）。リーチ判定では、リーチ乱数を読み出して、そのリーチ乱数を現在の遊技状態（非時短状態／時短状態）に応じたリーチ判定テーブルに照合して、リーチ有りかリーチ無しかを判定する。
【０２０８】
次に、ステップS1655でのリーチ判定の結果が「リーチ有り」であるか否かを判定する(S1656)。リーチ有りであれば(S1656でYES)、ステップS1652またはステップS1653の何れかで選択した特図１変動パターン判定テーブルの中からリーチ有りハズレ用の特図１変動パターン判定テーブルを選択（S1658）してからステップS1660に進み、リーチ有りでなければ(S1656でNO)、現在の特図１保留数を確認して、ステップS1652またはステップS1653の何れかで選択した特図１変動パターン判定テーブルの中から特図１保留数に応じたリーチ無しハズレ用の特図１変動パターン判定テーブルを選択（S1657）してからステップS1660に進む。
【０２０９】
遊技制御用マイコン１０１は、ステップS1660において、特図変動パターン乱数を読み出して、その特図変動パターン乱数をステップS1657〜ステップS1659の何れかで選択した特図１変動パターン判定テーブルに照合して、特図１変動パターンを判定する特図１変動パターン判定を行う。続けて、遊技制御用マイコン１０１は、決定された特図１変動パターンを示す特図１変動開始コマンドを出力バッファにセットし（S1661）、決定された特図１変動パターンに応じた特図変動時間を特別動作用タイマにセットし（S1662）、特図１変動パターン判定処理を終了して、特別図柄待機処理に処理を戻す。
【０２１０】
なお、特別動作用タイマは、遊技制御側タイマ割り込み処理（S005）におけるその他の処理(S107)において、４ｍｓ分、更新される。また、セットされる特図１変動開始コマンドには、特別図柄の種別（特図１であるということ）に関する情報や特図１変動パターン判定処理(S1610)で行われた特図変動パターン判定の結果に関する情報（リーチの有無や特図変動時間の情報を含む特図変動パターンの情報）が含まれている。
【０２１１】
続いて、遊技制御用マイコン１０１は、ステップS1610で決定された特図１変動パターンに応じた特図変動時間に基づいて特図１表示器８１ａに特図１の変動表示を開始させる(S1611)。
【０２１２】
次に、遊技制御用マイコン１０１は、特図１保留記憶部１０５ａにおける各種カウンタ値の格納場所（記憶領域）を現在の位置から読み出される側に一つシフトするとともに、特図１保留記憶部１０５ａにおける保留１個目に対応する記憶領域（読み出される側から最も遠い記憶領域）をクリアする特図１保留記憶部シフト処理を行う(S1612)。このようにして、特図１保留が保留された順に消化される。
【０２１３】
次に、遊技制御用マイコン１０１は、特図１保留数カウンタを「１」減算し(S1613)、特図１保留表示器８３ａが示す特図１保留数を「１」減少させて変更し（S1614）、特別動作ステータスを「２」に変更する（S1615）。
【０２１４】
その後、遊技制御用マイコン１０１は、客待ちフラグがＯＮか否かを判定し(S1616)、ＯＮであれば(S1616でYES)、客待ちフラグをＯＦＦして(S1617)、特別図柄待機処理を終え、ＯＮでなければ(S1616でNO)、ステップS1617を実行することなく特別図柄待機処理を終える。
【０２１５】
また、ステップS1601において特図２保留数が「０」でない場合(S1601でNO)、即ち、第２始動口１２への入賞に起因して取得した特図２関連判定情報の記憶が１つ以上ある場合には、特図２判定処理(S1602)及び特図２変動パターン判定処理(S1603)を行う。特図２判定処理(S1602)及び特図２変動パターン判定処理(S1603)は、特図１判定処理（S1609）および特図１変動パターン判定処理（S1610）と基本的には同じ処理内容である。
【０２１６】
特図２判定処理(S1602)は、大当たり判定で用いるテーブルが第２大当たり判定テーブルであること、および大当たり図柄種別判定で用いるテーブルが第２大当たり図柄種別判定テーブルであることを除いて特図１判定処理(S1609)と同様の処理であるため説明を省略する。また、特図２変動パターン判定処理(S1603)も、基本的には、特図２変動パターン判定で用いるテーブルが特図２変動パターン判定テーブルであることを除いて特図１変動パターン判定処理(S1610)と同様の処理であるため説明を省略する。
【０２１７】
次に、遊技制御用マイコン１０１は、ステップS1603で決定された特図変動パターンに応じた特図変動時間に基づいて特図２表示器８１ｂに特図２の変動表示を開始させる(S1604)。
【０２１８】
次に、遊技制御用マイコン１０１は、特図２保留記憶部１０５ｂにおける各種カウンタ値の格納場所（記憶領域）を現在の位置から読み出される側に一つシフトするとともに、特図２保留記憶部１０５ｂにおける保留４個目に対応する記憶領域（読み出される側から最も遠い記憶領域）をクリアする特図２保留記憶部シフト処理を行う(S1605)。このようにして、特図２保留が保留された順に消化される。
【０２１９】
続いて遊技制御用マイコン１０１は、特図２保留数カウンタを「１」減算し(S1606)、特図２保留表示器８３ｂが示す特図２保留数を「１」減少させて変更し（S1607）、特別動作ステータスを「２」に変更し（S1615）、ステップS1616に進む。
【０２２０】
上記のように第１実施形態では、特図１保留に基づく特別図柄の変動表示は、特図２保留が「０」の場合(S1601でYESの場合)に限って行われる。すなわち特図２保留の消化は、特図１保留の消化に優先して実行される。そして第１実施形態では、特図２保留に基づく抽選の方が、特図１保留に基づく抽選よりも、遊技者にとって利益の大きい大当たり図柄に当選しやすくなっている。なお、特図１保留の消化を特図２保留の消化に優先して実行されるようにしても良い。また、特図１保留の消化と特図２保留の消化を、特図の種別に関わらず保留が発生した順に行っても良い。
【０２２１】
［特別図柄変動処理］
次に図２２を用いて特別図柄変動処理について説明する。遊技制御用マイコン１０１は、特別図柄変動処理(S1503)ではまず、特別図柄の変動表示を終了させるか否か、即ち、ステップS1603又はステップS1610で特別動作用タイマにセットした特図変動時間が経過した（特別動作カウンタ＝０）か否かを判定する(S1701)。特別図柄の変動表示を終了させない場合(S1701でNO)、特別図柄変動処理を終了し、特別図柄の変動表示を終了させる場合(S1701でYES)、特図表示器８１に、特別図柄の変動表示を終了させるとともに、ステップS1602又はステップS1609で特図バッファにセットした図柄データ（大当たり図柄データ、またはハズレ特図データ）に応じた特別図柄の停止表示をさせる(S1702)。
【０２２２】
続いて、予め設定された特図確定時間（例えば、０．８秒）を特別動作用タイマにセットし（S1703）、特別図柄の変動表示が終了することを示す特図変動停止コマンドを出力バッファにセットし（S1704）、特別動作ステータスを「３」に変更し（S1705）、特別図柄変動処理を終了する。
【０２２３】
［特別図柄確定処理］
次に図２３を用いて特別図柄確定処理について説明する。遊技制御用マイコン１０１は、特別図柄確定処理(S1504)ではまず、特別図柄の停止表示を終了させるか否か、即ち、ステップS1703で特別動作用タイマにセットした特図確定時間が経過した（特別動作カウンタ＝０）か否かを判定する(S1751)。特別図柄の停止表示を終了させない場合(S1751でNO)、特別図柄確定処理を終了し、特別図柄の停止表示を終了させる場合(S1751でYES)、現在、高確率状態（高確率フラグがＯＮ）であるか否かを判定する(S1752)。
【０２２４】
現在高確率状態でなければ(S1752でNO)、ステップS1756に進み、現在、高確率状態であれば(S1752でYES)、高確率状態で実行可能な特別図柄の可変表示の残りの回数（高確率残り回数）を計測する高確率残り回数カウンタの値を「１」減算し(S1753)、高確率残り回数カウンタの値が「０」であるか否かを判定する(S1754)。高確率残り回数カウンタの値（高確率残り回数）が「０」でなければ(S1754でNO)、ステップS1756に進み、高確率残り回数カウンタの値（高確率残り回数）が「０」であれば(S1754でYES)、高確率状態から通常確率状態に移行させる（高確率フラグをＯＦＦする）（S1755）。
【０２２５】
ステップS1756において、遊技制御用マイコン１０１は、現在、時短状態（時短フラグがＯＮ）であるか否かを判定する。時短状態でなければ(S1756でNO)、ステップS1760に進み、現在、時短状態であれば(S1756でYES)、時短状態で実行可能な特別図柄の可変表示の残りの回数（時短残り回数）を計測する時短残り回数カウンタの値を「１」減算し(S1757)、時短残り回数カウンタの値が「０」であるか否かを判定する(S1758)。時短残り回数カウンタの値（時短残り回数）が「０」でなければ(S1758でNO)、ステップS1760に進み、時短残り回数カウンタの値（時短残り回数）が「０」であれば(S1758でYES)、時短状態から非時短状態に移行させる（時短フラグをＯＦＦする）（S1759）。
【０２２６】
次に、遊技制御用マイコン１０１は、現在の遊技状態を示した遊技状態コマンドを出力バッファにセットし（S1760）、現在停止表示している特別図柄が大当たり図柄か否かを判定する（S1761）。大当たり図柄でなければ(S1761でNO)、特別動作ステータスを「１」に変更し（S1765）、特別図柄確定処理を終了する。
【０２２７】
一方、ステップS1761において大当たり図柄であれば(S1761でYES)、遊技状態をリセットする（通常遊技状態を設定する。具体的には、高確率フラグおよび時短フラグをＯＦＦし、高確率残り回数カウンタおよび時短残り回数カウンタの値を「０」にする）（S1762）。
【０２２８】
続いて、遊技制御用マイコン１０１は、大当たり遊技準備処理を行い（S1763）、特別動作ステータスを「４」に変更し（S1764）、特別図柄確定処理を終了する。大当たり遊技準備処理では、大当たり図柄の種別に応じた大当たり遊技制御テーブルを遊技用ＲＡＭ１０４の所定領域にセットする。また、停止表示している大当たり図柄に応じたオープニング中であることを示す大当たりオープニングフラグを遊技用ＲＡＭ１０４の所定領域にＯＮし、大当たり図柄の種別に応じて、所定のオープニング時間（大当たり遊技が開始されてから１ラウンドを開始するまでの時間）を特別動作用タイマにセットする。さらには、大当たり図柄の種別に応じ、大当たり図柄の種別を示すオープニングコマンドを遊技用ＲＡＭ１０４の出力バッファにセットする。大当たり図柄の種別に応じたオープニングコマンドは、その停止表示した大当たり図柄の種別に応じた大当たり遊技（大当たり遊技のオープニング）が開始されることを表す。
【０２２９】
５．演出制御基板１２０による演出の説明
前述のように、遊技制御基板１００は、遊技球が始動口１１、１２に入賞することによって、特図抽選、特図の可変表示、大当たり遊技、および遊技状態の設定などを行う。演出制御基板１２０は、これらの遊技制御基板１００が行う遊技の制御に応じて、演出の制御を行う。以下に、演出制御基板１２０により行われる演出の制御について図２４〜図３０を用いて説明する。
【０２３０】
５−１．演出モード
最初に、遊技制御基板１００が行う遊技の制御に伴って演出制御基板１２０が行う演出モードの制御について説明する。演出モードとは、演出、特に変動演出の区分（あるいは、各種個別の演出に関連付けられている属性、演出上の状態）のことである。
【０２３１】
第１実施形態では、演出モードとして、演出モードＡと、演出モードＢと、演出モードＣと、が設定されている。演出モードには、後述する変動演出の演出態様、演出図柄の背景として表示される背景画像、およびＢＧＭなどが対応付けられている。
【０２３２】
演出モードＡは、通常遊技状態において設定される、すなわち通常遊技状態において滞在する演出モードであり、通常遊技状態であることを示唆する。なお、演出モードＡは、電源投入時に最初に設定される基本的な通常の演出モードである。演出モードＢは、大当たり図柄Ａ、Ｄに係る大当たり遊技後の確変遊技状態において設定される、すなわち滞在する演出モードであり、確変遊技状態であることを示唆する。演出モードＣは、大当たり図柄Ｂ、Ｅに係る大当たり遊技後の確変遊技状態、または大当たり図柄Ｃ、Ｆに係る大当たり遊技後の時短遊技状態において設定される、すなわち滞在する演出モードであり、確変遊技状態、または時短遊技状態の何れかであることを示唆する。言い換えると、演出モードＣは、確変遊技状態、または時短遊技状態の何れであるかを判別困難に秘匿する演出モードである。
【０２３３】
次に、大当たり当選などの移行条件が成立することによって遊技状態および演出モードが切り替わる遊技フローについて図２４を用いて説明する。ここでは、電源投入時に設定される通常遊技状態および演出モードＡを起点に説明する。遊技状態が通常遊技状態であり、演出モードが演出モードＡであるときは、基本的には左打ちでの遊技が行われ、特図１抽選および特図１の可変表示が行われる。そして、特図１抽選の結果、大当たり図柄に当選したとする。特図１抽選で大当たり図柄に当選すると、大当たり図柄の種別は大当たり図柄Ａ〜大当たり図柄Ｃの何れかに決定される。
【０２３４】
ここで、大当たり図柄Ａに当選すると、第１大当たり遊技が行われ、第１大当たり遊技が終了する際に確変遊技状態が設定される。この新たな遊技状態の設定に伴って、演出制御基板１２０は演出モードＢを設定する。そして演出制御基板１２０は、確変遊技状態においては、演出モードＢで演出を実行する。一方、大当たり図柄Ｂまたは大当たり図柄Ｃに当選すると、第２大当たり遊技が行われ、第２大当たり遊技が終了する際に、確変遊技状態、または時短遊技状態が設定される。新たな遊技状態の設定に伴って、何れの遊技状態であっても演出制御基板１２０は演出モードＣを設定する。そして演出制御基板１２０は、確変遊技状態、または時短遊技状態において、演出モードＣで演出を実行する。
【０２３５】
なお、後述するように大当たり図柄Ａに当選すると、赤色の演出図柄ＥＺ１〜ＥＺ３の停止表示が行われる。一方、大当たり図柄Ｂ、Ｃに当選すると、青色の演出図柄ＥＺ１〜ＥＺ３の停止表示が行われる。以下において、赤色の演出図柄ＥＺ１〜ＥＺ３の停止表示のことを「赤図柄揃い」ともいう。一方、青色の演出図柄ＥＺ１〜ＥＺ３の停止表示のことを「青図柄揃い」ともいう。よって、演出モードＡにおいて赤図柄揃いが行われると演出モードＢに突入し、青図柄揃いが行われると演出モードＣに突入するということができる。
【０２３６】
次に、確変遊技状態が設定され、演出モードＢが設定されているときには、基本的には右打ちでの遊技が行われ、特図２抽選および特図２の可変表示が行われる。そして、特図２抽選の結果、大当たり図柄に当選したとする。特図２抽選で大当たり図柄に当選すると、大当たり図柄の種別は大当たり図柄Ｄ〜大当たり図柄Ｆの何れかに決定される。
【０２３７】
ここで、大当たり図柄Ｄに当選すると、第３大当たり遊技が行われ、第３大当たり遊技が終了する際に確変遊技状態が設定される。この新たな遊技状態の設定に伴って、演出制御基板１２０は演出モードＢを設定する。すなわち、確変遊技状態、および演出モードＢが継続する。一方、大当たり図柄Ｅまたは大当たり図柄Ｆに当選すると、第３大当たり遊技が行われ、第３大当たり遊技が終了する際に、確変遊技状態、または時短遊技状態が設定される。この新たな遊技状態の設定に伴って、何れの遊技状態であっても演出制御基板１２０は演出モードＣを設定する。すなわち、確変遊技状態が継続した場合であっても、時短遊技状態に移行した場合であっても、外見上は演出モードＣに移行する。
【０２３８】
なお、後述するように大当たり図柄Ｄに当選すると、赤色の演出図柄ＥＺ１〜ＥＺ３の停止表示が行われる。一方、大当たり図柄Ｅ、Ｆに当選すると、青色の演出図柄ＥＺ１〜ＥＺ３の停止表示が行われる。よって、演出モードＢにおいて赤図柄揃いが行われると演出モードＢが継続し、青図柄揃いが行われると演出モードＣに突入するということができる。
【０２３９】
また、大当たり図柄Ａに係る大当たり遊技後の確変遊技状態に対する高確率規定回数が１６０回であり、時短規定回数が１６０回であり、高確率状態における大当たり当選確率は約１／４４であるので、この遊技状態および演出モードが設定されている間に、大当たり当選が発生する可能性は十分にある。しかし、仮にこの遊技状態および演出モードにおいて１６０回の特図抽選が行われたが大当たり当選できなかった場合は、１６０回目の特図可変表示の終了に伴って通常遊技状態が設定される。そして、この通常遊技状態の設定に伴って演出制御基板１２０は演出モードＡを設定する。以下において、確変遊技状態において高確率規定回数の特図抽選が実行されたが大当たり当選できずに通常遊技状態になることを「確変抜け」ともいう。
【０２４０】
さらに、確変遊技状態、または時短遊技状態が設定され、演出モードＣが設定されているときには、基本的には右打ちでの遊技が行われ、特図２抽選および特図２の可変表示が行われる。そして、特図２抽選の結果、大当たり図柄に当選したとする。特図２抽選で大当たり図柄に当選すると、大当たり図柄の種別は大当たり図柄Ｄ〜大当たり図柄Ｆの何れかに決定される。
【０２４１】
ここで、大当たり図柄Ｄに当選すると、第３大当たり遊技が行われ、第３大当たり遊技が終了する際に確変遊技状態が設定される。この新たな遊技状態の設定に伴って演出制御基板１２０は新たに演出モードＢを設定する。すなわち、確変遊技状態が継続した場合であっても、新たに確変遊技状態に移行した場合であっても、何れの遊技状態であるか判別困難な演出モードＣから、確変遊技状態であることが明確な演出モードＢに移行する。言い換えると、演出モードＣで赤図柄揃いが行われると演出モードＢに突入する。そして演出制御基板１２０は、確変遊技状態において、演出モードＢで演出を実行する。
【０２４２】
一方、大当たり図柄Ｅまたは大当たり図柄Ｆに当選すると、第３大当たり遊技が行われ、第３大当たり遊技が終了する際に、確変遊技状態、または時短遊技状態が設定され、何れの遊技状態であっても演出モードＣが継続する。すなわち、確変遊技状態、または時短遊技状態が継続した場合であっても、新たに確変遊技状態、または時短遊技状態に移行した場合であっても、何れの遊技状態であるか判別困難な演出モードＣが継続する。言い換えると、演出モードＣで青図柄揃いが行われると演出モードＣが継続する。そして演出制御基板１２０は、確変遊技状態、または時短遊技状態において、演出モードＣによる演出を実行する。
【０２４３】
なお、大当たり図柄Ｃ、Ｆに係る大当たり遊技後の時短遊技状態に対する時短規定回数が１００回であり、通常確率状態における大当たり当選確率は約１／３００であるので、この遊技状態および演出モードが設定されている間に、大当たり当選しない可能性が十分にあり得る。そして、この遊技状態および演出モードにおいて１００回の特図抽選が行われたが大当たり当選できなかった場合は、１００回目の特図可変表示の終了に伴って通常遊技状態が設定される。そして、演出制御基板１２０は、通常遊技状態の設定に伴って演出モードＡを設定することになる。以下において、時短遊技状態において時短規定回数の特図抽選が実行されたが大当たり当選できずに通常遊技状態になることを「時短抜け」ともいう。
【０２４４】
また、大当たり図柄Ｂ、Ｅに係る大当たり遊技後の確変遊技状態に対する高確率規定回数が１６０回であり、時短規定回数が１６０回であり、高確率状態における大当たり当選確率は約１／４４であるので、この遊技状態および演出モードが設定されている間に、大当たり当選する可能性は十分にある。しかし、仮にこの遊技状態および演出モードにおいて１６０回の特図抽選が行われたが大当たり当選できなかった場合は、１６０回目の特図可変表示の終了に伴って通常遊技状態が設定される。そして、演出制御基板１２０は、通常遊技状態の設定に伴って演出モードＡを設定することになる。
【０２４５】
ここで、同一の演出モードＣに滞在していても遊技状態が時短遊技状態であると、当該遊技状態が設定されてから１００回の特図可変表示が行われたが大当たり当選できなかった場合は演出モードＡに切り替わる。一方、確変遊技状態であると、当該遊技状態が設定されてから１００回の特図可変表示が行われたが大当たり当選できなかった場合はその後も確変遊技状態および演出モードＣが継続する。よって、大当たり図柄Ｂ、Ｅに係る大当たり遊技後の確変遊技状態において１００回の特図可変表示が実行された後の期間については、一見すると確変遊技状態か時短遊技状態の何れか判別困難な演出モードＣで演出が実行されるが、事実上は、確変遊技状態であることを容易に認識することができる。
【０２４６】
次に、各演出モードにおける演出について説明する。なお、前述の通り、各演出モードによって表示部５０ａにおいて、演出図柄の背景として表示される背景画像が異なる。そして、第１実施形態では、図２５（Ａ）〜図２５（Ｃ）に示すように、演出モードＡで用いられる背景画像Ｇ１００（以下、「通常用背景画像Ｇ１００」という）、演出モードＢで用いられる背景画像Ｇ１１０（以下、「確変専用背景画像Ｇ１１０」という）、演出モードＣで用いられる背景画像Ｇ１２０（以下、「確変時短共通背景画像Ｇ１２０」という）が設定されている。
【０２４７】
演出制御基板１２０は、何れの演出モードでも、特別図柄の可変表示が開始されると、特別図柄の可変表示に係る特図変動パターンおよび特図抽選結果（大当たり判定結果、大当たり図柄種別判定結果、リーチ判定結果、および、特図変動パターン判定結果）などに基づいて、特図変動演出を制御する。特図変動演出では、基本的には、表示部５０ａにおいて、各演出モードに応じた背景画像に重畳的に、演出図柄の可変表示が行われる。演出図柄の可変表示では、演出図柄が変動した後に停止する。すなわち、特図変動時間、演出図柄の変動表示が行われた後に、当該変動が停止して、演出図柄の停止表示が行われる。演出図柄の変動表示が行われているときには、大当たりに当選したことの可能性（所謂「大当たり期待度」）が示唆されることがある。そして、演出図柄の停止表示によって特図抽選の結果が報知される。
【０２４８】
５−２．演出モードＡにおける演出
次に、演出モードＡにおける特図変動演出について説明する。例えば、図２６（Ａ）に示すように、表示部５０ａにおいて、通常用背景画像Ｇ１００の上に、左演出図柄ＥＺ１、中演出図柄ＥＺ２および右演出図柄ＥＺ３が停止表示されており、特別図柄の変動表示が行われていない状態から、特別図柄の変動表示が開始されると、図２６（Ｂ）に示すように、その開始に伴って演出図柄ＥＺ１〜ＥＺ３の変動表示が開始される。また、図示はされていないが、演出モードＡでは、通常遊技状態に応じた演出モードＡ用の通常用ＢＧＭがスピーカ５２から特図変動演出の区切りに関係なくシームレスに流れている。
【０２４９】
そして、この新たに開始された特別図柄の変動表示の特図変動パターンがリーチ無しハズレ変動（例えば、通常Ａハズレ変動）であると、リーチが発生することなく、特別図柄の変動表示の終了（特別図柄の停止表示）に伴って、リーチ無しハズレに特有なハズレ目（所謂「バラケ目」）で演出図柄ＥＺ１〜ＥＺ３の停止表示が行われる。
【０２５０】
演出図柄ＥＺ１〜ＥＺ３の停止表示に向けて、例えば、最初に図２６（Ｃ）に示すように、左演出図柄ＥＺ１が表示部５０ａの上下方向略中央位置で仮停止し、次に図２６（Ｄ）に示すように、右演出図柄ＥＺ３が表示部５０ａの上下方向略中央位置で仮停止し、さらに、図２６（Ｅ）に示すように、中演出図柄ＥＺ２が表示部５０ａの上下方向略中央位置で仮停止する。
【０２５１】
そして、最後に、表示部５０ａの上下方向略中央位置で水平方向に並んだ状態で仮停止している演出図柄ＥＺ１〜ＥＺ３が、図２６（Ｆ）に示すように、そのまま一斉に完全に停止し、停止が確定する（演出図柄ＥＺ１〜ＥＺ３の停止表示が行われる）。
【０２５２】
なお、図２６の例では、演出図柄ＥＺ１〜ＥＺ３の停止表示が行われる際に、左演出図柄ＥＺ１→右演出図柄ＥＺ３→中演出図柄ＥＺ２の順で演出図柄が仮停止したが、仮停止する態様はこれに限られず、適宜に設定することができる。
【０２５３】
次に、リーチが発生する場合の特図変動演出について説明する。この場合も前述のリーチ無しの場合と同様に、表示部５０ａにおいて、図２７（Ａ）に示すように、左演出図柄ＥＺ１、中演出図柄ＥＺ２および右演出図柄ＥＺ３が停止表示されている状態から、特別図柄の変動表示が開始されて、図２７（Ｂ）に示すように、演出図柄ＥＺ１〜ＥＺ３の変動表示が開始するとする。
【０２５４】
そして、例えば図２７（Ｃ）に示すように、数字「５」からなる左演出図柄ＥＺ１が表示部５０ａの上下方向略中央位置で仮停止し、次に、図２７（Ｄ）に示すように、同一の数字「５」からなる右演出図柄ＥＺ３が表示部５０ａの上下方向略中央位置で水平方向に並んで仮停止して、リーチになる（リーチが発生または成立する）。
【０２５５】
なお、図２７の例では、リーチが発生する際に、左演出図柄ＥＺ１→右演出図柄ＥＺ３の順で演出図柄が仮停止したが、仮停止する態様はこれに限られず、適宜に設定することができる。また、リーチを構成する演出図柄の数字も「５」に限られない。また、仮停止する位置も表示部５０ａの上下方向略中央位置に限られない。また、リーチを構成する演出図柄が並ぶ方向も水平方向に限られず斜め方向など他の方向であってもよい。
【０２５６】
次に、リーチが成立した後に、リーチが保持された状態で行われる演出（リーチ演出）について説明する。図２７（Ｄ）に示すように、リーチが成立すると、その時点からＮリーチが開始される。Ｎリーチでは、図２８（Ａ）に示すように、リーチが成立した状態が所定時間（例えば、１０秒）維持される。Ｎリーチが開始されると、図２８（Ｂ）に示すように、通常態様の高速で変動表示（スクロール）をしている中演出図柄ＥＺ２が徐々に減速していく。
【０２５７】
ここで、実行中の特図変動演出がＮリーチで終了する場合は、このＮリーチの状態から、中演出図柄ＥＺ２が表示部５０ａの上下方向略中央位置で仮停止して特図抽選の結果に応じた演出図柄の停止表示が行われる。実行中の特図変動演出が起因する特図抽選の抽選結果が「ハズレ」であると、ハズレを示す演出図柄の停止表示が行われる。この特図変動演出では、リーチが発生しているので、図２８（Ｃ−１）に示すように、リーチを構成する数字とは異なる数字（図２８（Ｃ−１）において「４」）からなる中演出図柄ＥＺ２が仮停止する。そして、特別図柄の変動表示の終了（特別図柄の停止表示）に伴って、図２８（Ｄ）に示すように、仮停止状態が完全な停止状態になり、リーチ有りハズレに特有なハズレ目で左演出図柄ＥＺ１、中演出図柄ＥＺ２および右演出図柄ＥＺ３の停止表示が行われる。
【０２５８】
また、Ｎリーチで特図変動演出が終了しない場合、言い換えれば、ＬリーチやＳＰリーチに発展する場合は、図２８（Ｃ−２）に示すように、例えばＮリーチで終了する場合の中演出図柄ＥＺ２が仮停止するタイミングと大体同じタイミングで、中演出図柄ＥＺ２が再び通常態様の（高速で）変動表示を行い、ＬリーチやＳＰリーチへと発展する。
【０２５９】
ＮリーチからＬリーチに発展すると、仮停止している左演出図柄ＥＺ１が縮小しながら表示部５０ａの左上に移動すると共に、仮停止している右演出図柄ＥＺ３が縮小しながら表示部５０ａの右上に移動する（図２９（Ａ−１）参照）。また、通常用背景画像Ｇ１００からＬリーチ専用の背景画像（Ｌリーチ用背景画像）Ｇ１０１に切り替わる（図２９（Ａ−１）参照）。Ｌリーチ用背景画像Ｇ１０１は、主人公キャラクタが必殺技を習得するために特訓を行う映像（シーン）で構成されている。
【０２６０】
一方、ＮリーチからＳＰリーチに発展する場合も、Ｌリーチと同様に、仮停止している左演出図柄ＥＺ１が縮小しながら表示部５０ａの左上に移動すると共に、仮停止している右演出図柄ＥＺ３が縮小しながら表示部５０ａの右上に移動する（図２９（Ａ−２）参照）。また、通常用背景画像Ｇ１００からＳＰリーチ専用の背景画像（ＳＰリーチ用背景画像）Ｇ１０２に切り替わる（図２９（Ａ−２）参照）。ＳＰリーチ用背景画像Ｇ１０２は、主人公キャラクタが所属するＡチームと、主人公キャラクタのライバルが所属するＢチームとが試合を行う映像（シーン）で構成されている。
【０２６１】
そして、ＬリーチであってもＳＰリーチであっても、ハズレであると、最終的には図２９（Ｂ−１）に示すように、Ｌリーチ用背景画像Ｇ１０１またはＳＰリーチ用背景画像Ｇ１０２から通常用背景画像Ｇ１００に切り替わると共に、ハズレを示す演出図柄ＥＺ１〜ＥＺ３の停止表示が行われ、次の特図変動演出が行われる。一方、大当たりであると、ＬリーチであってもＳＰリーチであっても、最終的には図２９（Ｂ−２）に示すように、Ｌリーチ用背景画像Ｇ１０１またはＳＰリーチ用背景画像Ｇ１０２から通常用背景画像Ｇ１００に切り替わると共に、大当たりを示す演出図柄ＥＺ１〜ＥＺ３の停止表示が行われ、大当たり遊技演出が行われる。
【０２６２】
ここで、大当たりを示す演出図柄ＥＺ１〜ＥＺ３について説明する。大当たりを示す演出図柄ＥＺ１〜ＥＺ３は、図２９（Ｂ−２）の「５・５・５」のように、演出図柄ＥＺ１〜ＥＺ３のそれぞれが同一の数字で停止表示した際に並ぶ３つの演出図柄ＥＺ１〜ＥＺ３の順列で構成される。なお、以下において、大当たりを示す演出図柄ＥＺ１〜ＥＺ３を構成する同一の数字を「大当たり演出図柄」という。
【０２６３】
大当たり演出図柄は、演出モード、および大当たり図柄に関連づけられている。図３０に示すように、演出モードＡにおいて、大当たり図柄Ａ、Ｄであれば大当たり演出図柄は「３」または「７」であり、大当たり図柄Ｂ、Ｃ、Ｅ、Ｆであれば大当たり演出図柄は「１」、「２」、「４」、「５」、「６」、「８」または「９」である。大当たり図柄Ａ、Ｄの場合、および大当たり図柄Ｂ、Ｃ、Ｅ、Ｆの場合、何れの大当たり演出図柄になるかは抽選によって決定される。そして、大当たり図柄Ａ、Ｄの場合、および大当たり図柄Ｂ、Ｃ、Ｅ、Ｆの場合、各大当たり演出図柄に決定される確率は概ね同一である。
【０２６４】
また、大当たり図柄Ａ、Ｄに係る大当たり演出図柄「３」および「７」は赤色で構成されている。一方、大当たり図柄Ｂ、Ｃ、Ｅ、Ｆに係る大当たり演出図柄「１」、「２」、「４」、「５」、「６」、「８」および「９」は青色で構成されている。そこで、大当たり図柄Ａ、Ｄに係る大当たり演出図柄を「赤図柄」と総称する。一方、大当たり図柄Ａ、Ｄに係る大当たり演出図柄を「青図柄」と総称する。
【０２６５】
なお、図３０に示すように、演出モードＢ、および演出モードＣにおいては、大当たり図柄Ａ、Ｄであれば大当たり演出図柄は赤図柄の「７」であり、大当たり図柄Ｂ、Ｃ、Ｅ、Ｆであれば大当たり演出図柄は青図柄の「９」となる。
【０２６６】
５−３．演出モードＢにおける演出
次に、演出モードＢにおける演出について説明する。図３１に示すように、演出モードＢでは、基本的には表示部５０ａにおいて、確変専用背景画像Ｇ１１０を背景画像として、演出モードＡと同様に演出図柄ＥＺ１〜ＥＺ３の可変表示が行われる。なお、演出モードＢが示唆する確変遊技状態では、通常遊技状態に比べて全体的に特図変動時間が短いため、基本的には３つの演出図柄ＥＺ１〜ＥＺ３が同時に表示部５０ａの上下方向中央で急に止まって停止表示する。また、確変専用背景画像Ｇ１１０は、宇宙空間を飛行している様子の映像で構成されている。さらに、演出モードＢでは、基本的に右打ちで遊技が行われるので、右打ちが有利であること、または右打ちが適していることを示唆する右打ち示唆画像Ｇ１が表示部５０ａの右上部分に表示される。また、図示はされていないが、演出モードＢでは、確変遊技状態に応じた演出モードＢ用の確変専用ＢＧＭがスピーカ５２から特図変動演出の区切りに関係なくシームレスに流れている。
【０２６７】
そして、特図２抽選の結果がハズレであると、図３１（Ｃ）に示すように、ハズレ特図が停止表示されるときに、ハズレを示す態様で演出図柄ＥＺ１〜ＥＺ３が停止表示される。一方、特図２抽選の結果が大当たりであると、演出図柄ＥＺ１〜ＥＺ３の変動表示中に、最初は図３２（Ａ）に示すように、盤可動体５５ｋが表示部５０ａの中央辺りの高さ位置まで下降し、回転する。このとき、爆発して発生する煙を表す画像Ｇ２（以下、「煙画像Ｇ２」という）が表示部５０ａの画面全体に表示される。続いて、図３２（Ｂ）に示すように、盤可動体５５ｋが待機状態に戻るとともに、煙が徐々に消え去るように煙画像Ｇ２が徐々に薄くなり、縮小されていく。
【０２６８】
ここで、特図２抽選の結果が大当たり図柄Ｄであると、煙画像Ｇ２が完全になくなるとともに、大当たり演出図柄「７」による大当たりを示す演出図柄ＥＺ１〜ＥＺ３が定位置で微振動している状態で出現し、図３２（Ｃ−１）に示すように、微振動が止まって大当たりを示す演出図柄ＥＺ１〜ＥＺ３の停止表示が行われ、図３２（Ｄ−１）に示すように、大当たり図柄Ｄに応じた大当たり遊技演出が実行される。
【０２６９】
前述したように、赤図柄揃いが行われると、大当たり遊技後に確変遊技状態であることが確定する。なお、赤図柄揃いに応じた大当たり遊技演出では、大当たり図柄Ｄに当選したことを示唆する画像Ｇ３（以下、「第１大当たりタイトル画像Ｇ３」という）が表示部５０ａの中央に大きく表示される。
【０２７０】
一方、特図２抽選の結果が大当たり図柄Ｅまたは大当たり図柄Ｆであると、煙画像Ｇ２が完全になくなるとともに、大当たり演出図柄「９」による大当たりを示す演出図柄ＥＺ１〜ＥＺ３が微振動している状態で出現し、図３２（Ｃ−２）に示すように、微振動が止まって大当たりを示す演出図柄ＥＺ１〜ＥＺ３の停止表示が行われ、図３２（Ｄ−２）に示すように、青図柄揃いに応じた大当たり遊技演出が実行される。
【０２７１】
前述したように、青図柄揃いが行われると、大当たり遊技後に時短遊技状態であるか確変遊技状態であるかの判別が困難である。なお、青図柄揃いに応じた大当たり遊技演出では、大当たり図柄Ｅまたは大当たり図柄Ｆに当選したことを示唆する画像Ｇ４（以下、「第２大当たりタイトル画像Ｇ４」という）が表示部５０ａの中央に大きく表示される。
【０２７２】
前述のように、演出モードＢにおいて、盤可動体５５ｋが表示部５０ａの中央辺りの高さ位置まで下降し、回転すると共に、表示部５０ａにおいて煙画像Ｇ２が表示される演出は、大当たりの特図変動表示においてのみ実行される。すなわち、この演出は、大当たり当選を示唆している。この盤可動体５５ｋと表示部５０ａによる演出が、前述の「第１突然示唆演出」を構成する。
【０２７３】
５−４．演出モードＣにおける演出
次に、演出モードＣにおける演出について説明する。図３３に示すように、演出モードＣでは、基本的には表示部５０ａにおいて、確変時短共通背景画像Ｇ１２０を背景画像として、演出モードＢと同様に演出図柄ＥＺ１〜ＥＺ３の可変表示が行われる。確変時短共通背景画像Ｇ１２０は、飛行機が雲の上を飛行している様子の映像で構成されている。また、演出モードＣでは、基本的に右打ちで遊技が行われるので、演出モードＢと同様に、右打ち示唆画像Ｇ１が表示部５０ａの右上部分に表示される。また、図示はされていないが、演出モードＣでは、演出モードＣ用の確変時短共通ＢＧＭがスピーカ５２から特図変動演出の区切りに関係なくシームレスに流れている。
【０２７４】
さらに、演出モードＣにおいては、大当たり遊技の後から特図可変表示が実行される度に更新される更新演出が実行される。更新演出は、最初は表示部５０ａの左上部分にて行われる。具体的には、「残り○○回」という文字表記からなる第１更新演出画像Ｇ５が表示される。この第１更新演出画像Ｇ５「○○」の部分には数字が入る。そして第１更新演出画像Ｇ５の数字部分は、大当たり遊技が終了して演出モードＣが設定された直後は「１００」であり、その後、特図可変表示が開始される度に１つずつ減少されていく（図３３（Ａ）〜図３３（Ｄ）参照）。
【０２７５】
そして、特図２抽選の結果がハズレであると、図３３（Ｃ）に示すように、ハズレ特図が停止表示されるときに、ハズレを示す態様で演出図柄ＥＺ１〜ＥＺ３が停止表示される。一方、特図２抽選の結果が大当たりであると、演出図柄ＥＺ１〜ＥＺ３の変動表示中において、最初は図３４（Ａ）に示すように、確変時短共通背景画像Ｇ１２０が、飛行機が少し下降して雲の中に入る内容に切り替わる。
【０２７６】
ここで、特図２抽選の結果が大当たり図柄Ｄであると、図３４（Ｂ−１）に示すように、確変時短共通背景画像Ｇ１２０が、飛行機がさらに下降して雲から抜け出してベースボールスタジアムの上空に出てくる内容に切り替わり、図３４（Ｃ−１）に示すように、大当たり演出図柄「７」による大当たりを示す演出図柄ＥＺ１〜ＥＺ３の停止表示が行われ、図３４（Ｄ−１）に示すように、大当たり図柄Ｄに応じた大当たり遊技演出が実行される。前述したように、赤図柄揃いが行われると、大当たり遊技後に確変遊技状態であることが確定する。なお、赤図柄揃いに応じた大当たり遊技演出では、演出ボードＢの場合と同様に、第１大当たりタイトル画像Ｇ３が表示部５０ａの中央に大きく表示される。
【０２７７】
一方、特図２抽選の結果が大当たり図柄Ｅまたは大当たり図柄Ｆであると、図３４（Ｂ−２）に示すように、確変時短共通背景画像Ｇ１２０が、飛行機がさらに下降して雲から抜け出してサッカースタジアムの上空に出てくる内容に切り替わり、図３４（Ｃ−２）に示すように、大当たり演出図柄「９」による大当たりを示す演出図柄ＥＺ１〜ＥＺ３の停止表示が行われ、図３４（Ｄ−２）に示すように、大当たり図柄Ｅまたは大当たり図柄Ｆに応じた大当たり遊技演出が実行される。前述したように、青図柄揃いが行われると、大当たり遊技後に確変遊技状態であるか時短遊技状態であるかの判別が困難である。なお、青図柄揃いに応じた大当たり遊技演出では、演出ボードＢの場合と同様に、第２大当たりタイトル画像Ｇ４が表示部５０ａの中央に大きく表示される。
【０２７８】
なお、演出モードＣにおいて特図可変表示が１００回実行されるまでの間、すなわち、滞在している遊技状態が確変遊技状態、または時短遊技状態の何れであるかが判別困難な期間においては、表示部５０ａに表示される確変時短共通背景画像Ｇ１２０の一部として飛行機が雲の中を飛行する内容の映像が表示される演出は、大当たりの特図変動表示においてのみ実行される。すなわち、この演出は、大当たり当選を示唆している。以下において、この飛行機が雲の中を飛行する内容の映像が表示される演出が、前述の「第２大当たり示唆演出」を構成している。
【０２７９】
次に、遊技状態が時短遊技状態であり、演出モードが演出モードＣであるときに、大当たり当選することなく特図可変表示が１００回実行され、通常遊技状態、および演出モードＡに移行するケースについて説明する。例えば、図３５（Ａ）に示すように、時短遊技状態、および演出モードＣが設定されてから９９回目の特図２抽選の結果がハズレであり、ハズレを示す演出図柄ＥＺ１〜ＥＺ３の停止表示が行われていたとする。なお、このとき、演出モードＣが設定されてから９９回の特図可変表示が実行されているので、第１更新演出画像Ｇ５の数字部分は、「１」となっている。
【０２８０】
続いて、演出モードＣが設定されてから１００回目の特図可変表示が開始されると、図３５（Ｂ）に示すように、演出図柄ＥＺ１〜ＥＺ３の変動表示が開始され、第１更新演出画像Ｇ５の数字部分が「１」減算されて、「０」となる。ここで、この１００回目の特図可変表示に係る特図２抽選の結果がハズレであると、図３５（Ｃ）に示すように、ハズレを示す演出図柄ＥＺ１〜ＥＺ３の停止表示が行われる。そして、１００回目の特図可変表示が終了したので、この際に時短遊技状態から通常遊技状態に移行すると共に、演出モードＣから演出モードＡに移行する。
【０２８１】
具体的には、１００回目の特図可変表示が終えると、例えば、図３５（Ｄ）に示すように、次の特図可変表示が開始されるときに、背景画像が確変時短共通背景画像Ｇ１２０から通常用背景画像Ｇ１００に切り替わり、ＢＧＭが確変時短共通ＢＧＭから通常用ＢＧＭに切り替わり、右打ち示唆画像Ｇ１、および第１更新演出画像Ｇ５が消去される。また、遊技状態が通常遊技状態であることから、左打ちで遊技を進めることが有利で適切であるため、左打ちが有利であること、または左打ちが適していることを示唆する左打ち示唆画像Ｇ６が表示部５０ａの左上に表示される。なお、左打ち示唆画像Ｇ６は、表示されてから所定期間（例えば、５秒）経過すると消去される。
【０２８２】
次に、遊技状態が確変遊技状態であり、演出モードが演出モードＣであるときに、大当たり当選することなく特図可変表示が１００回実行され、確変遊技状態、および演出モードＣが継続するケースについて説明する。例えば、図３６（Ａ）に示すように、確変遊技状態、および演出モードＣが設定されてから９９回目の特図２抽選の結果がハズレであり、ハズレを示す演出図柄ＥＺ１〜ＥＺ３の停止表示が行われていたとする。なお、このとき、演出モードＣが設定されてから９９回の特図可変表示が実行されているので、第１更新演出画像Ｇ５の数字部分は、「１」となっている。
【０２８３】
次に、演出モードＣが設定されてから１００回目の特図可変表示が開始されると、図３６（Ｂ）に示すように、演出図柄ＥＺ１〜ＥＺ３の変動表示が開始され、第１更新演出画像Ｇ５の数字部分が「１」減算されて、「０」となる。ここで、この１００回目の特図可変表示に係る特図２抽選の結果がハズレであると、図３６（Ｃ）に示すように、ハズレを示す演出図柄ＥＺ１〜ＥＺ３の停止表示が行われる。
【０２８４】
そして、１００回目の特図可変表示が終えたこの後も基本的には演出モードＣが継続される。しかし、この前後で変更される点もある。具体的には、例えば、図３６（Ｄ）に示すように、次の特図可変表示が開始される直前に、更新演出の演出態様が変化し、第１更新演出画像Ｇ５から、高確率状態且つ時短状態であることを示唆すると共に、確変遊技状態が終了するまでの特図可変表示の残り回数を認識可能な第２更新演出画像Ｇ７に切り替わる。なお、確変時短共通背景画像Ｇ１２０および右打ち示唆画像Ｇ１は引き続き表示され、確変時短共通ＢＧＭも引き続き出力される。
【０２８５】
第２更新演出画像Ｇ７は、「試合開始まであと○○分」という文字表記で構成されている。この第２更新演出画像Ｇ７「○○」の部分には数字が入る。第１更新演出画像Ｇ５から第２更新演出画像Ｇ７に切り替わったときに、確変遊技状態が終了するまで実行可能な特図可変表示の回数は、高確率規定回数から１００回を減算した６０回であるので、切り替わった直後は、数字部分に「６０」が表示される。その後、特図可変表示が開始される度に第２更新演出画像Ｇ７の数字部分が１つずつ減少されていく。
【０２８６】
また、演出モードＣであるときに時短遊技状態であれば、当該演出モードＣが設定されてから大当たり当選することなく１００回の特図可変表示が実行されると、通常遊技状態に設定され、演出モードＡに設定される。よって、当該演出モードＣが設定されてから大当たり当選することなく１００回の特図可変表示が実行されても、演出モードＣが継続するということは、確変遊技状態に滞在していることを意味する。
【０２８７】
このように、確変遊技状態であり、演出モードＣが設定されてから１００回の特図可変表示が実行された後は、確変遊技状態であることが判明し、確定している期間であるということができる。以下において、この期間のことを「演出モードＣ確定期間」という。これに対して、確変遊技状態、または時短遊技状態であり、演出モードＣが設定されてから１００回の特図可変表示が実行されるまでの期間は、確変遊技状態であるのか時短遊技状態であるのかを特定できず、遊技状態が秘匿されている期間であるということができる。以下において、この期間のことを「演出モードＣ秘匿期間」という。
【０２８８】
ここで、演出モードＣ確定期間では、ハズレの場合は、演出モードＣ秘匿期間と同様な特図変動演出が実行されるが、大当たりの場合、演出モードＣ秘匿期間と異なる態様の特図変動演出が実行される。具体的には、演出モードＣ確定期間では、大当たり変動において、演出モードＢの場合と同様に、第１突然示唆演出が実行される。すなわち、演出モードＣ秘匿期間では、大当たり変動で第２突然示唆演出が実行される一方、演出モードＣ確定期間の前は、大当たり変動で第１突然示唆演出が実行される。
【０２８９】
例えば、演出モードＣ確定期間に突入してから３０回目の特図変動表示が行われているとする。よって、このとき第２更新演出画像Ｇ７は「試合開始まであと３０分」となっている。そして、図３７（Ａ）に示すように、特図変動演出の途中で、盤可動体５５ｋが表示部５０ａの中央辺りの高さ位置まで下降し、回転すると共に、煙画像Ｇ２が表示部５０ａの画面全体に表示される。続いて、図３７（Ｂ）に示すように、盤可動体５５ｋが待機状態に戻るとともに、煙が徐々に消え去るように煙画像Ｇ２が徐々に薄くなり、縮小されていく。そして、最後に図３７（Ｃ−１）〜図３７（Ｄ−１）、または図３７（Ｃ−２）〜図３７（Ｄ−２）に示すように、大当たりを示す演出図柄ＥＺ１〜ＥＺ３の停止表示が行われてから大当たり遊技演出が行われる。
【０２９０】
前述したように、赤図柄揃いが行われると、大当たり遊技後に確変遊技状態であることが確定する。なお、赤図柄揃いに応じた大当たり遊技演出では、大当たり図柄Ｄに当選したことを示唆する画像Ｇ３（以下、「第１大当たりタイトル画像Ｇ３」という）が表示部５０ａの中央に大きく表示される。
【０２９１】
以上、演出モードＢと演出モードＣの演出的な特徴をまとめると図３８のようになる。赤図柄揃いで確変遊技状態となって演出モードＢで演出が実行されると、表示部５０ａに宇宙で構成される確変専用背景画像Ｇ１１０が表示され、スピーカ５２から確変専用ＢＧＭが出力される。また、大当たりのときには、大当たりを示唆する第１突然示唆演出が実行される。
【０２９２】
また、青図柄揃いで確変遊技状態、または時短遊技状態となって演出モードＣに突入すると、演出モードＣ秘匿期間では、表示部５０ａに空で構成される確変時短共通背景画像Ｇ１２０が表示され、スピーカ５２から確変時短共通ＢＧＭが出力され、更新演出が実行される。また、大当たりのときには、大当たりを示唆する第２大当たり示唆演出が実行される。
【０２９３】
さらに、青図柄揃いで設定された確変遊技状態が所定期間続いて、時短遊技状態であれば演出モードＣが終了するタイミング以降も演出モードＣが継続している演出モードＣ確定期間でも、表示部５０ａに空で構成される確変時短共通背景画像Ｇ１２０が表示され、スピーカ５２から確変時短共通ＢＧＭが出力される。しかしながら、更新演出の演出態様が第１更新演出画像Ｇ５から第２更新演出画像Ｇ７に切り替わる。また、大当たりのときには、大当たりを示唆する第１突然示唆演出が実行される。
【０２９４】
このように、確変遊技状態における演出モードＣ秘匿期間と演出モードＣ確定期間とで、特図変動演出において大当たりを示唆する突然示唆演出の演出態様を異ならせることで、演出モードＣにおける突然示唆演出の単調化を防ぎ、演出効果を高めることができる。それに加えて、確変遊技状態が明確である演出モードＢの全期間と演出モードＣ確定期間とで、同一の第１突然示唆演出が実行されるので、遊技者に大当たり当選を認識させ易くし、演出効果の低下を抑えることができる。さらに、第１突然示唆演出では、早いテンポで特図変動演出が繰り返し実行されている中で、突然、盤可動体５５ｋを作動させるので、第１突然示唆演出のインパクトを強め、演出効果を向上させることができる。
【０２９５】
また、演出モードＣにおいて、演出モードＣ秘匿期間と演出モードＣ確定期間とで、異なる態様の更新演出が実行される。具体的には、演出モードＣ秘匿期間では、第１更新演出画像Ｇ５によって回数がカウントダウンされる態様（第１態様）の更新演出が実行され、演出モードＣ確定期間では、第２更新演出画像Ｇ７によって時間が減少していく態様（第２態様）の更新演出が実行される。よって、更新演出の単調化を防ぎ、演出効果を高めることができる。また、確変遊技状態でのみ発生可能な演出モードＣ確定期間でのみ第２態様の更新演出が実行される一方、確変遊技状態または時短遊技状態の何れでも発生可能な演出モードＣ秘匿期間では第１態様の更新演出が実行されるので、演出モードＣ確定期間にプレミアム感を与え、演出モードＣ確定期間の演出効果を高めることができる。また、演出モードＣ秘匿期間で行われる更新演出は、時短遊技状態であれば通常遊技状態になるタイミングまでの残り期間が示唆されるので、遊技者のドキドキ感を高め、遊技興趣を向上させることができる。また、確変遊技状態の演出モードＣにおいて、演出モードＣ秘匿期間から演出モードＣ確定演出に切り替わるタイミングで、更新演出の演出態様が変化することは演出モードＣが終了せずに継続することを示唆する継続演出が実行されているということができる。そのため、遊技者に安心感を与えると共に、演出モードＣの継続を認識し易くして演出効果の低下を防ぐことができる。
【０２９６】
また、時短遊技状態および演出モードＣが設定されて大当たりに当選することなく時短規定回数の特図可変表示が実行されると、時短遊技状態から通常遊技状態に移行すると共に、演出モードＣから演出モードＡに移行する。一方、確変遊技状態および演出モードＣが設定されて大当たりに当選することなく時短規定回数の特図可変表示が実行されても、確変遊技状態および演出モードＣが継続する。このように、演出モードＣにおいて、時短遊技状態であれば通常遊技状態になるタイミングを過ぎても演出モードＣが継続することで、遊技者に確変遊技状態であることを認知させ、遊技興趣の低下を防ぐことができる。
【０２９７】
６．演出制御基板１２０による演出の制御
［演出制御メイン処理］
次に図３９〜図４３のフローチャートを用いて、演出制御基板１２０による演出の制御について説明する。なお、以下の演出制御基板１２０による演出の制御の説明において登場するカウンタ、タイマ、フラグ、バッファ等は、演出用ＲＡＭ１２４に設けられている。演出制御基板１２０に備えられた演出制御用マイコン１２１は、パチンコ遊技機ＰＹ１が電源投入されると、図３９に示したサブ制御メイン処理のプログラムを演出用ＲＯＭ１２３から読み出して実行する。
【０２９８】
同図に示すように、サブ制御メイン処理では、最初に、電源投入に応じた電源投入時処理を行う(S4001)。電源投入時処理では、例えば、演出用ＣＰＵ１２２の設定、ＳＩＯ、ＰＩＯ、ＣＴＣ（割り込み時間の管理のための回路）等の設定等を行う。
【０２９９】
次に、割り込みを禁止し(S4002)、乱数シード更新処理を実行する(S4003)。乱数シード更新処理(S4003)では、種々の演出に関する判定を行うための種々の演出判定用乱数カウンタの値を更新する。なお、演出判定用乱数には、特図変動演出パターン判定用乱数等の演出内容を決定するための様々な乱数がある。
【０３００】
種々の演出についての判定用乱数カウンタの更新方法は、一例として、前述の遊技制御基板１００が行う乱数更新処理と同様の方法をとることができる。更新に際して乱数値を１ずつ加算するのではなく、２ずつ加算するなどしてもよい。これは、前述の遊技制御基板１００が行う乱数更新処理においても同様である。
【０３０１】
乱数シード更新処理が終了すると、コマンド送信処理を実行する(S4004)。コマンド送信処理では、演出制御基板１２０の演出用ＲＡＭ１２４内の出力バッファに格納されている各種のコマンド（例えば、後述する特図変動演出開始コマンド、客待ち開始コマンド、オープニング演出開始コマンド、ラウンド演出開始コマンド、およびエンディング演出開始コマンドなど）を、画像制御基板１４０に送信する。
【０３０２】
コマンドを受信した画像制御基板１４０は、受信したコマンドに従って、表示部５０ａに画像を表示する（画像による種々の演出を実行する）。また、演出制御基板１２０は、画像制御基板１４０によって行われる種々の演出とともに、音声制御回路１６１を介してスピーカ５２から音声を出力させたり（音声による種々の演出を実行したり）、サブドライブ基板１６２を介して枠ランプ５３を発光させたり（発光による種々の演出を実行したり）、盤可動体５５ｋを作動させたり（動作による種々の演出を実行したり）する。なお、種々の演出としては、特図変動演出、大当たり遊技演出（オープニング演出、ラウンド演出、エンディング演出）、客待ち演出、および保留演出等がある。
【０３０３】
演出制御用マイコン１２１は続いて、割り込みを許可する(S4005)。以降、ステップS4002〜ステップS4005をループさせる。割り込み許可中においては、受信割り込み処理(S4010)、１ｍｓタイマ割り込み処理(S4011)、および１０ｍｓタイマ割り込み処理(S4012)の実行が可能となる。１ｍｓタイマ割り込み処理(S4011)、および１０ｍｓタイマ割り込み処理(S4012)については後述する。
【０３０４】
受信割り込み処理(S4010)は、ストローブ信号、すなわち、遊技制御基板１００から送られた各種のコマンドが演出制御用マイコン１２１の外部ＩＮＴ入力部に入力される度に実行される。受信割り込み処理(S4010)では、演出制御用マイコン１２１は遊技制御基板１００の出力処理(S101)により送信されてきて受信した各種のコマンドを演出用ＲＡＭ１２４の受信バッファに格納する。この受信割り込み処理は、他の割り込み処理(S4011、S4012)に優先して実行される。
【０３０５】
［１ｍｓタイマ割り込み処理］
次に図４０を用いて１ｍｓタイマ割り込み処理について説明する。１ｍｓタイマ割り込み処理(S4011)は、演出制御基板１２０に１ｍｓｅｃ周期の割り込みパルスが入力される度に実行される。演出制御用マイコン１２１は、１ｍｓタイマ割り込み処理(S4011)ではまず、入力処理を行う(S4101)。入力処理では、演出制御用マイコン１２１は、第１演出ボタン検知センサ４０ａからの検出信号に基づいて第１演出ボタンスイッチデータを作成する。演出制御用マイコン１２１は、第２演出ボタン検知センサ４１ａからの検出信号に基づいて第２演出ボタンスイッチデータを作成する。
【０３０６】
続いて、演出制御用マイコン１２１は、発光データ出力処理を行う(S4102)。発光データ出力処理では、演出制御用マイコン１２１は、画像による演出等に合うタイミングなどで枠ランプ５３を発光させるべく、後述の１０ｍｓタイマ割り込み処理における発光データ作成処理(S4207)で作成された発光データをサブドライブ基板１６２に出力する。つまり、演出制御用マイコン１２１は、発光データに従って枠ランプ５３を所定の発光態様で発光させる。
【０３０７】
次いで、演出制御用マイコン１２１は、可動装置制御処理を行う(S4103)。可動装置制御処理では、演出制御用マイコン１２１は、所定のタイミングで盤可動体５５ｋを駆動させるべく、駆動データ（盤可動体５５ｋの駆動のためのデータ）を作成し、または、出力する。つまり、演出制御用マイコン１２１は、駆動データに従って、盤可動体５５ｋを所定の動作態様で駆動させる。
【０３０８】
そして、演出制御用マイコン１２１は、ウォッチドッグタイマのリセット設定を行うウォッチドッグタイマ処理を行って(S4104)、１ｍｓタイマ割り込み処理を終える。
【０３０９】
［１０ｍｓタイマ割り込み処理］
次に図４１を用いて１０ｍｓタイマ割り込み処理について説明する。１０ｍｓタイマ割り込み処理(S4012)は、演出制御基板１２０に１０ｍｓｅｃ周期の割り込みパルスが入力される度に実行される。演出制御用マイコン１２１は、１０ｍｓタイマ割り込み処理ではまず、ステップS4010で受信バッファに格納したコマンドなどを解析する受信コマンド解析処理を行う(S4201)。受信コマンド解析処理については後述する。
【０３１０】
次いで、演出制御用マイコン１２１は、音声制御処理を行う(S4202)。音声制御処理では、演出用ＲＡＭ１２４にセットされる特図変動演出データなどが示す演出内容などに基づいて、音声データ（スピーカ５２からの音声の出力を制御するデータ）の作成と音声制御回路１６１への出力が行われる。
【０３１１】
次いで、演出制御用マイコン１２１は、発光データ作成処理を行う(S4203)。発光データ作成処理では、演出用ＲＡＭ１２４にセットされる特図変動演出データなどが示す演出内容などに基づいて、発光データの作成が行われる。
【０３１２】
［受信コマンド解析処理］
次に図４２〜図４３を用いて受信コマンド解析処理について説明する。演出制御用マイコン１２１は、受信コマンド解析処理ではまず、遊技制御基板１００から始動入賞コマンド(第１始動入賞コマンド又は第２始動入賞コマンド)を受信したか否か、言い換えれば、始動入賞コマンドを受信バッファに格納したか否かを判定する(S4301)。演出制御用マイコン１２１は、始動入賞コマンドを受信していれば(S4301でYES)、ステップS4302に進む一方、始動入賞コマンドを受信していなければ(S4301でNO)、ステップS4303に進む。
【０３１３】
ステップS4302において、演出制御用マイコン１２１は、第１始動口１１や第２始動口１２に遊技球が入賞することに応じた始動入賞時処理を行う。始動入賞時処理では、受信した始動入賞コマンドを演出用ＲＡＭ１２４にある始動入賞コマンド保留記憶部１２５に記憶する。次に、演出制御用マイコン１２１は、その記憶した始動入賞コマンドを解析して、大当たり期待度を示す先読み演出を実行するか否かの抽選を行う。先読み演出には、特図保留数を特別態様で表示する保留演出の他に、連続する複数回の特別図柄の変動表示にわたって相互に関連する連続予告演出等がある。これらの先読み演出を実行すると決定した場合には、決定した演出を実行するための先読み演出開始コマンドを演出用ＲＡＭ１２４の出力バッファにセットする。
【０３１４】
ステップS4303において、演出制御用マイコン１２１は、遊技制御基板１００から図柄指定コマンドを受信したか否か、言い換えれば、図柄指定コマンドを受信バッファに格納したか否かを判定する。演出制御用マイコン１２１は、図柄指定コマンドを受信していなければ(S4303でNO)、ステップS4305に進む一方、図柄指定コマンドを受信していれば(S4303でYES)、図柄指定コマンドを演出用ＲＡＭ１２４にある図柄指定コマンド記憶部１２６に記憶する（S4304）。
【０３１５】
ステップS4305において、演出制御用マイコン１２１は、遊技制御基板１００から特図変動開始コマンドを受信したか否か、言い換えれば、特図変動開始コマンドを受信バッファに格納したか否かを判定する。特図変動開始コマンドを受信していなければ(S4305でNO)、ステップS4308に進む一方、特図変動開始コマンドを受信していれば(S4305でYES)、特図変動演出の演出内容を決定し、特図変動演出を開始させるための特図変動演出開始処理(S4306)、および更新演出に関する更新演出制御処理（S4307）を行う。
【０３１６】
演出制御用マイコン１２１は、特図変動演出開始処理では、まず、ステップS4304で既に記憶した図柄指定コマンドが示す停止特図の内容（大当たり図柄の種別、ハズレ特図）と特図変動開始コマンドが示す特図変動パターンに基づいて、停止演出図柄を判定する停止図柄判定を行うための停止図柄パターン判定テーブルを選択する。停止図柄パターン判定テーブルは、特図および特図変動パターンに関連づけられて複数設けられている。よって、演出制御用マイコン１２１は、停止図柄の種別および特図変動パターンに対応付けられた停止図柄パターン判定テーブルを１つ選択する。各停止図柄パターン判定テーブルには、所定の振分率（％）となるように、複数の停止演出図柄に停止図柄パターン判定用乱数の値（停止図柄パターン判定値）が振り分けられている。次に、演出制御用マイコン１２１は、停止図柄パターン判定用乱数カウンタが示す値を停止図柄パターン判定用乱数として取得し、取得した停止図柄パターン判定用乱数に基づいて停止図柄パターン判定を行う。演出制御用マイコン１２１は、停止図柄パターン判定において、選択した停止図柄パターンテーブルに、取得した停止図柄パターン判定用乱数を照合し、停止演出図柄を決定して、決定した停止演出図柄を表すデータを演出用ＲＡＭ１２４の所定領域にセットする。例えば、特図変動パターンがリーチ無しハズレ変動であれば所謂「バラケ目」となるように演出図柄ＥＺ１〜ＥＺ３の組み合わせが選択される。また、特図変動パターンがリーチ有りハズレ変動であれば、左演出図柄ＥＺ１と右演出図柄ＥＺ３とが同一の種類で、中演出図柄ＥＺ２がそれらと異なる種類となるように演出図柄ＥＺ１〜ＥＺ３の組み合わせが選択される。さらに、特図変動パターンが大当たり変動であれば、演出モードおよび大当たり図柄の種別に応じて所謂「ゾロ目」となるように演出図柄ＥＺ１〜ＥＺ３の組み合わせが選択される。
【０３１７】
次に、演出制御用マイコン１２１は、滞在している演出モードと特図変動開始コマンドが示す特図変動パターンに基づいて、特図変動演出の演出内容である特図変動演出パターンを判定する特図変動演出パターン判定を行うための特図変動演出パターン判定テーブルを選択する。特図変動演出パターン判定テーブルは、演出モードおよび特図変動パターンに関連づけられて複数設けられている。よって、演出制御用マイコン１２１は、特図変動パターンに対応付けられた特図変動演出パターン判定テーブルを１つ選択する。各特図変動演出パターン判定テーブルには、所定の振分率（％）となるように、１又は複数の特図変動演出パターンに特図変動演出パターン判定用乱数の値（特図変動演出パターン判定値）が振り分けられている。続いて、演出制御用マイコン１２１は、特図変動演出パターン判定用乱数カウンタが示す値を特図変動演出パターン判定用乱数として取得し、取得した特図変動演出パターン判定用乱数に基づいて特図変動演出パターン判定を行う。演出制御用マイコン１２１は、特図変動演出パターン判定において、選択した特図変動演出パターンテーブルに、取得した特図変動演出パターン判定用乱数を照合し、特図変動演出パターンを決定して、決定した特図変動演出パターンを表すデータを演出用ＲＡＭ１２４の所定領域にセットし、特図変動演出パターンを表す特図変動演出開始コマンドを演出用ＲＡＭ１２４の出力バッファにセットする。
【０３１８】
特図変動演出開始コマンドには、画像表示装置５０で行われる画像による特図変動演出の他に、スピーカ５２から出力される音声による特図変動演出、枠ランプ５３で行われる発光による特図変動演出の演出内容、および、盤可動体５５ｋで行われる動作による特図変動演出の演出内容が含まれている。
【０３１９】
演出用ＲＡＭ１２４の出力バッファにセットされた特図変動演出開始コマンドが、コマンド送信処理(S4004)により画像制御基板１４０に送信されると、画像制御基板１４０の画像用ＣＰＵ１４１は、画像用ＲＯＭ１４２から所定の演出画像を読み出して、画像表示装置５０の表示部５０ａにて画像による特図変動演出を行う。また、演出制御用マイコン１２１は、画像制御基板１４０によって行われる画像による特図変動演出が行われている間、画像制御基板１４０に送信された特図変動演出開始コマンドが示す特図変動演出内容に応じて、音声制御回路１６１を介してスピーカ５２から音声を出力させ（音声による特図変動演出を実行し）、また、サブドライブ基板１６２を介して枠ランプ５３を発光させ（発光による特図変動演出を実行し）、盤可動体５５ｋを作動させる（動作による特図変動演出を実行する）。
【０３２０】
また、演出制御用マイコン１２１は、更新演出制御処理において、演出モードＣ秘匿期間であるか否かを判定して、演出モードＣ秘匿期間であれば、第１更新演出画像Ｇ５の数字部分を「１」減算させることを示す更新演出開始コマンドを演出用ＲＡＭ１２４の出力バッファにセットする。演出用ＲＡＭ１２４の出力バッファにセットされた更新演出開始コマンドが、コマンド送信処理(S4004)により画像制御基板１４０に送信されると、画像制御基板１４０の画像用ＣＰＵ１４１は、第１更新演出画像Ｇ５の数字部分を「１」減算させる。なお、演出モードＣ秘匿期間であるか否かの判定は、例えば、演出制御用マイコン１２１が後述するステップS4317の演出モード設定処理において、演出モードＣを設定する際に演出モードＣ秘匿期間であることを示すフラグを演出用ＲＡＭ１２４の所定領域にＯＮすることによって、そのフラグのＯＮ／ＯＦＦに基づいて行われるようにしても良い。また、演出制御用マイコン１２１は、演出モードＣ秘匿期間であることを示すフラグがＯＮされた場合は、例えば後述するステップS4310の演出モード判定処理において、演出モードＣが設定されてから特図可変表示が実行される回数を計数しておき、その回数が１００回に達したことを条件にＯＦＦしても良い。
【０３２１】
ステップS4308において、演出制御用マイコン１２１は、遊技制御基板１００から特図変動停止コマンドを受信したか否か、言い換えれば、特図変動停止コマンドを受信バッファに格納したか否かを判定する。演出制御用マイコン１２１は、特図変動停止コマンドを受信していなければ(S4308でNO)、ステップS4311に進む一方、特図変動停止コマンドを受信していれば(S4308でYES)、特図変動演出を終了させる（演出図柄の変動表示を停止し、停止表示を行う）ための特図変動演出終了処理(S4309)、および演出モードを変更させるか否かの判定を含む演出モード判定処理（S4310）を行う。
【０３２２】
演出制御用マイコン１２１は、特図変動演出終了処理では、特図変動停止コマンドを解析し、その解析結果に基づいて、特図変動演出を適宜に終了（演出図柄ＥＺ１〜ＥＺ３の変動表示を停止）させるための特図変動演出終了コマンドを演出用ＲＡＭ１２４の出力バッファにセットする。画像制御基板１４０は、特図変動演出終了コマンドを受信すると、実行中の特図変動演出を終了（変動中の演出図柄ＥＺ１〜ＥＺ３を停止）する。
【０３２３】
また、演出制御用マイコン１２１は、演出モード判定処理では、現在の遊技状態および演出モードを確認して、遊技状態が低確率状態且つ時短状態であり、演出モードが演出モードＣであれば、当該演出モードが設定されてから実行された特図可変表示の実行回数を計数し、その回数が１００回に達したことを条件に、演出モードＡに変更するために、演出モードＡに変更されることを示す演出モードＡ開始コマンドを演出用ＲＡＭ１２４の出力バッファにセットする。演出用ＲＡＭ１２４の出力バッファにセットされた演出モードＡ開始コマンドが、コマンド送信処理(S4004)により画像制御基板１４０に送信されると、画像制御基板１４０の画像用ＣＰＵ１４１は、特図可変表示が終了するタイミングで、背景画像を通常用背景画像Ｇ１００に切り替え、ＢＧＭを通常用ＢＧＭに切り替え、右打ち示唆画像Ｇ１および第１更新演出画像Ｇ５を消去し、左打ち示唆画像Ｇ６を表示する。すなわち、右打ち示唆演出および更新演出を終了させて、左打ち示唆演出を所定時間実行する。
【０３２４】
さらに、演出制御用マイコン１２１は、演出モード判定処理では、遊技状態が高確率状態且つ時短状態であり、演出モードが演出モードＣであれば、当該演出モードが設定されてから実行された特図可変表示の実行回数を計数し、その回数が１００回に達したことを条件に、更新演出から確変示唆演出に変更するために、確変示唆演出に変更されることを示す確変示唆演出開始コマンドを演出用ＲＡＭ１２４の出力バッファにセットする。演出用ＲＡＭ１２４の出力バッファにセットされた確変示唆演出開始コマンドが、コマンド送信処理(S4004)により画像制御基板１４０に送信されると、画像制御基板１４０の画像用ＣＰＵ１４１は、特図可変表示が終了するタイミングで、第１更新演出画像Ｇ５から第２更新演出画像Ｇ７に切り替える。
【０３２５】
また、演出制御用マイコン１２１は、演出モード判定処理では、現在の遊技状態および演出モードを確認して、遊技状態が高確率状態且つ時短状態であり、演出モードが演出モードＢ、または演出モードＣであれば、当該演出モードが設定されてから実行された特図可変表示の実行回数を計数し、その回数が１００００回に達したことを条件に、演出モードＡに変更するために、演出モードＡに変更されることを示す演出モードＡ開始コマンドを演出用ＲＡＭ１２４の出力バッファにセットする。演出用ＲＡＭ１２４の出力バッファにセットされた演出モードＡ開始コマンドが、コマンド送信処理(S4004)により画像制御基板１４０に送信されると、画像制御基板１４０の画像用ＣＰＵ１４１は、特図可変表示が終了するタイミングで、背景画像を通常用背景画像Ｇ１００に切り替え、ＢＧＭを通常用ＢＧＭに切り替え、右打ち示唆画像Ｇ１および第１更新演出画像Ｇ５を消去し、左打ち示唆画像Ｇ６を表示する。すなわち、右打ち示唆演出および更新演出を終了させて、左打ち示唆演出を所定時間実行する。
【０３２６】
なお、演出モードの確認は、演出モードごとに演出モードフラグを設定し、演出用ＲＡＭ１２４の所定領域でＯＮ／ＯＦＦ可能にしておき、演出モードを変更するタイミングで、変更する演出モードに応じた演出モードフラグに切り替えてＯＮするようにしても良い。
【０３２７】
ステップS4311において、演出制御用マイコン１２１は、遊技制御基板１００からオープニングコマンドを受信したか否か、言い換えれば、オープニングコマンドを受信バッファに格納したか否かを判定する。演出制御用マイコン１２１は、オープニングコマンドを受信していなければ(S4311でNO)、ステップS4313に進む一方、オープニングコマンドを受信していれば(S4311でYES)、大当たり遊技のオープニングの開始に伴う大当たりオープニング演出開始処理を行う(S4312)。演出制御用マイコン１２１は、オープニング演出開始処理では、オープニングコマンドを解析して、その解析結果に基づいて、これから実行される大当たり遊技のオープニングに応じたオープニング演出を実行するか否かを判定し、実行するのであればオープニング演出の演出内容（オープニング演出パターン）を選択し、選択したオープニング演出パターンにてオープニング演出を開始するためのオープニング演出開始コマンドを演出用ＲＡＭ１２４の出力バッファにセットする。また、演出制御用マイコン１２１は、オープニング演出開始処理においてＯＮしている演出モードをＯＦＦにして、一旦演出モードをクリアにしても良い。
【０３２８】
ステップS4313において、演出制御用マイコン１２１は、遊技制御基板１００からラウンド数指定コマンドを受信したか否か、言い換えれば、ラウンド数指定コマンドを受信バッファに格納したか否かを判定する。ラウンド数指定コマンドを受信していなければ(S4313でNO)、ステップS4315に進む一方、ラウンド数指定コマンドを受信していれば(S4313でYES)、ラウンド遊技の開始に伴うラウンド演出開始処理を行う(S4314)。演出制御用マイコン１２１は、ラウンド演出開始処理では、ラウンド数指定コマンドを解析して、これから開始されるラウンド遊技に応じたラウンド演出を実行するか否かを判定し、実行するのであればラウンド演出の演出内容（ラウンド演出パターン）を選択し、選択したラウンド演出パターンに応じたラウンド演出開始コマンドを演出用ＲＡＭ１２４の出力バッファにセットする。
【０３２９】
ステップS4315において、演出制御用マイコン１２１は、遊技制御基板１００からエンディングコマンドを受信したか否か、言い換えれば、エンディングコマンドを受信バッファに格納したか否かを判定する。エンディングコマンドを受信していなければ(S4315でNO)、ステップS4318に進む一方、大当たりエンディングコマンドを受信していれば(S4315でYES)、大当たり遊技のエンディングの開始に伴う大当たりエンディング演出開始処理(S4316)および演出モード設定処理（S4317）を行う。
【０３３０】
演出制御用マイコン１２１は、大当たりエンディング演出開始処理において、大当たりエンディングコマンドを解析して、これから実行される大当たり遊技のエンディングに応じた大当たりエンディング演出を実行するか否かを判定し、実行するのであれば大当たりエンディング演出の演出内容（大当たりエンディング演出パターン）を選択し、選択した大当たりエンディング演出パターンに応じた大当たりエンディング演出開始コマンドを演出用ＲＡＭ１２４の出力バッファにセットする。
【０３３１】
また、演出制御用マイコン１２１は、演出モード設定処理において、エンディングコマンドの解析結果、具体的には、エンディングコマンドが示す大当たり図柄に基づいて、大当たり遊技後の演出モードを設定するための処理（演出モードを制御するための処理）を行う。
【０３３２】
例えば、大当たり図柄Ａ、または大当たり図柄Ｄであると、高確率状態且つ時短状態を示唆する演出モードＢに設定する。例えば、演出モードＢを示す演出モードフラグを演出用ＲＡＭ１２４の所定領域にＯＮすると共に、演出モードＢに設定されることを示す演出モードＢ開始コマンドを演出用ＲＡＭ１２４の出力バッファにセットする。演出用ＲＡＭ１２４の出力バッファにセットされた演出モードＢ開始コマンドが、コマンド送信処理(S4004)により画像制御基板１４０に送信されると、画像制御基板１４０の画像用ＣＰＵ１４１は、エンディングが終了するタイミングで、背景画像として確変専用背景画像Ｇ１１０を表示し、ＢＧＭとして確変専用ＢＧＭを出力し、右打ち示唆画像Ｇ１を表示する。すなわち、右打ち報知演出を開始させる。
【０３３３】
また、大当たり図柄Ｂ、大当たり図柄Ｃ、大当たり図柄Ｅ、または大当たり図柄Ｆであると、高確率状態且つ時短状態、または通常確率状態且つ時短状態の何れであるか判別困難、または判別不可能な演出モードＣに設定する。例えば、演出モードＣを示す演出モードフラグを演出用ＲＡＭ１２４の所定領域にＯＮすると共に、演出モードＣに設定されることを示す演出モードＣ開始コマンドを演出用ＲＡＭ１２４の出力バッファにセットする。演出用ＲＡＭ１２４の出力バッファにセットされた演出モードＢ開始コマンドが、コマンド送信処理(S4004)により画像制御基板１４０に送信されると、画像制御基板１４０の画像用ＣＰＵ１４１は、エンディングが終了するタイミングで、背景画像として確変時短共通背景画像Ｇ１２０を表示し、ＢＧＭとして確変時短共通ＢＧＭを出力し、右打ち示唆画像Ｇ１および第１更新演出画像Ｇ５を表示する。すなわち、右打ち報知演出および更新演出を開始させる。
【０３３４】
ステップS4318において、演出制御用マイコン１２１は、遊技制御基板１００から遊技状態コマンドを受信したか否か、言い換えれば、遊技状態コマンドを受信バッファに格納したか否かを判定する。演出制御用マイコン１２１は、遊技状態コマンドを受信していなければ(S4318でNO)、ステップS4320に進む一方、遊技状態コマンドを受信していれば(S4318でYES)、遊技状態コマンドを解析して、遊技状態コマンドが表す遊技状態を特定し、遊技状態を設定するための遊技状態設定処理を行う(S4319)。
【０３３５】
演出制御用マイコン１２１は、遊技状態設定処理において、遊技状態コマンドが示す遊技状態に応じた遊技状態フラグを演出用ＲＡＭ１２４の遊技状態フラグ領域に設定する。例えば、演出制御用マイコン１２１は、遊技状態コマンドが示す遊技状態が通常遊技状態であれば遊技状態フラグ「００Ｈ」を演出用ＲＡＭ１２４の遊技状態フラグ領域に設定する。また、演出制御用マイコン１２１は、遊技状態コマンドが示す遊技状態が高確率状態且つ時短状態であれば遊技状態フラグ「０１Ｈ」を演出用ＲＡＭ１２４の遊技状態フラグ領域に設定する。さらに、演出制御用マイコン１２１は、遊技状態コマンドが示す遊技状態が通常確率状態且つ時短状態であれば遊技状態フラグ「０２Ｈ」を演出用ＲＡＭ１２４の遊技状態フラグ領域に設定する。
【０３３６】
ステップS4320において、演出制御用マイコン１２１は、遊技制御基板１００から客待ちコマンドを受信したか否か、言い換えれば、客待ちコマンドを受信バッファに格納したか否かを判定する。演出制御用マイコン１２１は、客待ちコマンドを受信していなければ(S4320でNO)、受信コマンド解析処理を終える一方、客待ちコマンドを受信していれば(S4320でYES)、客待ち演出待機処理を行い(S4321)、受信コマンド解析処理を終える。
【０３３７】
演出制御用マイコン１２１は、客待ち演出待機処理では、演出図柄の停止表示が行われてから客待ち演出を開始させるまでの待機時間（客待ち演出待機時間：例えば、２０秒）を客待ち演出タイマにセットする。なお、演出制御用マイコン１２１は、この待機時間が経過したか否かを判定可能であり、待機時間が経過したと判定すると、客待ち演出を開始させるための客待ち演出開始コマンドを演出用ＲＡＭ１２４の出力バッファにセットする。
【０３３８】
７．その他の変更例
以下、本発明の遊技機について、第１実施形態で説明した構成以外の変更例について説明する。
【０３３９】
また、第１実施形態では、演出モードＣは、青図柄揃いに係る確変遊技状態と時短遊技状態とで設定されるが、時短状態のない高確率状態と通常確率状態で設定されるようにしても良い。この場合は、第１の大当たり図柄の場合には大当たり遊技が終了する際に高確率状態且つ非時短状態に設定し、第２の大当たり図柄の場合には大当たり遊技が終了する際に通常確率状態且つ非時短状態に設定するようにする。そして、これらの場合は、第１の大当たり図柄の停止表示および第２の大当たり図柄の停止表示の際に同一の大当たり演出図柄で大当たりを示す演出図柄ＥＺ１〜ＥＺ３の停止表示が行われることが望ましい。演出モードＣで何れの遊技状態であるかの判別を困難にするためである。
【０３４０】
また、演出モードＢでは、更新演出が実行されていないが、例えば、第１更新演出画像Ｇ５を表示する更新演出が実行されても良い。ただし、この場合は、演出モードＢが設定されたときに第１更新演出画像Ｇ５の数字部分に表示される数字は「１６０」となる。また、宇宙モードに係る確変遊技状態に滞在しているときに、第１更新演出画像Ｇ５の表示とは異なる態様で、確変遊技状態が終了するまでの期間が遊技の進行とともに認識できるようにしても良い。
【０３４１】
また、第１突然示唆演出、および第２突然示唆演出の演出態様も第１実施形態に限られない。第１突然示唆演出、および第２突然示唆演出を盤可動装置５５および画像表示装置５０以外に、スピーカ５２や枠ランプ５３を用いて行っても良い。さらには、例えば、前扉２３の上端部の外側にも作動可能な可動装置を設けておき、その可動装置を用いて第１突然示唆演出や第２突然示唆演出を実行しても良い。
【０３４２】
また、例えば、第２突然示唆演出でも盤可動装置５５を用いて実行しても良い。例えば、第２突然示唆演出では、昇降部材５５ｋ２のみが作動し、回転部材５５ｋ１は回転しない態様で行っても良い。また、第２突然示唆演出では、第１突然示唆演出の盤可動体５５ｋの動作に係る一部の要素について同様に作動するが、例えば、昇降部材５５ｋ２が下降する速度や回転部材５５ｋ１が回転する速度が遅いなど作動に係る速度の要素が異なるようにしても良い。また、第２突然示唆演出では、昇降部材５５ｋ２が下降する距離が短い、または回転部材５５ｋ１が回転する回数数が少ないなど作動に係る量の要素が異なるようにしても良い。
【０３４３】
また、第１実施形態では、第１更新演出画像Ｇ５の数字部分からなる回数表示は特図変動演出が開始されるたびに１つずつ減少している（すなわち、カウントダウンしている）が、特図変動演出が開始されるたびに数字が１つずつ増加していく（すなわち、カウントアップしている）態様にしても良い。なお、第２更新演出画像Ｇ７の数字部分からなる時間表示についても同様である。また、第１更新演出画像Ｇ５や第２更新演出画像Ｇ７で更新される対象は数字に限られない。少なくとも、時短遊技状態であれば時短遊技状態が終了するまで実行可能な特図可変表示の回数を遊技者が認識できればよい。例えば、プログレスバーのバーの部分が増加していく、または減少していくなど視覚的に増減を認識できれば良い。さらには、更新演出は、画像表示装置５０ではなく、スピーカ５２、枠ランプ５３、盤可動装置５５などを用いて行っても良い。
【０３４４】
また、更新演出に係る更新のタイミングも特図変動演出の開始時に限られず、特図変動演出の終了時や特図変動演出の途中などであってもよい。また、更新演出が実行されているときに、第１更新演出画像Ｇ５や第２更新演出画像Ｇ７によって、所定の事象までの期間を常に正確に認識できなくてもよい。例えば、第１更新演出画像Ｇ５や第２更新演出画像Ｇ７の数字部分は、毎回の特図変動演出の開始時に更新されるのでなく、所定回数毎に更新されるようにしてもよい。
【０３４５】
さらに、演出モードＣ秘匿期間において、第１更新演出画像Ｇ５の大きさが変更される、色彩が変更されるなど、第１更新演出画像Ｇ５の表示態様が変化することによって、滞在している遊技状態が確変遊技状態である可能性がある、すなわち時短遊技状態に係る終了条件が過ぎても演出モードＣが継続することを示唆する継続演出を実行可能にしても良い。また、別の例として、第１更新演出画像Ｇ５の演出態様が変化するのではなく、特図可変表示の実行に伴って数字部分が「１」減少されず、数字部分が変化せずに停止する、あるいは増加するように第１更新演出画像Ｇ５の動作態様を変化させるようにしても良い。さらには、第１更新演出画像Ｇ５の表示態様や動作態様を含む第１更新演出の演出態様を複数設定し、演出態様に応じて演出モードＣが継続する期待度が異なるようにしても良い。
【０３４６】
なお、演出モードに関する名称や各種演出に関する名称、または、演出モードに関する具体的な演出内容や各種演出の演出内容は、第１実施形態に限られず、適宜に設定することができる。
【０３４７】
また、第１実施形態では、確変遊技状態に係る高確率規定回数および時短規定回数は１６０回に設定されているが、この回数に代えて、または、この回数に加えて他の回数（例えば、８０回、１００回、２００回など）を設けてもよい。この場合、大当たり図柄種別を増やし、大当たり図柄種別に応じて確変遊技状態に係る高確率規定回数および時短規定回数を異ならせてもよい。時短遊技状態に係る時短規定回数についても同様である。また、特図可変表示の実行回数によって確変遊技状態が終了する規定期間（高確率規定回数と時短規定回数）が設定されているが、規定期間を設けなくてもよい。すなわち、次回の大当たり当選があるまで確変遊技状態が継続するようにしても良い。この場合、赤図柄揃いによる高確率状態および青図柄揃いによる高確率状態の何れか一方または双方に対して規定期間を設けないようにすることができる。
【０３４８】
また、確変遊技状態が設定されてから大当たりに当選することなく実行された特図可変表示の回数で規定期間を設定するのではなく、大当たり遊技後の経過時間で設定しても良い。これは時短遊技状態についても同様である。または、確変遊技状態が設定されてから所定のタイミング、例えば、所定回数の特図可変表示が開始される度に確変遊技状態から通常遊技状態に移行させるための抽選を行い、その抽選で通常遊技状態に移行させると判定されたときに通常遊技状態に移行させると共に、演出モードＡに移行させるようにしても良い。さらには、遊技球の発射個数などの特図可変表示の実行回数ではない他の要素に基づいて、通常遊技状態より遊技者に有利な遊技状態に対する規定期間を設定してもよい。
【０３４９】
第１実施形態では、大当たり遊技で開放可能な大入賞領域として大入賞口１４のみが設けられているが、複数の大入賞領域を設けても良い。
【０３５０】
また、第１実施形態では、特定の大当たり図柄種別に判定されると、必ず大当たり遊技後に高確率状態にて遊技が進行する。すなわち、高確率状態の設定が大当たり図柄種別に対応付けられている。しかしながら、高確率状態の設定条件を変更してもよい。例えば、大入賞装置１４Ｄとは別に、開閉可能であり、開放時に遊技球が入球可能な第２大入賞装置を遊技領域６の遊技球が到達可能な位置に設けておき、大当たり遊技中の所定のラウンド遊技において第２大入賞装置が開放して第２大入賞装置に入球した遊技球が、その下流側に設けられた特定領域を通過すると、大当たり遊技の終了に伴って高確率状態が設定されるようにしてもよい。この場合、第２大入賞装置が入球容易な時間（例えば、２９．５秒）開放する特定の大当たり図柄（高確率状態を設定させ易い大当たり図柄）と、第２大入賞装置が入球艱難な時間（例えば、０．５秒）開放する非特定の大当たり図柄（高確率状態を設定させ難い大当たり図柄）と、を設けることができる。
【０３５１】
また、第１実施形態では、大当たり遊技後の終了に伴って必ず時短状態が設定されるが、大当たり図柄の種別に応じて時短状態が設定されるか否かを決定しても良い。この場合、特図２抽選での方が、大当たり遊技後の終了に伴って時短状態が設定される大当たり図柄に高確率で当選できるようになっていても良い。
【０３５２】
また、第１実施形態などでは、大当たり判定において大当たりに当選することによって、大入賞口１４の開閉を伴う大当たり遊技が実行されるが、大入賞口１４の開閉を伴う遊技として所謂「小当たり遊技」を設けても良い。小当たり遊技は、大当たり判定において、大当たりおよびハズレとは異なる「小当たり」に当選することによって実行される。そして、小当たり遊技における大入賞口１４の最大開放時間は１．８秒以下であることが望ましい。また、小当たり遊技の終了に伴い、遊技状態は変化しない。すなわち、小当たり遊技の実行中および実行後は、当該実行前の遊技状態が継続し、小当たり遊技の実行が遊技状態に影響を及ぼさない。すなわち、小当たりに当選すると、大入賞口１４の開閉を伴う小当たり遊技が実行されるだけである。
【０３５３】
また、第１実施形態では、遊技の進行に係る基本的な制御を遊技制御基板１００が行い、遊技の進行（遊技の制御）に応じた演出の進行に係る基本的な制御を演出制御基板１２０が行うというように、遊技の制御と演出の制御とを異なる基板で行っているが、一つの基板で行うよう構成しても良い。この場合、画像制御基板１４０を、その一つの基板に含めても良く、また、その一つの基板とは別に設けても良い。
【０３５４】
また、本発明の遊技機を、アレンジボール機、雀球遊技機等の他の弾球遊技機や回胴式遊技機（所謂「スロットマシーン」）などに適用することも可能である。
【０３５５】
８．実施形態に開示されている他の発明
この［発明を実施するための形態］における前段落までには、以下の発明Ａ〜発明Ｃが開示されている。発明Ａ〜発明Ｃの説明では、前述した発明を実施する形態における対応する構成の名称や表現、図面に使用した符号を参考のためにかっこ書きで付記している。但し、各発明を構成する手段などの要素はこの付記に限定されるものではない。なお、発明Ａは、以下の発明Ａ１〜Ａ４の総称であり、発明Ｂは、以下の発明Ｂ１〜Ｂ４の総称であり、発明Ｃは、以下の発明Ｃ１〜Ｃ４の総称である。
【０３５６】
８−１−１．発明Ａ１
発明Ａ１に係る遊技機は、
遊技者に有利な特別遊技（大当たり遊技）を行う特別遊技実行手段（ステップS1505などを行う遊技制御用マイコン１０１）と、
前記特別遊技の後に、遊技者に有利な第１遊技状態（確変遊技状態）で遊技を制御するときと、前記第１遊技状態よりも不利な第２遊技状態（時短遊技状態）で遊技を制御するときと、がある遊技状態制御手段（ステップS1506などを行う遊技制御用マイコン１０１）と、
所定の演出を実行する演出実行手段（ステップS4201などを行う演出制御用マイコン１２１）と、を備え、
前記遊技状態制御手段は、
前記第２遊技状態で遊技を制御した場合、所定の終了条件（大当たりに当選することなく特図可変表示が１００回実行されること）が成立するまで継続して前記第２遊技状態で遊技を制御することがあり、
前記第１遊技状態で遊技を制御した場合、前記終了条件が成立してもさらに継続して前記第１遊技状態で遊技を制御することがあり、
前記演出実行手段は、
前記第１遊技状態で遊技が制御されているときに、第１の演出モード（演出モードＢ）で前記演出を実行するときと、前記第１の演出モードとは異なる第２の演出モード（演出モードＣ）で前記演出を実行するときと、があり、
前記第２遊技状態で遊技が制御されているときに、前記第２の演出モードで前記演出を実行するときがあり、
前記第１遊技状態で遊技が制御され且つ前記第２の演出モードで前記演出を実行しているときに前記終了条件が成立した場合、その後も前記第２の演出モードを継続して前記演出を実行することがあることを特徴とする。
【０３５７】
８−１−２．発明Ａ２
発明Ａ２に係る遊技機は、
発明Ａ１に係る遊技機であって、
前記第１遊技状態または前記第２遊技状態で遊技が制御されているときに、前記特別遊技を行うか否かの判定を行う判定手段（ステップS1502などを行う遊技制御用マイコン１０１）を更に備え、
前記演出実行手段は、前記判定にて前記特別遊技を行うと判定された場合、前記特別遊技が行われることを示唆する示唆演出（第１突然示唆演出、第２突然示唆演出）を実行することがあり、
前記示唆演出は、前記第１遊技状態で遊技が制御され且つ前記第２の演出モードで前記演出が実行されているときであって前記終了条件が成立した後と、前記第１遊技状態で遊技が制御され且つ前記第１の演出モードで前記演出が実行されているときとで、少なくとも一部の演出態様が共通していることを特徴とする。
【０３５８】
８−１−３．発明Ａ３
発明Ａ３に係る遊技機は、
発明Ａ２に係る遊技機であって、
前記示唆演出は、前記第１遊技状態または第２遊技状態で遊技が制御され且つ前記第２の演出モードで前記演出が実行されているときであって前記終了条件が成立する前と、前記第１遊技状態で遊技が制御され且つ前記第２の演出モードで前記演出が実行されているときであって前記終了条件が成立した後とで、少なくとも一部の演出態様が異なることを特徴とする。
【０３５９】
８−１−４．発明Ａ４
発明Ａ４に係る遊技機は、
発明Ａ２に係る遊技機であって、
所定の動作態様で動作可能な可動体（盤可動体５５ｋ）を更に備え、
前記演出実行手段は、前記第１遊技状態または第２遊技状態で遊技が制御され且つ前記第２の演出モードで前記演出が実行されているときであって前記終了条件が成立する前に前記示唆演出を実行する場合、および、前記第１遊技状態で遊技が制御され且つ前記第２の演出モードで前記演出が実行されているときであって前記終了条件が成立した後に前記示唆演出を実行する場合、の何れか一方において、前記示唆演出として、前記可動体を前記所定の動作態様で動作させることがあることを特徴とする。
【０３６０】
８−２−１．発明Ｂ１
発明Ｂ１に係る遊技機は、
遊技者に有利な特別遊技（大当たり遊技）を行うか否かの判定を行う判定手段（ステップS1502などを行う遊技制御用マイコン１０１）と、
前記特別遊技の後に、遊技者に有利な特定遊技状態（確変遊技状態）で遊技を制御するときがある遊技状態制御手段（ステップS1506などを行う遊技制御用マイコン１０１）と、
所定の演出を実行する演出実行手段（ステップS4201などを行う演出制御用マイコン１２１）と、を備え、
前記演出実行手段は、
前記判定にて前記特別遊技を行うと判定された場合、前記特別遊技が行われることを示唆する示唆演出（第１突然示唆演出、第２突然示唆演出）を実行することがあり、
前記特定遊技状態で遊技が制御されているときであって所定条件（大当たりに当選することなく特図可変表示が１００回実行されること）が成立する前と、前記特定遊技状態で遊技が制御されているときであって前記所定条件が成立した後とで、前記示唆演出の少なくとも一部の演出態様を異ならせることが可能であることを特徴とする。
【０３６１】
８−２−２．発明Ｂ２
発明Ｂ２に係る遊技機は、
発明Ｂ１に係る遊技機であって、
前記演出実行手段は、前記特定遊技状態で遊技が制御されているときに、第１の演出モード（演出モードＢ）で前記演出を実行するときと、前記第１の演出モードとは異なる第２の演出モード（演出モードＣ）で前記演出を実行するときと、があり、
前記示唆演出は、前記第２の演出モードで前記演出が実行されているときであって前記所定条件が成立した後と、前記第１の演出モードで前記演出が実行されているときであって前記所定条件が成立した後とで、少なくとも一部の演出態様が共通していることを特徴とする。
【０３６２】
８−２−３．発明Ｂ３
発明Ｂ３に係る遊技機は、
発明Ｂ２に係る遊技機であって、
前記第２の演出モードは、前記特定遊技状態で遊技が制御されていることを明示しない演出モードであることを特徴とする。
【０３６３】
８−２−４．発明Ｂ４
発明Ｂ４に係る遊技機は、
発明Ｂ１乃至Ｂ３の何れか１つに係る遊技機であって、
所定の動作態様で動作可能な可動体（盤可動体５５ｋ）を更に備え、
前記演出実行手段は、前記特定遊技状態で遊技が制御されているときであって前記所定条件が成立する前に前記示唆演出を実行する場合、および、前記特定遊技状態で遊技が制御されているときであって前記所定条件が成立した後に前記示唆演出を実行する場合、の何れか一方において、前記示唆演出として、前記可動体を前記所定の動作態様で動作させることがあることを特徴とする。
【０３６４】
８−３−１．発明Ｃ１
発明Ｃ１に係る遊技機は、
遊技者に有利な特別遊技（大当たり遊技）を行う特別遊技実行手段（ステップS1505などを行う遊技制御用マイコン１０１）と、
前記特別遊技の後に、所定の期間（確変遊技状態に係る時短規定回数、時短遊技状態に係る時短規定回数）が終了するまで遊技者に有利な特定遊技状態（時短状態）で遊技を制御するときがある遊技状態制御手段（ステップS1506などを行う遊技制御用マイコン１０１）と、
所定の演出を実行する演出実行手段（ステップS4201などを行う演出制御用マイコン１２１）と、を備え、
前記演出実行手段は、
前記所定の期間の経過に応じて更新される更新演出を実行可能であり、
前記特定遊技状態で遊技が制御されているときに、第１の演出態様（第１更新演出画像Ｇ５）で前記更新演出を実行するときと、前記第１の演出態様とは異なる第２の演出態様（第２更新演出画像Ｇ７）で前記更新演出を実行するときと、があることを特徴とする。
【０３６５】
８−３−２．発明Ｃ２
発明Ｃ２に係る遊技機は、
発明Ｃ１に係る遊技機であって、
前記特定遊技状態には、第１の期間（大当たりに当選することなく１６０回の特図可変表示が実行される期間）が終了するまで遊技者に有利な状態が継続可能な第１遊技状態（確変遊技状態）と、前記第１の期間よりも短い第２の期間（大当たりに当選することなく１００回の特図可変表示が実行される期間）が終了するまで遊技者に有利な状態が継続可能な第２遊技状態（時短遊技状態）と、があり、
前記演出実行手段は、
前記第１遊技状態で遊技が制御されているときに、前記第１の演出態様で前記更新演出を実行するときと、前記第２の演出態様で前記更新演出を実行するときと、があり、
前記第２遊技状態で遊技が制御されているときに、前記第１の演出態様で前記更新演出を実行するときがあることを特徴とする。
【０３６６】
８−３−３．発明Ｃ３
発明Ｃ３に係る遊技機は、
発明Ｃ２に係る遊技機であって、
前記演出実行手段は、前記第１遊技状態で遊技が制御され且つ前記第１の演出態様で前記更新演出を実行する場合でも、前記第２遊技状態で遊技が制御され且つ前記第１の演出態様で前記更新演出を実行する場合でも、前記第１の演出態様の前記更新演出において前記第２の期間が終了するまでの期間を示唆することを特徴とする。
【０３６７】
８−３−５．発明Ｃ４
発明Ｃ４に係る遊技機は、
発明Ｃ３に係る遊技機であって、
前記演出実行手段は、前記第１遊技状態で遊技が制御され且つ前記第１の演出態様で前記更新演出を実行した場合、前記第２の期間が終了する際に、遊技者に有利な状態が終了しないことを示唆する継続演出を実行することがあることを特徴とする。
【符号の説明】
【０３６８】
ＰＹ１…パチンコ遊技機
１…遊技盤
１１…第１始動口
１１ａ…第１始動口センサ
１２…第２始動口
１２ａ…第２始動口センサ
１４…大入賞口
１４ａ…大入賞口センサ
５０…画像表示装置
５０ａ…表示部
５２…スピーカ
５３…枠ランプ
５５…盤可動装置
５５ｋ…盤可動体
５５ｋ１…回転部材
５５ｋ２…昇降部材
５５ｍ１…回転部材用モータ
５５ｍ２…昇降部材用モータ
１００…遊技制御基板
１０１…遊技制御用マイコン
１２０…演出制御基板
１２１…演出制御用マイコン
１４０…画像制御基板
【図１】
2018047248.tif 000003
【図２】
2018047248.tif 000004
【図３】
2018047248.tif 000005
【図４】
2018047248.tif 000006
【図５】
2018047248.tif 000007
【図６】
2018047248.tif 000008
【図７】
2018047248.tif 000009
【図８】
2018047248.tif 000010
【図９】
2018047248.tif 000011
【図１０】
2018047248.tif 000012
【図１１】
2018047248.tif 000013
【図１２】
2018047248.tif 000014
【図１３】
2018047248.tif 000015
【図１４】
2018047248.tif 000016
【図１５】
2018047248.tif 000017
【図１６】
2018047248.tif 000018
【図１７】
2018047248.tif 000019
【図１８】
2018047248.tif 000020
【図１９】
2018047248.tif 000021
【図２０】
2018047248.tif 000022
【図２１】
2018047248.tif 000023
【図２２】
2018047248.tif 000024
【図２３】
2018047248.tif 000025
【図２４】
2018047248.tif 000026
【図２５】
2018047248.tif 000027
【図２６】
2018047248.tif 000028
【図２７】
2018047248.tif 000029
【図２８】
2018047248.tif 000030
【図２９】
2018047248.tif 000031
【図３０】
2018047248.tif 000032
【図３１】
2018047248.tif 000033
【図３２】
2018047248.tif 000034
【図３３】
2018047248.tif 000035
【図３４】
2018047248.tif 000036
【図３５】
2018047248.tif 000037
【図３６】
2018047248.tif 000038
【図３７】
2018047248.tif 000039
【図３８】
2018047248.tif 000040
【図３９】
2018047248.tif 000041
【図４０】
2018047248.tif 000042
【図４１】
2018047248.tif 000043
【図４２】
2018047248.tif 000044
【図４３】
2018047248.tif 000045